(57)【特許請求の範囲】
【請求項１】
利用者Ｘと利用者Ｙとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を通知する第１通知手段を、
具備する交換取引サーバ。
【請求項２】
請求項１に記載の交換取引サーバであって、希望交換差ＸＡ−ＸＢと希望交換差ＹＡ−ＹＢとが合致しないと判別される場合に、
利用者Ｘの利用者端末と利用者Ｙの利用者端末とへ、希望交換差ＸＡ−ＸＢと希望交換差ＹＡ−ＹＢとの中間値による交換取引の成立を前記第１通知手段が通知することを特徴とする交換取引サーバ。
【請求項３】
利用者Ｘと利用者Ｙとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を通知する第１通知手段を、
具備する交換取引サーバ。
【請求項４】
請求項３に記載の交換取引サーバであって、希望提供価値ＸＡ−希望入手価値ＸＢと希望入手価値ＹＡ−希望提供価値ＹＢとが合致しないと判別される場合に、
利用者Ｘの利用者端末と利用者Ｙの利用者端末とへ、希望提供価値ＸＡ−希望入手価値ＸＢと希望入手価値ＹＡ−希望提供価値ＹＢとの中間値による交換取引の成立を前記第１通知手段が通知することを特徴とする交換取引サーバ。
【請求項５】
利用者Ｘと利用者Ｙと利用者Ｚとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を通知する第１通知手段を、
具備する交換取引サーバ。
【請求項６】
請求項１乃至５の何れかに記載の交換取引サーバであって、
（ａ）相対交換取引を選択する相対取引希望者の利用者端末が送信した相対交換取引要求を受け付ける受付手段と、
（ｂ）前記受付手段によって受け付けた該相対交換取引要求を、該相対交換取引要求において特定されている相対取引候補者の利用者端末へ送信する送信手段と、
（ｃ）該相対取引希望者の利用者端末と該相対取引候補者の利用者端末との間で前記相対交換取引が成立した場合に該相対取引希望者の利用者端末又は該相対取引候補者の利用者端末より通知された、該相対交換取引の成立情報を受信する受信手段とを、
更に具備することを特徴とする交換取引サーバ。
【請求項７】
請求項１、３、５の何れかに記載の交換取引サーバであって、
（ａ）前記１つ以上のデータベースが、前記利用者の口座番号と口座残高とを含む情報を格納し、
（ｂ）前記データベースに、成立した交換取引における交換差を含む金銭の決済情報が格納され、
（ｃ）該決済情報に基づいて、該金銭の支払人の口座番号の口座残高と該金銭の受取人の口座番号の口座残高とが、該支払人の口座から該受取人の口座への該金銭の移転後の口座残高にそれぞれ更新される場合に、
該支払人の利用者端末と該受取人の利用者端末とのうち、何れか１つ以上の利用者端末へ該移転を通知する第２通知手段を、
更に具備することを特徴とする交換取引サーバ。
【請求項８】
請求項１、３、５の何れかに記載の交換取引サーバであって、
（ａ）前記１つ以上のデータベースが、前記利用者の口座番号と口座残高とを含む情報を格納し、
（ｂ）前記データベースに、成立した交換取引における交換対象の決済情報が格納され、
（ｃ）該決済情報に基づいて、該交換対象の譲渡人の口座番号の口座残高と該交換対象の譲受人の口座番号の口座残高とが、該譲渡人の口座から該譲受人の口座への該交換対象の移転後の口座残高にそれぞれ更新される場合に、
該譲渡人の利用者端末と該譲受人の利用者端末とのうち、何れか１つ以上の利用者端末へ該移転を通知する第２通知手段を、
更に具備することを特徴とする交換取引サーバ。
【請求項９】
請求項１、３、５の何れかに記載の交換取引サーバであって、
（ａ）前記１つ以上のデータベースが、前記利用者の口座番号と口座残高とを含む情報を格納し、
（ｂ）交換取引が成立した交換当事者Ａから交換当事者Ａの交換相手である交換当事者Ｂへ移転する交換対象ｘと、交換当事者Ｂから交換当事者Ａへ移転する交換対象ｙとの決済情報が、前記データベースに格納され、
（ｃ）該決済情報に基づいて、交換当事者Ａの口座番号の口座残高と交換当事者Ｂの口座番号の口座残高とが、
（１）交換当事者Ａの口座から交換当事者Ｂの口座への交換対象ｘの移転後の口座残高にそれぞれ更新され、
（２）交換当事者Ｂの口座から交換当事者Ａの口座への交換対象ｙの移転後の口座残高にそれぞれ更新される場合に、
交換当事者Ａの利用者端末と交換当事者Ｂの利用者端末とのうち、何れか１つ以上の利用者端末へ該移転を通知する第２通知手段を、
更に具備することを特徴とする交換取引サーバ。
【請求項１０】
請求項１、３、５の何れかにおいて、交換対象Ａ及び交換対象Ｂのそれぞれを、
金融運用商品、不動産運用商品、資産運用商品、資金調達商品、資金取引商品、金融商品、準金融商品、貴金属、非鉄金属、金属、エネルギー関連商品、一次産品、芸術品、骨董品、現物商品、商品、生産財、消費財及び財のうち、何れか１つ以上とすることを特徴とする交換取引サーバ。
【請求項１１】
請求項１、３、５の何れかにおいて、交換対象Ａ及び交換対象Ｂのそれぞれを、
資産運用商品の現物、資産運用商品のキャッシュフロー、資産運用商品の評価益、資産運用商品の評価損、資金調達商品のキャッシュフロー、資金取引商品の評価益及び資金取引商品の評価損のうち、何れか１つ以上とすることを特徴とする交換取引サーバ。
【請求項１２】
請求項１乃至１１の何れかにおいて、１台以上のコンピュータを備えたことを特徴とする交換取引サーバ。
【請求項１３】
請求項１２において、前記１台以上のコンピュータの何れかが国外に備えられたことを特徴とする交換取引サーバ。
【請求項１４】
請求項１、３、５、７乃至９の何れかにおいて、少なくとも記憶装置を備え、該記憶装置に前記データベースを格納して該データベースに接続されていることを特徴とする交換取引サーバ。
【請求項１５】
請求項１、３、５、７乃至９の何れかにおいて、通信網を介して前記データベースに接続されていることを特徴とする交換取引サーバ。
【請求項１６】
請求項１、３、５、７乃至９の何れかにおいて、前記１つ以上のデータベースの何れかが国外に備えられたことを特徴とする交換取引サーバ。
【請求項１７】
請求項１乃至９の何れかにおいて、前記複数の利用者端末の何れかが国外に備えられたことを特徴とする交換取引サーバ。
【請求項１８】
利用者Ｘと利用者Ｙとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を通知する通知手段を、
具備する交換取引システム。
【請求項１９】
利用者Ｘと利用者Ｙとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を通知する通知手段を、
具備する交換取引システム。
【請求項２０】
利用者Ｘと利用者Ｙと利用者Ｚとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を通知する通知手段を、
具備する交換取引システム。
【請求項２１】
請求項１８乃至２０の何れかにおいて、１台以上のコンピュータを備えたことを特徴とする交換取引システム。
【請求項２２】
請求項２１において、前記１台以上のコンピュータの何れかが国外に備えられたことを特徴とする交換取引システム。
【請求項２３】
請求項１８乃至２０の何れかにおいて、少なくとも記憶装置を備え、該記憶装置に前記データベースを格納して該データベースに接続されていることを特徴とする交換取引システム。
【請求項２４】
請求項１８乃至２０の何れかにおいて、通信網を介して前記データベースに接続されていることを特徴とする交換取引システム。
【請求項２５】
請求項１８乃至２０の何れかにおいて、前記１つ以上のデータベースの何れかが国外に備えられたことを特徴とする交換取引システム。
【請求項２６】
請求項１８乃至２０の何れかにおいて、前記複数の利用者端末の何れかが国外に備えられたことを特徴とする交換取引システム。
【請求項２７】
利用者Ｘと利用者Ｙとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を前記システムが通知する通知ステップを、
有する交換取引支援方法。
【請求項２８】
利用者Ｘと利用者Ｙとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を前記システムが通知する通知ステップを、
有する交換取引支援方法。
【請求項２９】
利用者Ｘと利用者Ｙと利用者Ｚとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を前記システムが通知する通知ステップを、
有する交換取引支援方法。
【請求項３０】
請求項２７乃至２９の何れかにおいて、前記コンピュータが１台以上のコンピュータであることを特徴とする交換取引支援方法。
【請求項３１】
請求項３０において、前記１台以上のコンピュータの何れかが国外に備えられたことを特徴とする交換取引支援方法。
【請求項３２】
請求項２７乃至２９の何れかにおいて、前記システムが少なくとも記憶装置を備え、該システムが該記憶装置に前記データベースを格納して該データベースに接続されていることを特徴とする交換取引支援方法。
【請求項３３】
請求項２７乃至２９の何れかにおいて、前記システムが通信網を介して前記データベースに接続されていることを特徴とする交換取引支援方法。
【請求項３４】
請求項２７乃至２９の何れかにおいて、前記１つ以上のデータベースの何れかが国外に備えられたことを特徴とする交換取引支援方法。
【請求項３５】
請求項２７乃至２９の何れかにおいて、前記複数の利用者端末の何れかが国外に備えられたことを特徴とする交換取引支援方法。
【発明の詳細な説明】
【技術分野】
【０００１】
本発明は、交換差による取引に係る交換取引サーバ、交換取引システム及び交換取引支援方法に関する。
【背景技術】
【０００２】
貨幣経済の原理は、購入行為が売却行為から切り離されるところにあり、例えばある商品を売却した時点で購入したい商品が即座に見つからない場合、人は貨幣を保有しながら購買力を維持し、時間をかけて購入したい商品を探す行動が一般的である。従来の金融取引は、この原理を前提としているため、顧客は金融商品の持高の解消時と造成時にそれぞれ手数料を支払わなければならず、また、上下変動が激しい今日の取引市場においては、むしろ、解消行為と造成行為との間のタイムラグが市場リスクを大きくしている。
【０００３】
ところで、土地、建物及び双方の組み合わせである複合不動産は、元来、金融商品とは性質を異にする運用商品であるが、特別目的会社や投資信託を利用した不動産の証券化の普及によって、小口化が可能な共同運用商品としての地位が確立されている。これに伴い資産運用では、不動産担保証券や不動産投資信託などの証券化商品を媒介として、前記不動産運用商品と、貸付債権や債券、株式などの金融運用商品との間に裁定取引の機会が生まれ、最早、不動産運用商品と金融運用商品とを異なった土俵で論じることの意味が薄れてきた。
また、株価指数のように市場全体の上下変動を示す指標が不動産市場でも開発され、これらの不動産投資指数を基礎数値とした派生商品取引も成長が見込まれている。
【０００４】
一方、貴金属や非鉄金属、エネルギー関連、一次産品などの現物商品を基礎商品とした商品先物や商品オプション、商品先物オプション、商品価格スワップなどは、実質的に差金決済を可能とする取引の性格から、準金融商品としての地位が既に確立され、また、これら現物派生商品及び金融派生商品を投資対象とする商品ファンドも、証券投資信託などと同様のファンド型金融商品であると位置付けられている。
しかしながら、今日の取引市場は、金融商品、不動産商品及び現物派生商品で大きくセグメント化され、これらがさらに商品毎に細分化されている。このため、個々の商品の流動性が奪われて持高を解消する際の価額に歪みが生じ、顧客が不利益を被っている。
【発明の概要】
【発明が解決しようとする課題】
【０００５】
本発明に係る実施の形態では、１つ以上のコンピュータネットワークを介して金融商品及び／又は準金融商品の交換取引市場を創設し、資産運用者や資金調達者、資金取引者といった顧客の持高の解消需要と持高の造成需要とを相互にマッチさせる交換取引サーバ、交換取引システム及び交換取引支援方法を提供することを課題とする。
そして本発明に係る実施の形態では、解消行為と造成行為とを同時に行える環境を提供することで、顧客が仲介者等へ支払う手数料を節約でき、解消行為と造成行為との間のタイムラグを排除することで、その間の市場リスクを最小化でき、また、セグメント化され過ぎた取引市場を超越したクロス取引の場を創設することで、個々の商品の流動性を向上できる交換取引サーバ、交換取引システム及び交換取引支援方法を提供することを課題とする。
さらに本発明に係る実施の形態では、資産運用商品や資金調達商品、資金取引商品に関して、新種の裁定取引やキャッシュフローの平準化を可能にし、ポートフォリオの再構築や資産・負債の総合管理の効率性を上昇させ、また、事業支配や株式持合、信用供与、運用委託先の選別などに絡む資産運用の新手法を提供することを課題とする。
【課題を解決するための手段】
【０００６】
本発明に係る交換取引サーバは、利用者Ｘと利用者Ｙとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を通知する第１通知手段を、
具備することを特徴とする。
【０００７】
本発明に係る交換取引サーバは、利用者Ｘと利用者Ｙとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を通知する第１通知手段を、
具備することを特徴とする。
【０００８】
本発明に係る交換取引サーバは、利用者Ｘと利用者Ｙと利用者Ｚとを含む利用者の複数の利用者端末が実行する、交換対象Ａと交換対象Ｂとの交換取引を支援するための交換取引サーバであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を通知する第１通知手段を、
具備することを特徴とする。
【０００９】
本発明に係る交換取引システムは、利用者Ｘと利用者Ｙとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を通知する通知手段を、
具備することを特徴とする。
【００１０】
本発明に係る交換取引システムは、利用者Ｘと利用者Ｙとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を通知する通知手段を、
具備することを特徴とする。
【００１１】
本発明に係る交換取引システムは、利用者Ｘと利用者Ｙと利用者Ｚとを含む利用者の複数の利用者端末が実行する、交換対象Ａと交換対象Ｂとの交換取引を支援するための交換取引システムであって、
（ａ）複数の前記利用者端末と接続され、
（ｂ）前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を通知する通知手段を、
具備することを特徴とする。
【００１２】
本発明に係る交換取引支援方法は、利用者Ｘと利用者Ｙとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差ＸＡ−ＸＢを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）交換注文ｘと交換注文ｙとの間において、希望交換差ＸＡ−ＸＢと希望交換差ＹＡ−ＹＢとが合致すると判別される場合に、
利用者Ｘの利用者端末と利用者Ｙの利用者端末とへ、該合致による交換取引の成立を前記システムが通知する通知ステップを、
有することを特徴とする。
【００１３】
本発明に係る交換取引支援方法は、利用者Ｘと利用者Ｙとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとを、
含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとを、
含む交換注文ｙが格納され、
（ｅ）交換注文ｘと交換注文ｙとの間において、希望提供価値ＸＡ−希望入手価値ＸＢと希望入手価値ＹＡ−希望提供価値ＹＢとが合致すると判別される場合に、
利用者Ｘの利用者端末と利用者Ｙの利用者端末とへ、該合致による交換取引の成立を前記システムが通知する通知ステップを、
有することを特徴とする。
【００１４】
本発明に係る交換取引支援方法は、利用者Ｘと利用者Ｙと利用者Ｚとを含む利用者の複数の利用者端末が実行する、交換対象Ａと交換対象Ｂとの交換取引を支援するコンピュータのシステムの交換取引支援方法であって、
（ａ）前記システムは、複数の前記利用者端末と接続され、
（ｂ）前記システムは、前記交換取引に関するデータを格納する１つ以上のデータベースと接続され、
（ｃ）前記データベースには、
（１）利用者Ｘの提供希望対象である交換対象Ａの希望提供価値ＸＡと、
（２）利用者Ｘの入手希望対象である交換対象Ｂの希望入手価値ＸＢとから、
演算される利用者Ｘの希望交換差レンジを含む交換注文ｘが格納され、
（ｄ）前記データベースには、
（１）利用者Ｙの入手希望対象である交換対象Ａの希望入手価値ＹＡと、
（２）利用者Ｙの提供希望対象である交換対象Ｂの希望提供価値ＹＢとから、
演算される利用者Ｙの希望交換差ＹＡ−ＹＢを含む交換注文ｙが格納され、
（ｅ）前記データベースには、
（１）利用者Ｚの入手希望対象である交換対象Ａの希望入手価値ＺＡと、
（２）利用者Ｚの提供希望対象である交換対象Ｂの希望提供価値ＺＢとから、
演算される利用者Ｚの希望交換差ＺＡ−ＺＢを含む交換注文ｚが格納され、
（ｆ）交換注文ｘと交換注文ｙと交換注文ｚとの間において、希望交換差ＹＡ−ＹＢと希望交換差ＺＡ−ＺＢとが前記希望交換差レンジにあり、希望交換差ＹＡ−ＹＢが希望交換差ＺＡ−ＺＢより利用者Ｘ寄りであると判別される場合に、
利用者Ｘの利用者端末と利用者Ｙの利用者端末とへ、交換取引の成立を前記システムが通知する通知ステップを、
有することを特徴とする。
【図面の簡単な説明】
【００１５】
【図１】本発明に係る一実施例であって、資産運用商品の直接交換を示した図である。
【図２】本発明に係る他の実施例であって、資産運用商品の直接交換を示した図である。
【図３】本発明に係る他の実施例であって、資産運用商品の直接交換を示した図である。
【図４】本発明に係る他の実施例であって、資産運用商品の直接交換を示した図である。
【図５】本発明に係る他の実施例であって、資産運用商品の直接交換を示した図である。
【図６】本発明に係る他の実施例であって、資産運用商品の直接交換を示した図である。
【図７】本発明に係る他の実施例であって、資産運用商品の直接交換を示した図である。
【図８】本発明に係る他の実施例であって、資産運用商品の直接交換を示した図である。
【図９】本発明に係る他の実施例であって、資産運用商品の直接交換を示した図である。
【図１０】本発明に係る他の実施例であって、資産運用商品の直接交換を示した図である。
【図１１】本発明に係る他の実施例であって、資産運用商品の直接交換を示した図である。
【図１２】本発明に係る他の実施例であって、資産運用商品の直接交換を示した図である。
【図１３】本発明係る他の実施例であって、資産運用商品の直接交換を示した図である。
【図１４】資産運用商品の直接交換における資金の流れと課金の仕組みの一実施例を示した図である。
【図１５】本発明に係るその他の実施例であって、資産運用商品のキャッシュフロー交換を示した図である。
【図１６】本発明に係る他の実施例であって、資産運用商品のキャッシュフロー交換を示した図である。
【図１７】本発明に係る他の実施例であって、資産運用商品のキャッシュフロー交換を示した図である。
【図１８】本発明に係る他の実施例であって、資産運用商品のキャッシュフロー交換を示した図である。
【図１９】本発明に係る他の実施例であって、資産運用商品のキャッシュフロー交換を示した図である。
【図２０】本発明に係る他の実施例であって、資産運用商品のキャッシュフロー交換を示した図である。
【図２１】本発明に係る他の実施例であって、資産運用商品のキャッシュフロー交換を示した図である。
【図２２】資産運用商品のキャッシュフロー交換における資金の流れと課金の仕組みの一実施例を示した図である。
【図２３】本発明に係るその他の実施例であって、折衷方式による資産運用商品の交換取引を示した図である。
【図２４】折衷方式による資産運用商品の交換取引における資金の流れと課金の仕組みの一実施例を示した図である。
【図２５】本発明に係るその他の実施例であって、資産調達商品のキャッシュフロー交換を示した図である。
【図２６】本発明に係る他の実施例であって、資金調達商品のキャッシュフロー交換を示した図である。
【図２７】本発明に係る他の実施例であって、資金調達商品のキャッシュフロー交換を示した図である。
【図２８】本発明に係る他の実施例であって、資金調達商品のキャッシュフロー交換を示した図である。
【図２９】資金調達商品のキャッシュフロー交換における資金の流れと課金の仕組みの一実施例を示した図である。
【図３０】本発明に係るその他の実施例であって、資金取引商品のキャッシュフロー交換を示した図である。
【図３１】本発明に係る他の実施例であって、資金取引商品のキャッシュフロー交換を示した図である。
【図３２】本発明に係る他の実施例であって、資金取引商品のキャッシュフロー交換を示した図である。
【図３３】本発明に係る他の実施例であって、資金取引商品のキャッシュフロー交換を示した図である。
【図３４】本発明に係る他の実施例であって、資金取引商品のキャッシュフロー交換を示した図である。
【図３５】資金取引商品のキャッシュフロー交換における資金の流れと課金の仕組みの一実施例を示した図である。
【図３６】本発明に係るその他の実施例であって、資産運用商品と資金取引商品とのキャッシュフロー交換を示した図である。
【図３７】資産運用商品と資金取引商品とのキャッシュフロー交換における資金の流れと課金の仕組みの一実施例を示した図である。
【図３８】本発明に係るその他の実施例であって、資産運用商品と資金取引商品との抱き合わせによる交換取引を示した図である。
【図３９】資産運用商品と資金取引商品との抱き合わせによる交換取引における資金の流れと課金の仕組みの一実施例を示した図である。
【図４０】本発明に係るその他の実施例であって、資金調達商品と資金取引商品との抱き合わせによる交換取引を示した図である。
【図４１】資金調達商品と資金取引商品との抱き合わせによる交換取引における資金の流れと課金の仕組みの一実施例を示した図である。
【図４２】本発明に係るその他の実施例であって、資産運用商品と資金調達商品との抱き合わせによる交換取引を示した図である。
【図４３】資産運用商品と資金調達商品との抱き合わせによる交換取引における資金の流れと課金の仕組みの一実施例を示した図である。
【図４４】本発明に係るその他の実施例であって、資産運用商品、資金調達商品及び資金取引商品の抱き合わせによる交換取引を示した図である。
【図４５】資産運用商品、資金調達商品及び資金取引商品の抱き合わせによる交換取引における資金の流れと課金の仕組みの一実施例を示した図である。
【図４６】本発明に係るその他の実施例であって、正味ベースの交換取引を示した図である。
【図４７】本発明に係るその他の実施例を示すブロック図である。
【図４８】本発明に係るその他の実施例であって、ハードウェアの構成を示した図である。
【発明を実施するための形態】
【００１６】
さて、以下、本発明に係る各種実施の形態を述べるが、これらの実施の形態において、利用者同士の交換取引又は顧客同士の交換取引とは、資産運用者同士の交換取引や資金調達者同士の交換取引、資金取引者同士の交換取引、資産運用者と資金取引者との交換取引などを指し、実際の取引に際して、特別目的会社や信託、組合などの導管体を利用者間に関与させる場合などをも含む。
また、本発明に係る各種実施の形態における資産運用者とは、貸付、預金、株式や債券、コマーシャル・ペーパー、受益権、不動産商品の売買、外国為替商品や金融派生商品、不動産派生商品、現物派生商品の取引などを通じて資産運用を行う国内外の個人や法人をいう。資金調達者とは、借入、預金、株式や債券、コマーシャル・ペーパーの発行、外国為替商品や金融派生商品の取引などを通じて資金調達を行う国内外の個人や法人をいう。そして、本発明に係る各種実施の形態では、前記資産運用者としての機能と前記資金調達者としての機能とを併せ持つ国内外の個人や法人を資金取引者と呼ぶ。
さらに、本発明に係る各種実施の形態においては、資産運用の対象となる金融運用商品や不動産運用商品などの基礎商品を資産運用商品といい、資金調達の対象となる金融調達商品などの基礎商品を資金調達商品と呼ぶ。よって、資金調達者が資金調達商品として利用する債券や株式、コマーシャル・ペーパーなどは、それらを購入する資産運用者の立場から見ると資産運用商品となる。また、資金調達の手段が融資である場合、調達側にとっての基礎商品即ち資金調達商品は借入債務、運用側にとっての基礎商品即ち資産運用商品は貸付債権となり、資金調達の手段が預金である場合、調達側にとっての基礎商品即ち資金調達商品は預金債務、運用側にとっての基礎商品即ち資産運用商品は預金債権となる。一方、本発明に係る各種実施の形態においては、外国為替商品や金融派生商品、不動産派生商品、現物派生商品など、資産運用商品や資金調達商品とは異なる利用のされ方をする各種商品を資金取引商品とする。
ところで、本発明に係る各種実施の形態では、金融商品及び準金融商品の交換取引の種類を、対象商品の属性や取引形態を基に以下のように分類している。
（ａ）資産運用商品の直接交換
（ｂ）資産運用商品のキャッシュフロー交換
［１］資産運用商品の一般的なキャッシュフロー交換
［２］評価益による資産運用商品のキャッシュフロー交換
［３］評価損による資産運用商品のキャッシュフロー交換
（ｃ）直接交換とキャッシュフロー交換との折衷方式による資産運用商品の交換
（ｄ）資金調達商品のキャッシュフロー交換
（ｅ）資金取引商品のキャッシュフロー交換
［１］評価益による資金取引商品のキャッシュフロー交換
［２］評価損による資金取引商品のキャッシュフロー交換
（ｆ）資産運用商品と資金取引商品とのキャッシュフロー交換
［１］評価益による資産運用商品と資金取引商品とのキャッシュフロー交換
［２］評価損による資産運用商品と資金取引商品とのキャッシュフロー交換
（ｇ）抱き合わせ交換
上記（ａ）〜（ｆ）の交換取引の応用である各種抱き合わせ交換
（ｈ）３者以上の間での交換
上記（ａ）〜（ｆ）の交換取引の応用である３者以上の間での交換
尚、ここでいうキャッシュフローとは資金流入及び資金流出をいう。具体的には、資産運用商品や資金調達商品、資金取引商品における元本部分の資金流出入、並びに元本より生じる利子、配当、地代・家賃を含む賃料などの果実部分の資金流出入を指す。
【００１７】
実施の形態１．
以下、本発明に係る実施の形態１として、出品から入札、落札に至る過程を経て交換取引が成立する入札方式の一例を説明する。但し、本発明は、交換差による取引に係るサーバ・コンピュータ、コンピュータシステム及び取引支援方法にあり、そのための仕組み並びにその対象となる商品は、本実施の形態で説明する仕組み並びに本実施の形態で挙げる商品に限定されるものではない。尚、交換希望商品の種類や属性によっては、相対方式の方が解消需要と造成需要とを相互にマッチさせやすいため、その一例も後述する。
【００１８】
まず、本システムの運営者が、当該サービスを利用したい資産運用者や資金調達者、資金取引者を特定する。これらの利用者は、出品や入札、落札、取引照合、基本合意書の作成・調印、交換取引商品の瑕疵調査や交換取引価額の鑑定評価に関する鑑定評価者との遣り取り、交換契約書の作成・調印、交換差金の決済、現物の授受、交換期間中のキャッシュフローの授受、各種サービス料の受払などを本システム上で行うことができる。
本取引市場における交換希望者には、出品者と入札者の２種類がある。出品者は、本システム上で提供希望商品を出品すると同時に入手希望商品を提示する。一方、入札者は、出品者の提供希望商品が自分の入手希望商品である点、及び出品者の入手希望商品が自分の提供希望商品である点を確認した上で入札に参加し、交換が成立した段階において落札者と呼ばれる。
尚、各種交換取引において出品者や入札者は、既に抱えている持高を提供希望商品としてもよいし、交換取引を目的に新規造成する予定の持高を提供希望商品としてもよい。
【００１９】
出品者の提供希望商品と入札者の入手希望商品とが一致し、且つ出品者の入手希望商品と入札者の提供希望商品とが一致して交換が成立した段階で、等価交換の趣旨から、両商品の価額の差は交換差金という形で決済される。
即ち、資産運用商品の現物もしくは総体のキャッシュフローの交換が成立した場合、資産運用商品の評価益の交換が成立した場合、及び資金取引商品の評価益の交換が成立した場合は、『より高額の商品を譲り受けた側即ちより低額の商品を譲渡した側』が、『より低額の商品を譲り受けた側即ちより高額の商品を譲渡した側』に対して差額を交換差金として支払うことで、双方の授受がバランスされる。後者が同意する場合、前者は等しい評価額の他商品で交換差金を代用することができる。
一方、資金調達商品の交換が成立した場合、資産運用商品の評価損の交換が成立した場合、及び資金取引商品の評価損の交換が成立した場合は、『より高額の商品を引き渡した側即ちより低額の商品を引き受けた側』が、『より低額の商品を引き渡した側即ちより高額の商品を引き受けた側』に対して差額を交換差金として支払うことで、双方の授受がバランスされる。後者が同意する場合、前者は等しい評価額の他商品で交換差金を代用することができる。
【００２０】
資産運用商品の現物もしくは総体のキャッシュフローの出品１件、資産運用商品の評価益の出品１件、又は資金取引商品の評価益の出品１件に対して、入札者が複数現われた場合、競争原理が働くことで出品側の希望提供価額が上昇及び／又希望入手価額が下落していく。この結果、交換は上昇後の希望提供価額及び／又は下落後の希望入手価額で成立し、この希望提供価額及び／又は希望入手価額を許容した落札者と出品者との間で交換差金が決済されて、双方の授受がバランスする。
一方、資金調達商品の出品１件、資産運用商品の評価損の出品１件、又は資金取引商品の評価損の出品１件に対して、入札者が複数現われた場合、競争原理が働くことで出品側の希望提供価額が下落及び／又は希望入手価額が上昇していく。この結果、交換は下落後の希望提供価額及び／又は上昇後の希望入手価額で成立し、この希望提供価額及び／又は希望入手価額を許容した落札者と出品者との間で交換差金が決済されて、双方の授受がバランスする。
【００２１】
本実施の形態における基本合意書とは、落札の取引照合が済んだ段階で、本システムの運営者と出品者とが暫定的に取り交わす契約書、並びに運営者と落札者とが暫定的に取り交わす契約書を指し、交換契約書とは、商品の瑕疵調査や取引価額の鑑定評価が済んだ段階で、運営者と出品者とが最終的に取り交わす契約書、並びに運営者と落札者とが最終的に取り交わす契約書を指す。運営者が出品者、落札者と別個に基本合意書や交換契約書を取り交わす理由は、出品者−落札者間の交換取引の匿名性を維持するためである。
尚、双方が合意に達した場合は、出品者と落札者が基本合意書や交換契約書を直接取り交わすことができ、また、基本合意書を取り交わす過程や瑕疵調査・鑑定評価を省略して、取引照合の後、即座に交換契約書を取り交わすことも可能である。
【００２２】
運営者は、クライアント端末上で表示されるスクリーンに、以下のような取引形態別のセクションを設ける。
（ａ）資産運用商品の直接交換のセクション
当該セクションでは、貸付債権や株式、債券、金銭の信託、預金債権などの金融運用商品、土地や建物、複合不動産、不動産担保証券、不動産投資信託などの不動産運用商品といった資産運用商品の出品に対して入札が実施され、出品者と落札者との間で商品の現物が交換される。
（ｂ）資産運用商品のキャッシュフロー交換のセクション
当該セクションでは、前記資産運用商品の出品に対して入札が実施され、出品者と落札者との間で商品のキャッシュフローが交換される。
（ｃ）資産運用商品の直接交換・キャッシュフロー交換の折衷セクション
当該セクションでは、前記資産運用商品の出品に対して入札が実施され、出品者と落札者との間で、直接交換とキャッシュフロー交換との折衷方式により商品が交換される。
（ｄ）資金調達商品のキャッシュフロー交換のセクション
当該セクションでは、借入債務や株式、債券、コマーシャル・ペーパー、預金債務などの資金調達商品の出品に対して入札が実施され、出品者と落札者との間で商品のキャッシュフローが交換される。
（ｅ）資金取引商品のキャッシュフロー交換のセクション
当該セクションでは、外国為替商品や金融派生商品、不動産派生商品、現物派生商品などの資金取引商品の出品に対して入札が実施され、出品者と落札者との間で商品のキャッシュフローが交換される。
（ｆ）資産運用商品と資金取引商品とのキャッシュフロー交換のセクション
当該セクションでは、前記資産運用商品の出品や前記資金取引商品の出品に対して入札が実施され、出品者と落札者との間で、評価損益を基に商品のキャッシュフローが交換される。
（ｇ）資産・負債の総合管理のセクション
当該セクションでは、資産運用商品の直接交換、資産運用商品のキャッシュフロー交換、資金調達商品のキャッシュフロー交換、資金取引商品のキャッシュフロー交換の種々の組み合わせ出品に対して入札が実施され、出品者と落札者との間で商品の現物やキャッシュフローが交換される。
【００２３】
運営者は、交換取引が最近成立した各種商品の名称・銘柄や種類・属性、諸条件、交換期間、交換成立価額、単位価格商品の場合は交換成立数量などを、また、今後出品が予定されている商品の概要又は詳細を、前記取引形態別のセクションでリアルタイムに表示する。資産運用者や資金調達者、資金取引者は、これらの情報を基に各種交換取引の相場水準や需給バランスを把握し、入札へ参加するタイミングを窺う。尚、成立した交換取引についての詳細は、交換取引の相場水準や需給バランスを本システムの利用者に示すことを目的として公開されるが、交換成立者の個人名・法人名や交換契約の特別条項などの機密情報は基本的に公開されない。
また運営者は、本システムと伝統的な金融・準金融市場との間で利用者が裁定取引を行うための参考データとして、各種金融・準金融商品の約定価額や気配価額、理論価額などを併せてリアルタイムに表示することがある。
【００２４】
スクリーン上で交換取引の相場水準を確認して出品を決意したシステム利用者は、提供希望商品の名称・銘柄や種類・属性、諸条件、入手希望商品の名称・銘柄や種類・属性、諸条件、許容できる交換相手の信用力、希望交換価額、単位価格商品の場合は希望交換数量、希望交換期間、希望する出品期間並びにその自動延長又は早期終了の可否、入札者に対する諸要求などを運営者に告げる。本実施の形態では、提供希望商品のこの段階における情報開示を、出品者による第一次情報開示と呼ぶ。
運営者は、出品者の信用力に問題がないこと、提供希望商品についての告知に虚偽がないこと、希望交換価額が最適な評価方法に基づく公正な評価額であることを確認して出品を承諾。出品者の個人名・法人名は伏せて、前記商品情報を取引形態別のセクションに表示する。提供希望商品に絡む情報の中には、出品者がぎりぎりまで開示を避けたい機密情報もあるが、基本的に第一次情報開示が充実している程、入札者に安心感を与え、より多くの入札者を招聘することが可能になる。尚、出品者が目論見書を利用して入札者を招聘する場合には、出品者の個人名・法人名が当初より開示されることになる。
出品者は運営者へ取引証拠金を振り込み、運営者はそれを出品者別に開設した口座に保管する。取引証拠金の金額は、今回の交換取引における交換希望商品やその希望交換価額、希望交換期間、出品者の信用力、出品者との過去の取引実績などを考慮して運営者が決定する。
【００２５】
前記出品をスクリーン上で確認して入札を決意したシステム利用者は、自分の提供希望商品の名称・銘柄や種類・属性、諸条件、希望交換価額並びに交換差金の希望金額、単位価格商品の場合は希望交換数量、希望交換期間、希望する入札参加のタイミング、出品者に対する諸要求などを運営者に告げる。本実施の形態では、提供希望商品のこの段階における情報開示を、入札者による第一次情報開示と呼ぶ。
運営者は、入札者の信用力に問題がないこと、提供希望商品についての告知に虚偽がないこと、希望交換価額が最適な評価方法に基づく公正な評価額であることを確認して入札を承諾。入札者の個人名・法人名は伏せて、前記商品情報を出品者にフィードバックする。提供希望商品に絡む情報の中には、入札者がぎりぎりまで開示を避けたい機密情報もあるが、基本的に第一次情報開示が充実している程、出品者に安心感を与え、交換の成立する可能性が高まる。
入札者は運営者へ取引証拠金を振り込み、運営者はそれを入札者別に開設した口座に保管する。取引証拠金の金額は、今回の交換取引における交換希望商品やその希望交換価額、希望交換期間、入札者の信用力、入札者との過去の取引実績などを考慮して運営者が決定する。
【００２６】
本実施の形態では、交換希望商品の評価額の大きさや種類・属性などに応じて、一人の出品者に対して複数の入札者がマッチされる場合、複数の出品者に対して一人の入札者がマッチされる場合、及び複数の出品者に対して複数の入札者がマッチされる場合が生じる。即ちこれらの場合には、３者以上の利用者間で交換取引が同時に成立することになる。
また、交換希望商品が複数の資産運用商品である場合、複数の資金調達商品である場合、複数の資金取引商品である場合、もしくは資産運用商品と資金取引商品との抱き合わせである場合、資金調達商品と資金取引商品との抱き合わせである場合、資産運用商品と資金調達商品との抱き合わせである場合、又は資産運用商品及び資金調達商品、資金取引商品の抱き合わせである場合には、それぞれを構成商品に一旦分解して入札を行う方法と、複数商品のキャッシュフローを合成した正味ベースのキャッシュフローを用いて入札を行う方法とがある。
【００２７】
交換希望者［Ａ］が商品［ａ］の提供を希望し、交換希望者［Ｂ］が商品［ｂ］、交換希望者［Ｃ］が商品［ｃ］の提供をそれぞれ希望しており、さらに交換希望者［Ａ］が商品［ｂ］の入手を希望し、交換希望者［Ｂ］が商品［ｃ］、交換希望者［Ｃ］が商品［ａ］の入手をそれぞれ希望して、提供希望と入手希望とが交換希望者間で循環している場合、本システムの運営者は、３者間の同時交換取引をアレンジすることがある。また、４者以上の交換希望者の間で提供希望と入手希望とが循環している場合にも、同時交換取引を実施することがある。
【００２８】
入札方式において、希望交換価額の算定方法や交換差金の金額、希望交換期間、交換希望商品の合成や分解、交換成立のための追加条件、出品期間や入札参加のタイミングなどに関して、出品者−入札者間の交渉が必要な場合は、出品者−運営者間の交渉及び入札者−運営者間の交渉がこれに代わり、基本的に取引の匿名性が維持される。
【００２９】
交換取引が成立しなかった場合、出品者は時期を変えて同じ提供希望商品を再出品できる。その際は、第一次情報開示の情報量、許容できる交換相手の信用力、希望交換価額、単位価格商品の場合は希望交換数量、希望交換期間、提供希望商品の合成や分解の方法、交換成立のための諸条件、入手希望商品の名称・銘柄や種類・属性、諸条件などを事前に見直すことになる。
【００３０】
交換取引が成立した場合、運営者は取引照合を出品者、落札者の双方に対して行う。照合が済んだ段階で運営者は、運営者−出品者間の基本合意書と運営者−落札者間の基本合意書を作成。それぞれが調印する。運営者は取引形態別のマスター合意書を保有しており、成立した交換取引に応じて当該マスター合意書を補正し、それを実際の基本合意書とする。
当該基本合意書には、双方の交換成立商品の名称・銘柄や種類・属性、諸条件、交換取引の形態、交換契約の特別条項、交換期間、交換成立価額、単位価格商品の場合は交換成立数量、交換差金の金額、交換契約書締結までのスケジュール、商品の瑕疵調査や取引価額の鑑定評価の方法、瑕疵調査・鑑定評価を担当する鑑定評価者に関する情報、瑕疵調査・鑑定評価の結果によっては交換契約が変更もしくは無効となる旨、当該基本合意書の有効期限などが盛り込まれる。
【００３１】
基本合意書の調印後、交換成立商品の瑕疵調査や交換成立価額の鑑定評価が行われる。これは、出品者や落札者と利益相反にない鑑定評価者が担当し、入札の出発点だった双方の希望交換価額が公正と呼べるものであったこと、交換成立商品が法律的、倫理的、経済的、物理的及び環境的な問題を孕んでいないことなどが確認される。瑕疵調査・鑑定評価の精度を上げるため、希望交換価額の算定根拠や現存する契約書など、交換成立者は自分が提供した商品に絡む全ての情報を鑑定評価者に提出しなくてはならない。本実施の形態では、交換成立商品のこの段階における情報開示を、出品者及び落札者による第二次情報開示と呼ぶ。尚、交換成立商品が一般的な商品で希望交換価額の公正さが容易に認識できる場合は、本システムの運営者が鑑定評価者を兼任したり、瑕疵調査や鑑定評価の過程そのものが省略されたりすることがある。
第二次情報開示に基づく瑕疵調査・鑑定評価の結果、交換成立商品に瑕疵の認められないことや希望交換価額が公正な評価額であったことが確認された段階で、運営者−出品者間の交換契約と運営者−落札者間の交換契約がそれぞれ締結される。その際、出品者と落札者は、交換成立商品の現物の授受や交換差金の決済、期中のキャッシュフロー交換が完了するまで商品を杜撰に管理しない旨を誓約する。尚、交換契約書は、調印済みの基本合意書を補正して使用される。
瑕疵調査・鑑定評価の結果、交換成立商品に瑕疵が認められた場合、又は希望交換価額が不公正な評価額であったことが判明した場合、鑑定評価者は当該商品の元来の提供者、その交換相手、及び本システムの運営者にその瑕疵内容又は鑑定評価の結果をフィードバックし、元来の提供者と運営者、当該交換相手と運営者が、それぞれ交換成立価額や交換差金の金額、交換期間、交換契約の特別条項などについて再検討を行う。その結果、運営者を仲介に当該提供者と当該交換相手が合意に達した場合は、基本合意書の内容を補正した上で交換契約を締結し、双方が合意に達しなかった場合は交換成立そのものを白紙に戻すことになる。
【００３２】
交換契約書の調印後、運営者は以下の件などに関して管理業務を行う。
（ａ）交換成立商品の現物の授受に介在する。
（ｂ）交換成立者間の交換差金の決済を、本システム上の口座振替処理によって行う。
（ｃ）交換期間中、交換成立者間のキャッシュフローの授受を、本システム上の口座振替処理によって行う。
尚、運営者自身が交換成立者より受け取るサービス提供料や回線使用料は、交換成立者間でキャッシュフローが本システム経由授受される際にその過程で控除する方法と、交換成立者より別途徴収する方法とがある。また、交換成立者間において、キャッシュフローの受取と支払がタイミング的に一致した場合、運営者はこれらを相殺した上で口座振替処理を行う。
（ｄ）交換契約に基づく自由処分権などの各種権利の行使や各種義務の履行において、交換成立者間に生じる事務手続きを行う。
（ｅ）交換契約に絡み、双方の交換成立者が法規の遵守、当局への取引報告、一般への情報開示などを適宜行っているか否かを検査する。また運営者は、必要に応じて、自ら当局への報告や一般への開示などを行う。
（ｆ）交換取引に絡み、リスク管理やキャッシュフロー管理に使えるソフトウェアなどのツールを交換成立者に提供する。
（ｇ）交換期間中、交換当事者が直接的又は間接的に信用リスクをとり合うことになるため、当事者の間に介在する運営者は、信用力格付けや各種財務指標、ビジネスの規模・将来性、市場における認知度などを基に当事者の信用力を把握し、信用力が不十分な場合は、これを補完するため、交換取引の形態や徴収済みの取引証拠金の金額に応じて、現金担保又は債券、株式、受益証券、譲渡性預金、コマーシャル・ペーパーなどの有価証券担保を請求したり、銀行や保険会社、その他保証人による保証を要求したりできる。
また期中、交換取引商品の評価額の変動や、元本・果実の授受の進捗状況などによって、交換相手に対する信用リスクの露出が増減した場合、運営者は、追加担保の請求や追加保証の要求、余剰担保の返還や余剰保証の解除などにより、その都度担保や保証の程度を調節し適正な信用力を維持する。尚、場合によっては、信用力の不足分を、授受するキャッシュフローの金額に反映させることがある。
それでも、交換成立者が契約不履行に陥った場合、運営者は、その交換相手のために債権の保全・回収や法的手続に関し指導的な役割を果たす。
（ｈ）交換成立者が交換契約を解除する場合や、当該契約を第三者へ譲渡する場合などに生じる事務手続きを行う。
（ｉ）本システムの利用者が、交換取引に関連したバナー広告やポップアップ広告などを、他の利用者を対象に本システム上で掲載した場合の広告料、鑑定評価料などの受払を、当事者間の口座振替処理によって行う。
【００３３】
交換の成立を円滑に進めるため、出品者や入札者が運営者に告げる希望交換価額は、公正な評価額でなくてはならない。流動性を備えた価格商品の場合、公正な評価額とは市場価額を指し、証券取引所や派生商品取引所、店頭市場、金融機関間市場、不動産会社間市場などで公表される約定価額や気配価額をいう。
一方、非流動性の価格商品や非価格商品の場合、公正な評価額とは恣意性を排除して合理的に算定される理論価額を指す。理論価額の合理的な算定方法には、類似商品の市場価額に利子率や満期、信用リスクなどの変動要因や個別の商品特性を加味して算定する方法、商品から将来発生するキャッシュフローを利子率などで割り戻して現在価値を算定する方法、市場で認知されている理論値モデルを使用する方法などがある。また、構成部分がそれぞれに市場価額を有している複合商品などの場合には、それらの市場価額を合成して算定する方法がある。
【００３４】
価格商品、非価格商品を問わず、１つの商品に公正な評価額が複数存在する場合、これら複数の評価方法を併用した上で加重平均値などを算定する方法、もしくは、これら複数の評価額の中で最も公正と判断される価額のみを使用する方法により希望交換価額を決定する。
提示される複数の希望交換価額を比較しやすくするために、本システムの運営者は、出品者や入札者がベースの等しい評価方法を採用するよう指導し、交換取引時に運営者へ支払われる交換取引手数料や、交換期間中、持高の維持や権利の行使、義務の履行に要する諸費用、交換終了時に要する諸費用などを予め希望交換価額に含めるか否かといった算定ベースの一本化についても、運営者は指導的な役割を果たす。尚、運営者は、評価額の算定に使えるソフトウェアなどのツールを、本システム経由交換希望者に提供することができる。
【００３５】
本実施の形態では、個々の金融商品や準金融商品の希望交換価額を、例えば以下のような方法で認識又は算定することが求められる。
貸付債権は、債券のように流通市場で売買されている場合、その市場価額をもって希望交換価額とする。非流動性の貸付債権は、その取得価額をもって希望交換価額とすることが可能だが、貸付先の経営状況や財務内容に問題がある場合、信用リスクのランク付けや将来のキャッシュフローの予測などを基に貸倒見積高を算定し、前記取得価額より当該貸倒見積高を控除した金額を希望交換価額とする。
【００３６】
普通預金や定期預金、譲渡性預金などの各種預金は、預入金額をもって希望交換価額とすることが可能である。しかし、預入金額が元利保証の上限を超え、預入先である金融機関の経営状況や財務内容に問題がある場合、信用リスクのランク付けや将来のキャッシュフローの予測などを基に、当該預金が倒産債権となる見積高を算定し、前記預入価額より当該倒産債権見積高を控除した金額を希望交換価額とする。
【００３７】
ファンド型運用商品は、証券投資信託や不動産投資信託、商品ファンドなどに見られる価格商品の場合、市場価額をもって希望交換価額とする。貸付信託や狭義の金銭信託、公社債投資信託などのうち、元本保証や運用方針などによって準預金商品と呼べる商品の場合は、受益権の取得価額をもって希望交換価額とすることが可能である。また媒介体は、基本的にポートフォリオの商品構成や個々の商品の評価額を併せて開示した上で、その運用財産の評価額の総和をもって希望交換価額とする。
【００３８】
非公開株式は、流動性を備えている銘柄の場合、売買が随時行える取引システムなどで公表される約定価額や気配価額を希望交換価額とし、非流動性銘柄の場合は、純資産価額方式や収益力方式、市場株価比較方式などで算定できる理論価額を希望交換価額とする。
純資産価額方式には、帳簿上の純資産価額を用いる簿価純資産法、資産の現在の再調達価格の総和から負債を控除する再調達現価純資産法、資産の現在の売却可能価格の総和から負債を控除する清算価値純資産法などがある。また、収益力方式には、将来の予想利益を資本還元率などで割る収益還元法、将来の予想配当を資本還元率などで割る配当還元法、将来の予想キャッシュフローを資本還元率などで現在価値に割り戻した総和から負債を控除する割引キャッシュフロー法などがある。そして、市場株価比較方式には、配当や利益、純資産価額を照らし合わせて、類似業種に属する複数の上場会社の平均株価から対象会社の株価を算定する類似業種比準法、売上高や利益、純資産価額を照らし合わせて、複数の類似会社の平均株価から対象会社の株価を算定する類似会社比準法などがある。
【００３９】
土地、建物、双方の組み合わせである複合不動産及び区分所有建物は、原価法や取引事例比較法、収益還元法などの評価方法で希望交換価額を算定する。原価法とは不動産の再調達コストを評価額とする方法、取引事例比較法とは他の物件の取引事例に見られる価額を評価額の基準とする方法である。また、ここでいう収益還元法とは、賃料や売却価額といった将来のキャッシュフローを現在価値に割り戻した総和を評価額とする方法である。
一方、不動産を裏付け資産とした貸付債権や不動産担保証券、不動産投資信託の受益権、不動産投資法人が発行する出資証券や投資法人債は、金融運用商品に準じて希望交換価額を算定することができる。
【００４０】
資金調達商品は、将来のキャッシュフローを、信用リスクを加味した利子率などで割り戻して現在価値を算定し、それをもって希望交換価額とすることができる。
【００４１】
外国為替商品や金融派生商品、不動産派生商品、現物派生商品は、上場商品の場合、派生商品取引所や証券取引所で公表される約定値や気配値を用いて評価損益を算定し、それをもって希望交換価額とする。非上場商品の場合は、金融機関間市場や不動産会社間市場などで公表される約定値や気配値を用いる方法、商品の将来のキャッシュフローを、信用リスクを加味した利子率などで割り戻して現在価値を算定する方法、市場で認知されている理論値モデルを使用する方法などで評価損益を算定し、それをもって希望交換価額とする。
【００４２】
実施の形態２．
以下、添付図面を用いて、本発明に係る実施の形態２を説明する。
まず図１は、資産運用商品の直接交換の一実施例であり、同種の金融運用商品が交換対象である場合を示す。
ここでは、資産運用者１が貸付債権１２を保有し、資産運用者２が貸付債権１１を保有していたが、直接交換が成立した結果、資産運用者１は貸付債権１２を譲渡する替わりに貸付債権１１を譲り受け、同時に、資産運用者２は貸付債権１１を譲渡する替わりに貸付債権１２を譲り受けることができた。
同様に、資産運用者３と資産運用者４とが株式１４と株式１３とを、資産運用者５と資産運用者６とが債券１６と債券１５とを、資産運用者７と資産運用者８とが証券投資信託１８と証券投資信託１７とを、また、資産運用者９と資産運用者１０とが預金債権２０と預金債権１９とを、それぞれ直接交換している。
【００４３】
図２は、資産運用商品の直接交換の他の実施例であり、異種の金融運用商品が交換対象である場合を示す。
ここでは、資産運用者１が債券１５を保有し、資産運用者２が貸付債権１１を保有していたが、直接交換が成立した結果、資産運用者１は債券１５を譲渡する替わりに貸付債権１１を譲り受け、同時に、資産運用者２は貸付債権１１を譲渡する替わりに債券１５を譲り受けることができた。
同様に、資産運用者３と資産運用者４とが証券投資信託１７と株式１３とを、資産運用者５と資産運用者６とが株式１４と債券１６とを、資産運用者７と資産運用者８とが預金債権１９と証券投資信託１８とを、また、資産運用者９と資産運用者１０とが貸付債権１２と預金債権２０とを、それぞれ直接交換している。
【００４４】
図３は、資産運用商品の直接交換の他の実施例であり、異種の預金タイプの金融運用商品が交換対象である場合を示す。
ここでは、資産運用者１が貸付信託２３を保有し、資産運用者２が定期預金２１を保有していたが、直接交換が成立した結果、資産運用者１は貸付信託２３を譲渡する替わりに定期預金２１を譲り受け、同時に、資産運用者２は定期預金２１を譲渡する替わりに貸付信託２３を譲り受けることができた。
同様に、資産運用者３と資産運用者４とが公社債投資信託２７と譲渡性預金２５とを、資産運用者５と資産運用者６とが金銭信託２９と公社債投資信託２８とを、資産運用者７と資産運用者８とが定期預金２２と金銭信託３０とを、また、資産運用者９と資産運用者１０とが譲渡性預金２６と貸付信託２４とを、それぞれ直接交換している。
【００４５】
図４は、資産運用商品の直接交換の他の実施例であり、異種の株式タイプの金融運用商品が交換対象である場合を示す。
ここでは、資産運用者１が株式投資信託の受益権３３を保有し、資産運用者２が非公開企業の株式３１を保有していたが、直接交換が成立した結果、資産運用者１は株式投資信託の受益権３３を譲渡する替わりに非公開企業の株式３１を譲り受け、同時に、資産運用者２は非公開企業の株式３１を譲渡する替わりに株式投資信託の受益権３３を譲り受けることができた。
同様に、資産運用者３と資産運用者４とが資産担保出資証券３７とプロジェクト・ファイナンス出資証券３５とを、資産運用者５と資産運用者６とが会社型投資信託の出資証券３９と資産担保出資証券３８とを、資産運用者７と資産運用者８とが非公開企業の株式３２と会社型投資信託の出資証券４０とを、また、資産運用者９と資産運用者１０とがプロジェクト・ファイナンス出資証券３６と株式投資信託の受益権３４とを、それぞれ直接交換している。
【００４６】
図５は、資産運用商品の直接交換の他の実施例であり、同一資金調達者からの異種の株式絡み運用商品が交換対象である場合を示す。
ここでは、資産運用者１が転換株式４３を保有し、資産運用者２が償還株式４１を保有していたが、直接交換が成立した結果、資産運用者１は転換株式４３を譲渡する替わりに償還株式４１を譲り受け、同時に、資産運用者２は償還株式４１を譲渡する替わりに転換株式４３を譲り受けることができた。
同様に、資産運用者３と資産運用者４とが転換社債４５と転換株式４４とを、資産運用者５と資産運用者６とが償還株式４２と株式預託証書４７とを、資産運用者７と資産運用者８とがワラント債４９と転換社債４６とを、また、資産運用者９と資産運用者１０とが株式預託証書４８とワラント債５０とを、それぞれ直接交換している。
【００４７】
図６は、資産運用商品の直接交換の他の実施例であり、同一資金調達者からの求償順位が異なる金融運用商品が交換対象である場合を示す。
ここでは、資産運用者１が劣後貸付債権５３を保有し、資産運用者２が優先債券５１を保有していたが、直接交換が成立した結果、資産運用者１は劣後貸付債権５３を譲渡する替わりに優先債券５１を譲り受け、同時に、資産運用者２は優先債券５１を譲渡する替わりに劣後貸付債権５３を譲り受けることができた。
同様に、資産運用者３と資産運用者４とが劣後株式５５と劣後貸付債権５４とを、資産運用者５と資産運用者６とが普通株式５９と優先株式５７とを、資産運用者７と資産運用者８とが優先債券５２と普通株式６０とを、また、資産運用者９と資産運用者１０とが優先株式５８と劣後株式５６とを、それぞれ直接交換している。
【００４８】
図７は、資産運用商品の直接交換の他の実施例であり、同種の不動産運用商品が交換対象である場合を示す。
ここでは、資産運用者１が土地６２を保有し、資産運用者２が土地６１を保有していたが、直接交換が成立した結果、資産運用者１は土地６２を譲渡する替わりに土地６１を譲り受け、同時に、資産運用者２は土地６１を譲渡する替わりに土地６２を譲り受けることができた。
同様に、資産運用者３と資産運用者４とが建物６４と建物６３とを、資産運用者５と資産運用者６とが複合不動産６６と複合不動産６５とを、資産運用者７と資産運用者８とが不動産担保証券６８と不動産担保証券６７とを、また、資産運用者９と資産運用者１０とが不動産投資信託７０と不動産投資信託６９とを、それぞれ直接交換している。
【００４９】
図８は、資産運用商品の直接交換の他の実施例であり、異種の不動産運用商品が交換対象である場合を示す。
ここでは、資産運用者１が建物６３を保有し、資産運用者２が土地６１を保有していたが、直接交換が成立した結果、資産運用者１は建物６３を譲渡する替わりに土地６１を譲り受け、同時に、資産運用者２は土地６１を譲渡する替わりに建物６３を譲り受けることができた。
同様に、資産運用者３と資産運用者４とが不動産投資信託６９と建物６４とを、資産運用者５と資産運用者６とが不動産担保証券６７と複合不動産６５とを、資産運用者７と資産運用者８とが土地６２と不動産担保証券６８とを、また、資産運用者９と資産運用者１０とが複合不動産６６と不動産投資信託７０とを、それぞれ直接交換している。
【００５０】
図９は、資産運用商品の直接交換の他の実施例であり、同一特別目的会社からの異種の不動産担保商品が交換対象である場合を示す。
ここでは、資産運用者１が特定目的優先貸付債権７３を保有し、資産運用者２が特定劣後社債７１を保有していたが、直接交換が成立した結果、資産運用者１は特定目的優先貸付債権７３を譲渡する替わりに特定劣後社債７１を譲り受け、同時に、資産運用者２は特定劣後社債７１を譲渡する替わりに特定目的優先貸付債権７３を譲り受けることができた。
同様に、資産運用者３と資産運用者４とが転換特定社債７７と特定普通株式７５とを、資産運用者５と資産運用者６とがワラント特定社債７９と転換特定社債７８とを、資産運用者７と資産運用者８とが特定劣後社債７２とワラント特定社債８０とを、また、資産運用者９と資産運用者１０とが特定普通株式７６と特定目的優先貸付債権７４とを、それぞれ直接交換している。
【００５１】
図１０は、資産運用商品の直接交換の他の実施例であり、異業種の商品が交換対象である場合を示す。
ここでは、資産運用者１が建物６３を保有し、資産運用者２が貸付債権１１を保有していたが、直接交換が成立した結果、資産運用者１は建物６３を譲渡する替わりに貸付債権１１を譲り受け、同時に、資産運用者２は貸付債権１１を譲渡する替わりに建物６３を譲り受けることができた。
同様に、資産運用者３と資産運用者４とが土地６１と株式１３とを、資産運用者５と資産運用者６とが複合不動産６５と債券１５とを、資産運用者７と資産運用者８とが不動産投資信託６９と証券投資信託１７とを、また、資産運用者９と資産運用者１０とが不動産担保証券６７と預金債権１９とを、それぞれ直接交換している。
【００５２】
図１１は、資産運用商品の直接交換の他の実施例であり、異種又は異業種のファンド型運用商品や媒介体が交換対象である場合を示す。
ここでは、資産運用者１が指定金外信託８３を保有し、資産運用者２が特定金銭信託８１を保有していたが、直接交換が成立した結果、資産運用者１は指定金外信託８３を譲渡する替わりに特定金銭信託８１を譲り受け、同時に、資産運用者２は特定金銭信託８１を譲渡する替わりに指定金外信託８３を譲り受けることができた。
同様に、資産運用者３と資産運用者４とが不動産投資信託６９と指定金外信託８４とを、資産運用者５と資産運用者６とが特定金銭信託８２と商品ファンド８５とを、資産運用者７と資産運用者８とがファンド型私募債券８７と不動産投資信託７０とを、また、資産運用者９と資産運用者１０とが商品ファンド８６とファンド型私募債券８８とを、それぞれ直接交換している。
【００５３】
図１２は、資産運用商品の直接交換の他の実施例であり、商品を抱き合わせで交換する場合を示す。
ここでは、資産運用者１が『貸付債権１１及び債券１５』を保有し、資産運用者２が『株式１３及び証券投資信託１７』を保有していたが、直接交換が成立した結果、資産運用者１は『貸付債権１１及び債券１５』を抱き合わせで譲渡する替わりに、『株式１３及び証券投資信託１７』を抱き合わせで譲り受け、同時に、資産運用者２は『株式１３及び証券投資信託１７』を抱き合わせで譲渡する替わりに、『貸付債権１１及び債券１５』を抱き合わせで譲り受けることができた。
同様に、資産運用者３と資産運用者４とが『複合不動産６５単独』と『不動産担保証券６７及び不動産投資信託６９の抱き合わせ』とを、また、資産運用者５と資産運用者６とが『証券投資信託１８及び不動産投資信託７０の抱き合わせ』と『株式１４及び土地６１、建物６３の抱き合わせ』とを、それぞれ直接交換している。
【００５４】
図１３は、資産運用商品の直接交換の他の実施例であり、商品を３者で交換する場合を示す。
左図では、資産運用者１が債券１５を保有し、資産運用者２が債券１６を保有していたが、直接交換が成立した結果、資産運用者１は債券１５を譲渡する替わりに債券１６を譲り受け、同時に、資産運用者２は債券１６を譲渡する替わりに債券１５を譲り受けることができた。
次に、債券１６を譲り受けた資産運用者１が債券８９を保有する資産運用者３と直接交換を成立させ、その結果、資産運用者１は債券１６を譲渡する替わりに債券８９を譲り受け、同時に、資産運用者３は債券８９を譲渡する替わりに債券１６を譲り受けることができた。
左図は２つの段階を経て３者による直接交換が成立しているが、本実施例では、これを同時に成立させることも可能である。右図では、資産運用者４が債券９０を保有し、資産運用者５が債券９１、資産運用者６が債券９２をそれぞれ保有していたが、３者による同時直接交換が成立した結果、資産運用者４は債券９０を譲渡する替わりに債券９２を譲り受け、資産運用者５は債券９１を譲渡する替わりに債券９０を譲り受け、また、資産運用者６は債券９２を譲渡する替わりに債券９１を譲り受けることができた。
【００５５】
図１４は、資産運用商品の直接交換における資金の流れと課金の仕組みの一実施例である。
図中［１］は、直接交換が成立した結果、資産運用者である出品者９４が資産運用者である落札者９５へ交換差金を支払う。
［２］は、出品者９４や落札者９５、入札者９６、交換希望者９７、鑑定評価者９８が本システムの運営者９３へサービス提供料や回線使用料などを支払う。
［３］は、出品者９４及び落札者９５が鑑定評価者９８へ鑑定評価料を支払う。
［４］は、広告主９９が本システムの運営者９３へバナー広告やポップアップ広告掲載のための広告料を支払う。
【００５６】
次に図１５は、資産運用商品のキャッシュフロー交換の一実施例であり、異種の金融運用商品が交換対象である場合を示す。
ここでは、資産運用者１が貸付債権１１を保有し、資産運用者２が債券１５を保有しているが、キャッシュフロー交換が成立した結果、資産運用者１は『貸付債権１１からのキャッシュフロー』を譲渡する替わりに『債券１５からのキャッシュフロー』を譲り受け、同時に、資産運用者２は『債券１５からのキャッシュフロー』を譲渡する替わりに『貸付債権１１からのキャッシュフロー』を譲り受けることができた。
同様に、資産運用者３と資産運用者４とが『株式１３からのキャッシュフロー』と『証券投資信託１７からのキャッシュフロー』とを、資産運用者５と資産運用者６とが『債券１６からのキャッシュフロー』と『株式１４からのキャッシュフロー』とを、資産運用者７と資産運用者８とが『証券投資信託１８からのキャッシュフロー』と『預金債権１９からのキャッシュフロー』とを、また、資産運用者９と資産運用者１０とが『預金債権２０からのキャッシュフロー』と『貸付債権１２からのキャッシュフロー』とを、それぞれ交換している。
【００５７】
図１６は、資産運用商品のキャッシュフロー交換の他の実施例であり、異種の不動産運用商品が交換対象である場合を示す。
ここでは、資産運用者１が土地６１を保有し、資産運用者２が建物６３を保有しているが、キャッシュフロー交換が成立した結果、資産運用者１は『土地６１からのキャッシュフロー』を譲渡する替わりに『建物６３からのキャッシュフロー』を譲り受け、同時に、資産運用者２は『建物６３からのキャッシュフロー』を譲渡する替わりに『土地６１からのキャッシュフロー』を譲り受けることができた。
同様に、資産運用者３と資産運用者４とが『建物６４からのキャッシュフロー』と『不動産投資信託６９からのキャッシュフロー』とを、資産運用者５と資産運用者６とが『複合不動産６５からのキャッシュフロー』と『不動産担保証券６７からのキャッシュフロー』とを、資産運用者７と資産運用者８とが『不動産担保証券６８からのキャッシュフロー』と『土地６２からのキャッシュフロー』とを、また、資産運用者９と資産運用者１０とが『不動産投資信託７０からのキャッシュフロー』と『複合不動産６６からのキャッシュフロー』とを、それぞれ交換している。
【００５８】
図１７は、資産運用商品のキャッシュフロー交換の他の実施例であり、異業種の商品が交換対象である場合を示す。
ここでは、資産運用者１が貸付債権１１を保有し、資産運用者２が建物６３を保有しているが、キャッシュフロー交換が成立した結果、資産運用者１は『貸付債権１１からのキャッシュフロー』を譲渡する替わりに『建物６３からのキャッシュフロー』を譲り受け、同時に、資産運用者２は『建物６３からのキャッシュフロー』を譲渡する替わりに『貸付債権１１からのキャッシュフロー』を譲り受けることができた。
同様に、資産運用者３と資産運用者４とが『株式１３からのキャッシュフロー』と『土地６１からのキャッシュフロー』とを、資産運用者５と資産運用者６とが『債券１５からのキャッシュフロー』と『複合不動産６５からのキャッシュフロー』とを、資産運用者７と資産運用者８とが『証券投資信託１７からのキャッシュフロー』と『不動産投資信託６９からのキャッシュフロー』とを、また、資産運用者９と資産運用者１０とが『預金債権１９からのキャッシュフロー』と『不動産担保証券６７からのキャッシュフロー』とを、それぞれ交換している。
【００５９】
図１８は、資産運用商品のキャッシュフロー交換の他の実施例であり、異種又は異業種のファンド型運用商品や媒介体が交換対象である場合を示す。
ここでは、資産運用者１が特定金銭信託８１を保有し、資産運用者２が指定金外信託８３を保有しているが、キャッシュフロー交換が成立した結果、資産運用者１は『特定金銭信託８１からのキャッシュフロー』を譲渡する替わりに『指定金外信託８３からのキャッシュフロー』を譲り受け、同時に、資産運用者２は『指定金外信託８３からのキャッシュフロー』を譲渡する替わりに『特定金銭信託８１からのキャッシュフロー』を譲り受けることができた。
同様に、資産運用者３と資産運用者４とが『指定金外信託８４からのキャッシュフロー』と『不動産投資信託６９からのキャッシュフロー』とを、資産運用者５と資産運用者６とが『商品ファンド８５からのキャッシュフロー』と『特定金銭信託８２からのキャッシュフロー』とを、資産運用者７と資産運用者８とが『不動産投資信託７０からのキャッシュフロー』と『ファンド型私募債券８７からのキャッシュフロー』とを、また、資産運用者９と資産運用者１０とが『ファンド型私募債券８８からのキャッシュフロー』と『商品ファンド８６からのキャッシュフロー』とを、それぞれ交換している。
【００６０】
図１９は、資産運用商品のキャッシュフロー交換の他の実施例であり、商品のキャッシュフローを抱き合わせで交換する場合を示す。
ここでは、資産運用者１が『株式１３及び証券投資信託１７』を保有し、資産運用者２が『貸付債権１１及び債券１５』を保有しているが、キャッシュフロー交換が成立した結果、資産運用者１は『株式１３及び証券投資信託１７からのキャッシュフロー』を抱き合わせで譲渡する替わりに、『貸付債権１１及び債券１５からのキャッシュフロー』を抱き合わせで譲り受け、同時に、資産運用者２は『貸付債権１１及び債券１５からのキャッシュフロー』を抱き合わせで譲渡する替わりに、『株式１３及び証券投資信託１７からのキャッシュフロー』を抱き合わせで譲り受けることができた。
同様に、資産運用者３と資産運用者４とが、『複合不動産６５単独からのキャッシュフロー』と『不動産担保証券６７及び不動産投資信託６９の抱き合わせからのキャッシュフロー』とを、また、資産運用者５と資産運用者６とが、『株式１４及び土地６１、建物６３の抱き合わせからのキャッシュフロー』と『証券投資信託１８及び不動産投資信託７０の抱き合わせからのキャッシュフロー』とを、それぞれ交換している。
【００６１】
図２０は、資産運用商品のキャッシュフロー交換の他の実施例であり、商品のキャッシュフローを３者で交換する場合を示す。
左図では、資産運用者１が債券１５を保有し、資産運用者２が債券１６を保有しているが、キャッシュフロー交換が成立した結果、資産運用者１は『債券１５からのキャッシュフロー』を譲渡する替わりに『債券１６からのキャッシュフロー』を譲り受け、同時に、資産運用者２は『債券１６からのキャッシュフロー』を譲渡する替わりに『債券１５からのキャッシュフロー』を譲り受けることができた。
次に、『債券１６からのキャッシュフロー』を譲り受けた資産運用者１が、債券８９を保有する資産運用者３とキャッシュフロー交換を成立させ、その結果、資産運用者１は『債券１６からのキャッシュフロー』を譲渡する替わりに『債券８９からのキャッシュフロー』を譲り受け、同時に、資産運用者３は『債券８９からのキャッシュフロー』を譲渡する替わりに『債券１６からのキャッシュフロー』を譲り受けることができた。
左図は２つの段階を経て３者によるキャッシュフロー交換が成立しているが、本実施例では、これを同時に成立させることも可能である。右図では、資産運用者４が債券９０を保有し、資産運用者５が債券９１、資産運用者６が債券９２をそれぞれ保有しているが、３者によるキャッシュフローの同時交換が成立した結果、資産運用者４は『債券９０からのキャッシュフロー』を譲渡する替わりに『債券９２からのキャッシュフロー』を譲り受け、資産運用者５は『債券９１からのキャッシュフロー』を譲渡する替わりに『債券９０からのキャッシュフロー』を譲り受け、また、資産運用者６は『債券９２からのキャッシュフロー』を譲渡する替わりに『債券９１からのキャッシュフロー』を譲り受けることができた。
【００６２】
図２１は、資産運用商品のキャッシュフロー交換の他の実施例であり、異種又は異業種の商品の評価損益を交換する場合を示す。
ここでは、資産運用者１が貸付債権１１を保有し、資産運用者２が不動産担保証券６７を保有しているが、評価益部分のキャッシュフロー交換が成立した結果、資産運用者１は貸付債権１１の評価益を譲渡する替わりに不動産担保証券６７の評価益を譲り受け、同時に、資産運用者２は不動産担保証券６７の評価益を譲渡する替わりに貸付債権１１の評価益を譲り受けることができた。
同様に、資産運用者３と資産運用者４とが株式１３の評価損と複合不動産６５の評価損とを、資産運用者５と資産運用者６とが証券投資信託１７の評価益と不動産投資信託６９の評価益とを、資産運用者７と資産運用者８とが特定金銭信託８１の評価損と指定金外信託８３の評価損とを、また、資産運用者９と資産運用者１０とがファンド型私募債券８７の評価益と商品ファンド８５の評価益とを、それぞれキャッシュフロー交換している。
【００６３】
図２２は、資産運用商品のキャッシュフロー交換における資金の流れと課金の仕組みの一実施例である。
図中［２］は、資産運用者である出品者９４や資産運用者である落札者９５、入札者９６、交換希望者９７、鑑定評価者９８が本システムの運営者９３へサービス提供料や回線使用料などを支払う。
［３］は、出品者９４及び落札者９５が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者９４と落札者９５との間で、交換差金や資産運用商品のキャッシュフローの授受が行われる。
［６］は、出品者９４及び落札者９５が資産運用商品から受け取っている既存のキャッシュフローである。
【００６４】
さらに図２３は、直接交換とキャッシュフロー交換との折衷方式による資産運用商品の交換の一実施例であり、異業種の商品が交換対象である場合を示す。
ここでは、資産運用者１が貸付債権１１を保有し、資産運用者２が建物６３を保有していたが、キャッシュフロー交換と直接交換との折衷方式による交換が成立した結果、資産運用者１は、貸付債権１１からのキャッシュフローを譲渡する替わりに建物６３を直接譲り受け、同時に資産運用者２は、建物６３を直接譲渡する替わりに貸付債権１１からのキャッシュフローを譲り受けることができた。
同様に、資産運用者３と資産運用者４とが土地６１からのキャッシュフローと株式１３の現物とを、資産運用者５と資産運用者６とが債券１５からのキャッシュフローと複合不動産６５の現物とを、資産運用者７と資産運用者８とが不動産投資信託６９からのキャッシュフローと証券投資信託１７の現物とを、また、資産運用者９と資産運用者１０とが預金債権１９からのキャッシュフローと不動産担保証券６７の現物とを、それぞれキャッシュフロー交換と直接交換との折衷方式によって交換している。
【００６５】
図２４は、直接交換とキャッシュフロー交換との折衷方式による資産運用商品の交換における資金の流れと課金の仕組みの一実施例である。
図中［１］は、交換取引が成立した結果、資産運用者である落札者９５が資産運用者である出品者９４へ交換差金を支払う。
［２］は、出品者９４や落札者９５、入札者９６、交換希望者９７、鑑定評価者９８が本システムの運営者９３へサービス提供料や回線使用料などを支払う。
［３］は、出品者９４及び落札者９５が鑑定評価者９８へ鑑定評価料を支払う。
［４］は、広告主９９が本システムの運営者９３へバナー広告やポップアップ広告掲載のための広告料を支払う。
［５］は、交換取引が成立した結果、出品者９４が落札者９５へ資産運用商品のキャッシュフローを提供する。
［６］は、出品者９４が資産運用商品から受け取っている既存のキャッシュフローである。
【００６６】
また図２５は、資金調達商品のキャッシュフロー交換の一実施例であり、同種の金融調達商品が交換対象である場合を示す。
ここでは、資金調達者１００が資産運用者１からの借入債務１１０を抱え、資金調達者１０１が資産運用者２からの借入債務１１１を抱えているが、キャッシュフロー交換が成立した結果、資金調達者１００は『借入債務１１１のキャッシュフロー』を引き受ける替わりに『借入債務１１０のキャッシュフロー』を引き渡し、同時に、資金調達者１０１は『借入債務１１０のキャッシュフロー』を引き受ける替わりに『借入債務１１１のキャッシュフロー』を引き渡すことができた。
同様に、資金調達者１０２と資金調達者１０３とが、『資産運用者３保有の株式１１２のキャッシュフロー』と『資産運用者４保有の株式１１３のキャッシュフロー』とを、資金調達者１０４と資金調達者１０５とが、『資産運用者５保有の債券１１４のキャッシュフロー』と『資産運用者６保有の債券１１５のキャッシュフロー』とを、資金調達者１０６と資金調達者１０７とが、『資産運用者７保有のコマーシャル・ペーパー１１６のキャッシュフロー』と『資産運用者８保有のコマーシャル・ペーパー１１７のキャッシュフロー』とを、また、資金調達者１０８と資金調達者１０９とが、『資産運用者９からの預金債務１１８のキャッシュフロー』と『資産運用者１０からの預金債務１１９のキャッシュフロー』とを、それぞれ交換している。
尚、本実施の形態における各種図面において、交換当事者となる資金調達者の既存の持高で相手方を務めている資産運用者は、実際の商品によって一人である場合と複数である場合とがある。
【００６７】
図２６は、資金調達商品のキャッシュフロー交換の他の実施例であり、異種の金融調達商品が交換対象である場合を示す。
ここでは、資金調達者１００が資産運用者１保有のコマーシャル・ペーパー１１６を抱えており、資金調達者１０１が資産運用者２からの借入債務１１０を抱えているが、キャッシュフロー交換が成立した結果、資金調達者１００は『借入債務１１０のキャッシュフロー』を引き受ける替わりに『コマーシャル・ペーパー１１６のキャッシュフロー』を引き渡し、同時に、資金調達者１０１は『コマーシャル・ペーパー１１６のキャッシュフロー』を引き受ける替わりに『借入債務１１０のキャッシュフロー』を引き渡すことができた。
同様に、資金調達者１０２と資金調達者１０３とが、『資産運用者３からの借入債務１１１のキャッシュフロー』と『資産運用者４保有の株式１１２のキャッシュフロー』とを、資金調達者１０４と資金調達者１０５とが、『資産運用者５保有の株式１１３のキャッシュフロー』と『資産運用者６保有の債券１１４のキャッシュフロー』とを、資金調達者１０６と資金調達者１０７とが、『資産運用者７からの預金債務１１８のキャッシュフロー』と『資産運用者８保有のコマーシャル・ペーパー１１７のキャッシュフロー』とを、また、資金調達者１０８と資金調達者１０９とが、『資産運用者９保有の債券１１５のキャッシュフロー』と『資産運用者１０からの預金債務１１９のキャッシュフロー』とを、それぞれ交換している。
【００６８】
図２７は、資金調達商品のキャッシュフロー交換の他の実施例であり、商品のキャッシュフローを抱き合わせで交換する場合を示す。
ここでは、資金調達者１００が『資産運用者１からの優先借入債務１２２及び資産運用者２保有の優先債券１２３』を抱え、資金調達者１０１が『資産運用者３からの劣後借入債務１２４及び資産運用者４保有の劣後債券１２５』を抱えているが、キャッシュフロー交換が成立した結果、資金調達者１００は『劣後借入債務１２４及び劣後債券１２５のキャッシュフロー』を抱き合わせで引き受ける替わりに、『優先借入債務１２２及び優先債券１２３のキャッシュフロー』を抱き合わせで引き渡し、同時に、資金調達者１０１は『優先借入債務１２２及び優先債券１２３のキャッシュフロー』を抱き合わせで引き受ける替わりに、『劣後借入債務１２４及び劣後債券１２５のキャッシュフロー』を抱き合わせで引き渡すことができた。
同様に、資金調達者１０２と資金調達者１０３とが、『資産運用者５保有の中期債券１２６単独のキャッシュフロー』と『資産運用者６保有の長期債券１２７及び資産運用者７保有の短期債券１２８の抱き合わせのキャッシュフロー』とを、また、資金調達者１０４と資金調達者１０５とが、『資産運用者８からの定期預金１２９及び資産運用者９からの譲渡性預金１３０、資産運用者１０からのコール・マネー１３１の抱き合わせのキャッシュフロー』と『資産運用者１２０からの長期借入債務１３２及び資産運用者１２１保有のコマーシャル・ペーパー１１６の抱き合わせのキャッシュフロー』とを、それぞれ交換している。
【００６９】
図２８は、資金調達商品のキャッシュフロー交換の他の実施例であり、商品のキャッシュフローを３者で交換する場合を示す。
左図では、資金調達者１００が資産運用者１からの借入債務１１０を抱え、資金調達者１０１が資産運用者２からの借入債務１１１を抱えているが、キャッシュフロー交換が成立した結果、資金調達者１００は『借入債務１１１のキャッシュフロー』を引き受ける替わりに『借入債務１１０のキャッシュフロー』を引き渡し、同時に、資金調達者１０１は『借入債務１１０のキャッシュフロー』を引き受ける替わりに『借入債務１１１のキャッシュフロー』を引き渡すことができた。
次に、『借入債務１１１のキャッシュフロー』を引き受けた資金調達者１００が、資産運用者３からの借入債務１３３を抱える資金調達者１０２とキャッシュフロー交換を成立させ、その結果、資金調達者１００は『借入債務１３３のキャッシュフロー』を引き受ける替わりに『借入債務１１１のキャッシュフロー』を引き渡し、同時に、資金調達者１０２は『借入債務１１１のキャッシュフロー』を引き受ける替わりに『借入債務１３３のキャッシュフロー』を引き渡すことができた。
左図は２つの段階を経て３者によるキャッシュフロー交換が成立しているが、本実施例では、これを同時に成立させることも可能である。右図では、資金調達者１０３が資産運用者４からの借入債務１３４を抱え、資金調達者１０４が資産運用者５からの借入債務１３５、資金調達者１０５が資産運用者６からの借入債務１３６をそれぞれ抱えているが、３者によるキャッシュフローの同時交換が成立した結果、資金調達者１０３は『借入債務１３６のキャッシュフロー』を引き受ける替わりに『借入債務１３４のキャッシュフロー』を引き渡し、資金調達者１０４は『借入債務１３４のキャッシュフロー』を引き受ける替わりに『借入債務１３５のキャッシュフロー』を引き渡し、また、資金調達者１０５は『借入債務１３５のキャッシュフロー』を引き受ける替わりに『借入債務１３６のキャッシュフロー』を引き渡すことができた。
【００７０】
図２９は、資金調達商品のキャッシュフロー交換における資金の流れと課金の仕組みの一実施例である。
図中［２］は、資金調達者である出品者１３７や資金調達者である落札者１３８、入札者９６、交換希望者９７、鑑定評価者９８が本システムの運営者９３へサービス提供料や回線使用料などを支払う。
［３］は、出品者１３７及び落札者１３８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者１３７と落札者１３８との間で、交換差金や資金調達商品のキャッシュフローの授受が行われる。
［６］は、出品者１３７及び落札者１３８が資産運用者へ支払っている既存のキャッシュフローである。
【００７１】
そして図３０は、資金取引商品のキャッシュフロー交換の一実施例であり、同種の外国為替商品や金融派生商品、不動産派生商品、現物派生商品が交換対象である場合を示す。
ここでは、資金取引者１３９が資金取引者１４１との為替直物取引１５９で評価益を保有し、資金取引者１４０が資金取引者１４２との為替直物取引１６０で評価益を保有しているが、キャッシュフロー交換が成立した結果、資金取引者１３９は為替直物取引１５９の評価益を譲渡する替わりに為替直物取引１６０の評価益を譲り受け、同時に、資金取引者１４０は為替直物取引１６０の評価益を譲渡する替わりに為替直物取引１５９の評価益を譲り受けることができた。
同様に、資金取引者１４３と資金取引者１４４とが、『資金取引者１４５との金利先渡取引１６１で抱えている評価損』と『資金取引者１４６との金利先渡取引１６２で抱えている評価損』とを、資金取引者１４７と資金取引者１４８とが、『資金取引者１４９との不動産投資指数先物取引１６３で保有している評価益』と『資金取引者１５０との不動産投資指数先物取引１６４で保有している評価益』とを、資金取引者１５１と資金取引者１５２とが、『資金取引者１５３との株価指数オプション取引１６５で抱えている評価損』と『資金取引者１５４との株価指数オプション取引１６６で抱えている評価損』とを、また、資金取引者１５５と資金取引者１５６とが、『資金取引者１５７との商品先物オプション取引１６７で保有している評価益』と『資金取引者１５８との商品先物オプション取引１６８で保有している評価益』とを、それぞれキャッシュフロー交換している。
尚、本実施の形態における各種図面において、交換当事者となる資金取引者の既存の持高で相手方を務めている他の資金取引者は、実際の商品によって一人である場合と複数である場合とがある。また、資金取引商品のうち派生商品取引所や証券取引所に上場している商品では、各々の取引所が資金取引者の相手方を務めているが、実質的には個々の資金取引者が取引所を経由し他の一人又は複数の資金取引者と持高を対峙させているため、本実施の形態における各種図面では、相手方を他の資金取引者として表示した。
【００７２】
図３１は、資金取引商品のキャッシュフロー交換の他の実施例であり、同種のスワップ商品が交換対象である場合を示す。
ここでは、資金取引者１３９が資金取引者１４１との金利スワップ取引１６９で評価益を保有し、資金取引者１４０が資金取引者１４２との金利スワップ取引１７０で評価益を保有しているが、キャッシュフロー交換が成立した結果、資金取引者１３９は金利スワップ取引１６９の評価益を譲渡する替わりに金利スワップ取引１７０の評価益を譲り受け、同時に、資金取引者１４０は金利スワップ取引１７０の評価益を譲渡する替わりに金利スワップ取引１６９の評価益を譲り受けることができた。
同様に、資金取引者１４３と資金取引者１４４とが、『資金取引者１４５との通貨スワップ取引１７１で抱えている評価損』と『資金取引者１４６との通貨スワップ取引１７２で抱えている評価損』とを、資金取引者１４７と資金取引者１４８とが、『資金取引者１４９との金利通貨スワップ取引１７３で保有している評価益』と『資金取引者１５０との金利通貨スワップ取引１７４で保有している評価益』とを、資金取引者１５１と資金取引者１５２とが、『資金取引者１５３との株価スワップ取引１７５で抱えている評価損』と『資金取引者１５４との株価スワップ取引１７６で抱えている評価損』とを、また、資金取引者１５５と資金取引者１５６とが、『資金取引者１５７との商品価格スワップ取引１７７で保有している評価益』と『資金取引者１５８との商品価格スワップ取引１７８で保有している評価益』とを、それぞれキャッシュフロー交換している。
【００７３】
図３２は、資金取引商品のキャッシュフロー交換の他の実施例であり、異種又は異業種の商品が交換対象である場合を示す。
ここでは、資金取引者１３９が資金取引者１４１との金利通貨スワップ取引１７３で評価益を保有し、資金取引者１４０が資金取引者１４２との為替直物取引１５９で評価益を保有しているが、キャッシュフロー交換が成立した結果、資金取引者１３９は金利通貨スワップ取引１７３の評価益を譲渡する替わりに為替直物取引１５９の評価益を譲り受け、同時に、資金取引者１４０は為替直物取引１５９の評価益を譲渡する替わりに金利通貨スワップ取引１７３の評価益を譲り受けることができた。
同様に、資金取引者１４３と資金取引者１４４とが、『資金取引者１４５との金利スワップ取引１６９で抱えている評価損』と『資金取引者１４６との金利先渡取引１６１で抱えている評価損』とを、資金取引者１４７と資金取引者１４８とが、『資金取引者１４９との通貨スワップ取引１７１で保有している評価益』と『資金取引者１５０との不動産投資指数先物取引１６３で保有している評価益』とを、資金取引者１５１と資金取引者１５２とが、『資金取引者１５３との株価スワップ取引１７５で抱えている評価損』と『資金取引者１５４との株価指数オプション取引１６５で抱えている評価損』とを、また、資金取引者１５５と資金取引者１５６とが、『資金取引者１５７との商品価格スワップ取引１７７で保有している評価益』と『資金取引者１５８との商品先物オプション取引１６７で保有している評価益』とを、それぞれキャッシュフロー交換している。
【００７４】
図３３は、資金取引商品のキャッシュフロー交換の他の実施例であり、商品のキャッシュフローを抱き合わせで交換する場合を示す。
左図では、資金取引者１３９が資金取引者１４１との株価スワップ取引１７５で評価損を抱え、資金取引者１４０が資金取引者１４２との株価指数オプション取引１６５で評価益、資金取引者１４３との金利先物取引１７９で評価損をそれぞれ抱えて合計では評価損となっているが、キャッシュフロー交換が成立した結果、資金取引者１３９は『株価スワップ取引１７５の評価損』を引き渡す替わりに、『株価指数オプション取引１６５の評価益及び金利先物取引１７９の評価損』を抱き合わせで引き受け、同時に、資金取引者１４０は『株価指数オプション取引１６５の評価益及び金利先物取引１７９の評価損』を抱き合わせで引き渡す替わりに、『株価スワップ取引１７５の評価損』を引き受けることになった。
右図では、資金取引者１４４が資金取引者１４６との為替先物取引１８０で評価益、資金取引者１４７との金利スワップ取引１６９で評価益、資金取引者１４８との債券先物オプション取引１８１では評価損をそれぞれ抱えて合計では評価益となり、資金取引者１４５が資金取引者１４９との通貨オプション取引１８２で評価損、資金取引者１５０との通貨スワップ取引１７１では評価益を保有して合計では評価益となっているが、キャッシュフロー交換が成立した結果、資金取引者１４４は『為替先物取引１８０の評価益及び金利スワップ取引１６９の評価益、債券先物オプション取引１８１の評価損』を抱き合わせで譲渡する替わりに、『通貨オプション取引１８２の評価損及び通貨スワップ取引１７１の評価益』を抱き合わせで譲り受け、同時に、資金取引者１４５は『通貨オプション取引１８２の評価損及び通貨スワップ取引１７１の評価益』を抱き合わせで譲渡する替わりに、『為替先物取引１８０の評価益及び金利スワップ取引１６９の評価益、債券先物オプション取引１８１の評価損』を抱き合わせで譲り受けることになった。
【００７５】
図３４は、資金取引商品のキャッシュフロー交換の他の実施例であり、商品のキャッシュフローを３者で交換する場合を示す。
左図では、資金取引者１３９が資金取引者１４２との金利通貨スワップ取引１７３で評価益を保有し、資金取引者１４０が資金取引者１４３とのスワップション取引１８３で評価益を保有しているが、キャッシュフロー交換が成立した結果、資金取引者１３９は金利通貨スワップ取引１７３の評価益を譲渡する替わりにスワップション取引１８３の評価益を譲り受け、同時に、資金取引者１４０はスワップション取引１８３の評価益を譲渡する替わりに金利通貨スワップ取引１７３の評価益を譲り受けることができた。
次に、スワップション取引１８３の評価益を譲り受けた資金取引者１３９が、資金取引者１４４とのスワップション取引１８４で評価益を保有する資金取引者１４１とキャッシュフロー交換を成立させ、その結果、資金取引者１３９はスワップション取引１８３の評価益を譲渡する替わりにスワップション取引１８４の評価益を譲り受け、同時に、資金取引者１４１はスワップション取引１８４の評価益を譲渡する替わりにスワップション取引１８３の評価益を譲り受けることができた。
左図は２つの段階を経て３者によるキャッシュフロー交換が成立しているが、本実施例では、これを同時に成立させることも可能である。右図では、資金取引者１４５が資金取引者１４８との金利通貨スワップ取引１７４で評価益を保有し、資金取引者１４６が資金取引者１４９とのスワップション取引１８５で評価益、資金取引者１４７が資金取引者１５０とのスワップション取引１８６で評価益をそれぞれ保有しているが、３者によるキャッシュフローの同時交換が成立した結果、資金取引者１４５は金利通貨スワップ取引１７４の評価益を譲渡する替わりにスワップション取引１８６の評価益を譲り受け、資金取引者１４６はスワップション取引１８５の評価益を譲渡する替わりに金利通貨スワップ取引１７４の評価益を譲り受け、また、資金取引者１４７はスワップション取引１８６の評価益を譲渡する替わりにスワップション取引１８５の評価益を譲り受けることができた。
【００７６】
図３５は、資金取引商品のキャッシュフロー交換における資金の流れと課金の仕組みの一実施例である。
図中［２］は、資金取引者である出品者１８７や資金取引者である落札者１８８、入札者９６、交換希望者９７、鑑定評価者９８が本システムの運営者９３へサービス提供料や回線使用料などを支払う。
［３］は、出品者１８７及び落札者１８８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者１８７と落札者１８８との間で、交換差金や資金取引商品のキャッシュフローの授受が行われる。
［６］は、出品者１８７及び落札者１８８が他の資金取引者と対峙している既存の持高である。
【００７７】
次に図３６は、資産運用商品と資金取引商品とのキャッシュフロー交換の一実施例であり、異種又は異業種の商品の評価損益を交換する場合を示す。
ここでは、資産運用者１が株式１３の評価益を保有し、資金取引者１３９が資金取引者１４０との株価スワップ取引１７５で評価益を保有しているが、キャッシュフロー交換が成立した結果、資産運用者１は株式１３の評価益を譲渡する替わりに株価スワップ取引１７５の評価益を譲り受け、同時に、資金取引者１３９は株価スワップ取引１７５の評価益を譲渡する替わりに株式１３の評価益を譲り受けることができた。
同様に、資産運用者２と資金取引者１４１とが、『複合不動産６５の評価損』と『資金取引者１４２との不動産投資指数先物取引１６３で抱えている評価損』とを、資産運用者３と資金取引者１４３とが、『貸付債権１１の評価益』と『資金取引者１４４との金利先渡取引１６１で保有している評価益』とを、資産運用者４と資金取引者１４５とが、『債券１５の評価損』と『資金取引者１４６との通貨スワップ取引１７１で抱えている評価損』とを、また、資産運用者５と資金取引者１４７とが、『商品ファンド８５の評価益』と『資金取引者１４８との為替直物取引１５９で保有している評価益』とを、それぞれキャッシュフロー交換している。
【００７８】
図３７は、評価損益による資産運用商品と資金取引商品とのキャッシュフロー交換における資金の流れと課金の仕組みの一実施例である。
図中［２］は、資産運用者である出品者９４や資金取引者である落札者１８８、入札者９６、交換希望者９７、鑑定評価者９８が本システムの運営者９３へサービス提供料や回線使用料などを支払う。
［３］は、出品者９４及び落札者１８８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者９４と落札者１８８との間で、交換差金やキャッシュフローの授受が行われる。
［６］は、出品者９４が資産運用商品から受け取っている既存のキャッシュフロー、及び落札者１８８が他の資金取引者と対峙している既存の持高である。
【００７９】
さらに図３８は、資産運用商品と資金取引商品との抱き合わせによるキャッシュフロー交換の一実施例であり、資産運用者同士が資産運用商品の総体もしくは評価損益と資金取引商品の評価損益とを抱き合わせで交換する場合を示す。
左図では、資産運用者１が『貸付債権１１』及び『資金取引者１３９との金利スワップ取引１６９における評価益』を保有し、資産運用者２が『複合不動産６５』及び『資金取引者１４０との不動産投資指数先物取引１６３における評価益』を保有しているが、キャッシュフロー交換が成立した結果、資産運用者１は『貸付債権１１からのキャッシュフロー』と『金利スワップ取引１６９の評価益』とを抱き合わせで譲渡する替わりに、『複合不動産６５からのキャッシュフロー』と『不動産投資指数先物取引１６３の評価益』とを抱き合わせで譲り受け、同時に、資産運用者２は『複合不動産６５からのキャッシュフロー』と『不動産投資指数先物取引１６３の評価益』とを抱き合わせで譲渡する替わりに、『貸付債権１１からのキャッシュフロー』と『金利スワップ取引１６９の評価益』とを抱き合わせで譲り受けることができた。
右図では、資産運用者３が『株式１３の評価益』及び『資金取引者１４１との個別株オプション取引１８９における評価損』を抱え、資産運用者４が『預金債権１９の評価損』及び『資金取引者１４２との通貨スワップ取引１７１における評価益』を抱えているが、キャッシュフロー交換が成立した結果、資産運用者３は『株式１３の評価益』と『個別株オプション取引１８９の評価損』とを抱き合わせで引き渡す替わりに、『預金債権１９の評価損』と『通貨スワップ取引１７１の評価益』とを抱き合わせで引き受け、同時に、資産運用者４は『預金債権１９の評価損』と『通貨スワップ取引１７１の評価益』とを抱き合わせで引き渡す替わりに、『株式１３の評価益』と『個別株オプション取引１８９の評価損』とを抱き合わせで引き受けることになった。
【００８０】
図３９は、資産運用商品と資金取引商品との抱き合わせによるキャッシュフロー交換における資金の流れと課金の仕組みの一実施例である。
図中［２］は、資産運用者である出品者９４や資産運用者である落札者９５、入札者９６、交換希望者９７、鑑定評価者９８が本システムの運営者９３へサービス提供料や回線使用料などを支払う。
［３］は、出品者９４及び落札者９５が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者９４と落札者９５との間で、交換差金やキャッシュフローの授受が行われる。
［６］は、出品者９４及び落札者９５が資産運用商品から受け取っている既存のキャッシュフロー及び資金取引者と対峙している既存の持高である。
【００８１】
また図４０は、資金調達商品と資金取引商品との抱き合わせによるキャッシュフロー交換の一実施例であり、資金調達者同士が資金調達商品と資金取引商品の評価損益とを抱き合わせで交換する場合を示す。
左図では、資金調達者１００が『資産運用者１保有の債券１１４』及び『資金取引者１３９との金利通貨スワップ取引１７３における評価益』を抱え、資金調達者１０１が『資産運用者２からの借入債務１１０』及び『資金取引者１４０とのカラー取引１９０における評価益』を抱えているが、キャッシュフロー交換が成立した結果、資金調達者１００は『借入債務１１０のキャッシュフロー』を引き受けて『金利通貨スワップ取引１７３の評価益』を譲渡する替わりに、『債券１１４のキャッシュフロー』を引き渡して『カラー取引１９０の評価益』を譲り受け、同時に、資金調達者１０１は『債券１１４のキャッシュフロー』を引き受けて『カラー取引１９０の評価益』を譲渡する替わりに、『借入債務１１０のキャッシュフロー』を引き渡して『金利通貨スワップ取引１７３の評価益』を譲り受けることができた。
右図では、資金調達者１０２が『資産運用者３からの預金債務１１８』及び『資金取引者１４１とのキャップ取引１９１における評価損』を抱え、資金調達者１０３が『資産運用者４保有のコマーシャル・ペーパー１１６』及び『資金取引者１４２との金利スワップ取引１６９における評価損』を抱えているが、キャッシュフロー交換が成立した結果、資金調達者１０２は『コマーシャル・ペーパー１１６のキャッシュフロー』を引き受けて『キャップ取引１９１の評価損』を引き渡す替わりに、『預金債務１１８のキャッシュフロー』を引き渡して『金利スワップ取引１６９の評価損』を引き受け、同時に、資金調達者１０３は『預金債務１１８のキャッシュフロー』を引き受けて『金利スワップ取引１６９の評価損』を引き渡す替わりに、『コマーシャル・ペーパー１１６のキャッシュフロー』を引き渡して『キャップ取引１９１の評価損』を引き受けることになった。
【００８２】
図４１は、資金調達商品と資金取引商品との抱き合わせによるキャッシュフロー交換における資金の流れと課金の仕組みの一実施例である。
図中［２］は、資金調達者である出品者１３７や資金調達者である落札者１３８、入札者９６、交換希望者９７、鑑定評価者９８が本システムの運営者９３へサービス提供料や回線使用料などを支払う。
［３］は、出品者１３７及び落札者１３８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者１３７と落札者１３８との間で、交換差金やキャッシュフローの授受が行われる。
［６］は、出品者１３７及び落札者１３８が資産運用者へ支払っている既存のキャッシュフロー及び資金取引者と対峙している既存の持高である。
【００８３】
そして図４２は、資産運用商品と資金調達商品との抱き合わせによるキャッシュフロー交換の一実施例であり、資金取引者同士が資金調達商品と資産運用商品の総体とを抱き合わせで交換する場合を示す。
左図では、資金取引者１３９が『資産運用者１からの借入債務１１０』を抱えて『貸付債権１１』を保有し、資金取引者１４０が『資産運用者２保有の債券１１４』を抱えて『不動産投資信託６９』を保有しているが、キャッシュフロー交換が成立した結果、資金取引者１３９は『債券１１４のキャッシュフロー』を引き受けて『貸付債権１１からのキャッシュフロー』を譲渡する替わりに、『借入債務１１０のキャッシュフロー』を引き渡して『不動産投資信託６９からのキャッシュフロー』を譲り受け、同時に、資金取引者１４０は『借入債務１１０のキャッシュフロー』を引き受けて『不動産投資信託６９からのキャッシュフロー』を譲渡する替わりに、『債券１１４のキャッシュフロー』を引き渡して『貸付債権１１からのキャッシュフロー』を譲り受けることができた。
右図では、資金取引者１４１が『資産運用者３保有のコマーシャル・ペーパー１１６』を抱えて『株式１３』を保有し、資金取引者１４２が『資産運用者４からの預金債務１１８』を抱えて『コール・ローン１９２』を保有しているが、キャッシュフロー交換が成立した結果、資金取引者１４１は『預金債務１１８のキャッシュフロー』を引き受けて『株式１３からのキャッシュフロー』を譲渡する替わりに、『コマーシャル・ペーパー１１６のキャッシュフロー』を引き渡して『コール・ローン１９２からのキャッシュフロー』を譲り受け、同時に、資金取引者１４２は『コマーシャル・ペーパー１１６のキャッシュフロー』を引き受けて『コール・ローン１９２からのキャッシュフロー』を譲渡する替わりに、『預金債務１１８のキャッシュフロー』を引き渡して『株式１３からのキャッシュフロー』を譲り受けることができた。
【００８４】
図４３は、資産運用商品と資金調達商品との抱き合わせによるキャッシュフロー交換における資金の流れと課金の仕組みの一実施例である。
図中［２］は、資金取引者である出品者１８７や資金取引者である落札者１８８、入札者９６、交換希望者９７、鑑定評価者９８が本システムの運営者９３へサービス提供料や回線使用料などを支払う。
［３］は、出品者１８７及び落札者１８８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者１８７と落札者１８８との間で、交換差金やキャッシュフローの授受が行われる。
［６］は、出品者１８７及び落札者１８８が資産運用者へ支払っている既存のキャッシュフロー及び資産運用商品から受け取っている既存のキャッシュフローである。
【００８５】
次に図４４は、資産運用商品及び資金調達商品、資金取引商品の抱き合わせによるキャッシュフロー交換の一実施例であり、資金取引者同士が資産運用商品の総体及び資金調達商品、資金取引商品の評価損益を抱き合わせで交換する場合を示す。
ここでは、資金取引者１３９が、『資産運用者１保有の債券１１４』及び『資金取引者１４１との金利通貨スワップ取引１７３における評価損』を抱えて『株式１３』を保有し、資金取引者１４０が、『資産運用者２からの借入債務１１０』及び『資金取引者１４２との不動産投資指数先物取引１６３における評価損』を抱えて『複合不動産６５』を保有している。
キャッシュフロー交換が成立した結果、資金取引者１３９は『借入債務１１０のキャッシュフローを引き受け、金利通貨スワップ取引１７３の評価損を引き渡し、株式１３からのキャッシュフローを譲渡する』替わりに、『債券１１４のキャッシュフローを引き渡し、不動産投資指数先物取引１６３の評価損を引き受け、複合不動産６５からのキャッシュフローを譲り受け』、同時に、資金取引者１４０は『債券１１４のキャッシュフローを引き受け、不動産投資指数先物取引１６３の評価損を引き渡し、複合不動産６５からのキャッシュフローを譲渡する』替わりに、『借入債務１１０のキャッシュフローを引き渡し、金利通貨スワップ取引１７３の評価損を引き受け、株式１３からのキャッシュフローを譲り受ける』ことになった。
【００８６】
図４５は、資産運用商品及び資金調達商品、資金取引商品の抱き合わせによるキャッシュフロー交換における資金の流れと課金の仕組みの一実施例である。
図中［２］は、資金取引者である出品者１８７や資金取引者である落札者１８８、入札者９６、交換希望者９７、鑑定評価者９８が本システムの運営者９３へサービス提供料や回線使用料などを支払う。
［３］は、出品者１８７及び落札者１８８が鑑定評価者９８へ鑑定評価料を支払う。
［４］は、広告主９９が本システムの運営者９３へバナー広告やポップアップ広告掲載のための広告料を支払う。
［５］は、キャッシュフロー交換が成立した結果、出品者１８７と落札者１８８との間で、交換差金やキャッシュフローの授受が行われる。
［６］は、出品者１８７及び落札者１８８が資産運用者へ支払っている既存のキャッシュフロー及び他の資金取引者と対峙している既存の持高、資産運用商品から受け取っている既存のキャッシュフローである。
【００８７】
さらに図４６は、資産運用商品の直接交換、資産運用商品のキャッシュフロー交換、資金調達商品のキャッシュフロー交換、資金取引商品のキャッシュフロー交換の種々の組み合わせにより、正味ベースで交換取引を行う場合の主な取引形態である。
図中（ａ）は、『資産運用商品及び資金取引商品の抱き合わせ』を『資産運用商品』と交換取引する。
（ｂ）は、『資金調達商品及び資金取引商品の抱き合わせ』を『資金調達商品』と交換取引する。
（ｃ）は、『資産運用商品及び資金調達商品の抱き合わせ』を『資産運用商品』と交換取引する。
（ｄ）は、『資産運用商品及び資金調達商品の抱き合わせ』を『資金調達商品』と交換取引する。
（ｅ）は、『資産運用商品及び資金調達商品の抱き合わせ』を『資金取引商品』と交換取引する。
（ｆ）は、『資産運用商品及び資金取引商品、資金調達商品の抱き合わせ』を『資産運用商品』と交換取引する。
（ｇ）は、『資産運用商品及び資金取引商品、資金調達商品の抱き合わせ』を『資金調達商品』と交換取引する。
（ｈ）は、『資産運用商品及び資金取引商品、資金調達商品の抱き合わせ』を『資金取引商品』と交換取引する。
（ｉ）は、『資産運用商品及び資金取引商品、資金調達商品の抱き合わせ』を『資産運用商品及び資金取引商品の抱き合わせ』と交換取引する。
（ｊ）は、『資産運用商品及び資金取引商品、資金調達商品の抱き合わせ』を『資金調達商品及び資金取引商品の抱き合わせ』と交換取引する。
（ｋ）は、『資産運用商品及び資金取引商品、資金調達商品の抱き合わせ』を『資産運用商品及び資金調達商品の抱き合わせ』と交換取引する。
【００８８】
実施の形態３．
ところで、これまで述べてきた実施例の情報技術的な側面を、ブロック図である図４７を用いてさらに詳細に説明する。
まず本システムは、インターネット１９３上に配置され、金融商品や準金融商品の各種交換取引市場を提供する金融商品等交換取引サイト１９４（以下、サイト１９４）と、これらの市場において資産運用や資金調達、資金取引を目的とした各種交換取引を行うための複数のクライアント端末１９５より構成されている。
当該クライアント端末１９５を利用するのは、資産運用者や資金調達者、資金取引者などであり、これらのシステム利用者は、自らのクライアント端末１９５から前記サイト１９４へアクセスすることによって各種交換取引をマッチング・ベースで成立させ、それらの交換取引に付随する各種業務を行うことができる。
本サイト１９４は、クライアント端末１９５からの各種交換希望商品の注文を順次処理し、交換取引に関する決済・管理業務を順次行い、交換取引に必要な様々なデータをクライアント端末１９５へ適宜配信するためのものであり、１台以上の金融商品等交換取引サーバ１９６（以下、サーバ１９６）、支援端末１９７、クライアント情報データベース１９８、交換商品データベース１９９、契約管理データベース２００、決済管理データベース２０１、評価者情報データベース２０２、及びこれらを接続する母線を備えている。
尚、本システムでは、国内外を問わず１日２４時間、各種交換取引の執行から取引照合、決済に至るまでの過程を継ぎ目なく電子処理するため、電文形式についてはＩＳＯ１５０２２、証券識別コード及び金融機関識別コードに関しては、それぞれＩＳＯ６１６６及びＩＳＯ９３６２を用い、また通信規約には例えばＦＩＸ、さらに電文の記述言語としては拡張可能マーク付け言語（ＸＭＬ）を使用する。
【００８９】
本サーバ１９６は、１台以上のワークステーション内の１つ以上の中央処理装置やメモリに格納された１つ以上のプログラムの実行などによって実現し、ウェブ・サーバとしての機能とデータベース・サーバとしての機能を兼ね備えている。前者は、インターネット１９３を介し、各クライアント端末１９５からのアクセスを受け付けて認証処理を行い、利用者に対するインタフェース画面を形成する各種ウェブページをクライアント端末１９５へ提供し、さらにクライアント端末１９５との間で情報を遣り取りするウェブ制御機能である。また後者は、クライアント情報データベース１９８や交換商品データベース１９９、契約管理データベース２００、決済管理データベース２０１、評価者情報データベース２０２へアクセスしてデータを検索し、読み出し、さらに書き込むデータベース制御機能である。そして、これらのデータベースは、ワークステーション内のメモリや１つ以上のハードディスク装置などに格納されている。
支援端末１９７は、本システムの運営者が本サーバ１９６や各データベースを管理するための端末である。運営者は支援端末１９７を用いて全てのクライアント端末１９５の交換取引や付随業務の実施状況を監視し、支援端末１９７の電子メール機能を利用して各クライアント端末１９５との間でメッセージを遣り取りすることができる。
クライアント端末１９５は、パーソナル・コンピュータや液晶表示装置を備えた携帯電話機、携帯情報端末、ページャなどの装置であり、制御部２０３や表示部２０４、入力部２０５、通信部２０６などから構成されている。制御部２０３は、処理装置や記憶装置などを備えて交換取引用のブラウザを含む動作プログラムを記憶。表示部２０４及び入力部２０５は、様々なデータや諸要求をそれぞれ表示、入力し、通信部２０６はインターネット１９３上の他の装置と通信を行う。そして利用者は、クライアント端末１９５の電子メール機能を利用し、運営者や他のクライアント端末１９５との間でメッセージを遣り取りすることができる。
【００９０】
交換商品データベース１９９は、交換取引の対象である資産運用商品や資金調達商品、資金取引商品の名称・銘柄や種類・属性、諸条件などを登録し、商品別の交換注文の詳細やマッチングの結果、さらには、各種権利の行使や各種義務の履行など交換取引に絡む期中のイベント情報を履歴とともに登録する。
契約管理データベース２００は、電子署名が付与された各種契約書及びそれらの原型となる電子マスター契約書、電子署名が付与された各種目論見書及びそれらの原型となる電子マスター目論見書、並びに当局への各種報告書、一般への各種開示書及びそれらの原型となる電子マスター報告・開示書などを格納し、書類作成処理の進行に従い発生する様々なデータを履歴とともに格納する。
決済管理データベース２０１は、本システムの利用者の資金口座番号や証券口座番号などを登録し、利用者間の資金口座振替処理や証券口座振替処理に従い発生する様々なデータを履歴とともに登録する。
評価者情報データベース２０２は、鑑定評価者より収集した彼らのプロフィールや評価料体系に関する自己紹介資料、及び鑑定評価者が作成した個別の交換対象商品に絡む参考・提案資料を格納する。当該プロフィールには、鑑定評価者の株主構成や関係会社、人的資源に関する情報が含まれる。
そして、クライアント情報データベース１９８は以下の情報を記憶する。
（ａ）本システムの利用者の個人名及び／又は法人名、法人の場合は個人の所属部署名、電子メール番地を含む連絡先、識別子、合言葉。
（ｂ）交換取引者の信用力格付けや株価格付け、各種財務諸表・財務指標。
（ｃ）交換取引者が資産運用者である場合は運用方針・運用目標、資金調達者である場合は調達方針・調達目標、また、資金取引者である場合は取引方針・取引目標。
（ｄ）交換取引者が利用を希望する鑑定評価者の種類・属性。
（ｅ）交換取引者が受信を希望する参考・提案資料の種類・属性。
尚、前記識別子とは、各利用者に割り当てられるコード番号・名前であり、前記合言葉とは、本サーバ１９６へアクセスする際に要求される認証情報である。本サーバ１９６は識別子によってアクセス者を識別し、識別子と合言葉との組み合わせによってアクセス者を認証する。
【００９１】
ところで、本システムにおける交換需要のマッチングの手法には入札方式と相対方式とがある。
入札方式は、交換取引の相手方となる資産運用者、資金調達者又は資金取引者が当初より特定されず、基本的に需給バランスの原理で注文がマッチされる場合、出品側の氏名及び出品行為が当初より開示されながらも入札側は当初より特定されず、仮条件をベースとして基本的に需給バランスの原理で注文がマッチされる場合などに利用される。入札方式は、認知度の高い商品が交換対象である際に有効である。尚、本実施の形態では、前者の入札方式を『両端不特定のマッチ方式』といい、後者の入札方式を『片端特定のマッチ方式』と呼ぶ。
一方、相対方式は、交換取引の相手方を当初より特定もしくは限定し、需給バランスの原理が直接的には作用しない環境下で注文がマッチされる場合などに利用される。同方式は、複数商品の抱き合わせ、キャッシュフローの複雑な資金調達商品や資金取引商品が交換対象である際に有効である。尚、本実施の形態では、この相対方式を『両端特定のマッチ方式』と呼ぶ。
【００９２】
前記『片端特定のマッチ方式』の場合、出品を希望する交換希望者（以下、出品者）は、まず、自らのクライアント端末１９５の制御部２０３にある動作プログラムを起動して、本サイト１９４との間の接続を確立する。次に、本サーバ１９６がログ・イン用のトップページを出品者のクライアント端末１９５へ送信。出品者はここに識別子と合言葉を入力して本サーバ１９６へ送信する。
そして、これを受信した本サーバ１９６はクライアント情報データベース１９８へアクセスし、識別子と合言葉との組み合わせが登録されているか否かを判断。登録されていた場合に、『交換取引参加』、『交換取引交渉』、『契約書照会』、『資金口座照会』、『証券口座照会』、『評価者資料閲覧』、『相場情報総覧』又は『イベント通知』を選択できるメニューページを出品者へ送信する。ここで出品者は『交換取引参加』を選択し、本サーバ１９６は交換注文の詳細を入力するための発注ページを出品者へ送信する。
次に出品者は、受信した発注ページにおいて、自らが提供を希望する資産運用商品、資金調達商品又は資金取引商品（以下、出品商品）の名称・銘柄、種類・属性、諸条件、希望提供価額、及び出品商品が単位価格商品である場合は希望提供数量、入札を経て自らが入手を希望する資産運用商品、資金調達商品又は資金取引商品（以下、入札商品）の名称・銘柄、種類・属性、諸条件、希望入手価額、及び入札商品が単位価格商品である場合は希望入手数量、希望交換期間、許容できる交換相手の信用力、交換相手に対する諸要求、並びに希望する出品期間及びその自動延長又は早期終了の可否を入力・指定し、前記希望提供価額と前記希望入手価額との差額即ち交換差金の希望金額（仮条件）を指定。この注文内容を確認した上で本サーバ１９６へ送信する。尚、仮条件は、具体的な１本値による表示でも、上下限を記したレンジ表示でもよく、出品者の任意である。
本サーバ１９６は、出品者からの交換注文を受信し、これを交換商品データベース１９９上の出品表に登録して、この登録内容を通知する受注ページを出品者へ送信。出品者は、この受注ページで自らの注文内容を確認する。
【００９３】
ここで本サーバ１９６は、クライアント情報データベース１９８へアクセスし、そこに記憶されているシステム利用者の資産運用、資金調達もしくは資金取引についての方針及び目標、又は業種や信用力格付け、株価格付け、財務データなど利用者の属性情報を検索。出品者の前記注文内容に沿った交換希望者を特定する。そして本システムの運営者は、注文内容を基に仮目論見書を作成し、これを電子文書フォーマット・ファイルなどへ変換した上で、支援端末１９７経由、前記特定した交換希望者へ一斉に配信する。尚、配信先の絞り込みが不要な場合には、全ての交換希望者へ当該仮目論見書を配信する。
次に、この仮目論見書を受信して出品商品が自分の入手希望商品である点、及び入札商品が自分の提供希望商品である点を確認して、入札への参加を決意した交換希望者（以下、入札者）は、自らの発注ページにおいて両商品を指定し、出品者に対する諸要求、指値注文と成行注文の別、入札商品が単位価格商品である場合は自らの入札数量、また指値注文の際は、前記仮条件を参考に交換差金の希望金額を入力・指定。この注文内容を確認した上で本サーバ１９６へ送信する。
そして本サーバ１９６は、入札者からの交換注文を受信し、これを交換商品データベース１９９上の入札表に登録して、この登録内容を通知する受注ページを入札者へ送信。入札者は、この受注ページで自らの注文内容を確認する。
尚、ここでいう交換差金とは、交換取引が成立した段階で個々の落札者が出品者との間で受払する金銭のことではなく、落札側全体が出品者との間で受払する金銭のことを指す。よって、落札者が複数存在する場合には、確定した交換差金の金額を落札者の個々の落札数量に応じ案分した上で、出品者との間で受払することになる。ところで、入札者が指定する交換差金の希望金額は仮条件を無視した水準であっても構わないが、一般的に、仮条件に沿った水準である程、落札できる可能性が高まる。
【００９４】
本サーバ１９６は、以下のような処理によって出品者の交換需要と入札者の交換需要とをマッチさせる。
まず、入札者の成行注文に関しては、入札者の希望提供数量の全てを出品者の希望入手数量の範囲内で落札させる。また、入札者の指値注文に関しては、交換差金の希望金額が仮条件の範囲内である注文、及び交換差金の希望金額が出品者寄りであるが故に仮条件の範囲外となっている注文を抽出し、交換差金の希望金額が出品者寄りである順番にそれらを落札させていく。
次に本サーバ１９６は、落札の内容を交換商品データベース１９９に登録し、このデータに基づいて、出品表及び入札表の残数量を更新する。そして本サーバ１９６は、入札商品の落札数量がさらに蓄積され、その合計数量が出品者の希望入手数量に到達した段階において、落札された注文の中で最も入札者寄りであった交換差金の希望金額を確定条件とし、これを以って当該交換取引を成立させる。
交換取引が成立した時点で本システムの運営者は、交換差金の確定金額を含む落札内容を記載した落札通知書を前記仮目論見書の補正によって作成。支援端末１９７経由、出品者及び落札者へ送信し、双方がこれを最終確認することで取引照合が終了する。この際、落札者が複数存在する場合には、確定した交換差金の金額が落札者の個々の落札数量に応じて案分され、この金額がそれぞれの落札者へと通知される。また、出品商品が単位価格商品であった場合は、入札商品に関する落札者の個々の落札数量に応じて出品数量が案分され、この数量がそれぞれの落札者へと通知される。
その後、鑑定評価者を利用しない場合には、当該落札通知書が最終目論見書としての機能を果たし、鑑定評価者を利用する場合には、同評価者による交換成立商品の瑕疵調査や交換差金の確定金額の鑑定評価を経て、当該落札通知書が最終目論見書へと補正されることになる。
尚、以上は、出品側−落札側間の交換差金の金額を最終的に１本値とする交換取引を記述したものであるが、出品商品と入札商品がともに単位価格商品である場合には、数量に関する両商品間の交換比率を事前に定め、マッチの都度、交換差金の金額を落札者毎に異なったものとするなどして、より出品者寄りの注文から細かく落札していく手法も可能である。
【００９５】
前記『両端不特定のマッチ方式』の場合、交換希望者は発注ページにおいて、自らが提供を希望する資産運用商品、資金調達商品又は資金取引商品の名称・銘柄、種類・属性、諸条件、希望提供価額、及び同商品が単位価格商品である場合は希望提供数量、自らが入手を希望する資産運用商品、資金調達商品又は資金取引商品の名称・銘柄、種類・属性、諸条件、希望入手価額、及び同商品が単位価格商品である場合は希望入手数量、提供希望商品と入手希望商品がともに単位価格商品である場合は商品間の交換比率、希望交換期間、交換相手に対する諸要求、指値注文と成行注文の別、並びにその注文の有効期間及びその自動延長又は早期終了の可否を指定・入力し、さらに指値注文の場合は、前記希望提供価額と前記希望入手価額との差額即ち交換差金の希望金額を指定し、この注文内容を確認した上で本サーバ１９６へ送信する。
本サーバ１９６は、交換希望者からの注文を受信して交換商品データベース１９９上の交換注文表に登録。そして、これらの登録内容を通知する受注ページを交換希望者へ送信し、交換希望者はこの受注ページで自らの注文内容を確認する。
【００９６】
本サーバ１９６は、以下のような処理によって、対峙した交換需要をマッチさせる。
まず、成行注文、指値注文の別を問わず、交換注文表に登録された提供希望商品及び入手希望商品が、それぞれ入手希望商品及び提供希望商品である交換注文同士を突き合わせる。また、両商品が単位価格商品である場合は、提供−入手の合致のみならず、交換比率が合致する交換注文同士を突き合わせる。
次に、登録されている交換注文が成行注文である場合は、その希望提供数量及び希望入手数量に見合うだけの他注文の希望入手数量及び希望提供数量をそれぞれマッチさせる。また、登録されている交換注文が指値注文である場合は、交換差金の希望金額が最も交換相手寄りの交換注文同士を抽出し交換取引が成立するか否かを判別。成立可能であれば、両注文の間で交換を成立させる。また、交換差金の希望金額の間に乖離があり交換取引を直接成立させることができない場合には、双方の中間値を交換差金の約定金額とすることなどが可能である。
次に本サーバ１９６は、成立した取引の内容を交換商品データベース１９９に登録し、このデータに基づいて、交換注文表の残数量を更新する。即ち、全数量の交換取引が成立した場合には双方の交換注文を交換注文表より削除し、部分的に交換取引が成立した場合には交換注文の残数量を交換注文表に掲載し続けることになる。
また本サーバ１９６は、交換取引が成立した時点で、交換差金の約定金額を含む交換商品の詳細を記載した約定通知書を支援端末１９７経由、双方の交換成立者へ送信。双方がこれを最終確認することで取引照合が終了する。
【００９７】
ところで、相対方式即ち前述の『両端特定のマッチ方式』の場合、特定のシステム利用者との交換取引を希望する資産運用者、資金調達者又は資金取引者（以下、依頼元）が、メニューページの『交換取引交渉』を選択し、本サーバ１９６は相対交渉の詳細を入力するための相対交渉ページを依頼元へ送信する。
次に依頼元は、受信した相対交渉ページにおいて、交渉相手となる資産運用者、資金調達者もしくは資金取引者（以下、依頼先）を１者に特定する情報、又は業種や信用力格付け、株価格付け、財務データなどを基に依頼先を特定の複数者に絞り込む情報、さらに、依頼先に希望する具体的な条件として、自らの提供希望商品の名称・銘柄、種類・属性、諸条件、希望提供価額、及び同商品が単位価格商品である場合は希望提供数量、自らの入手希望商品の名称・銘柄、種類・属性、諸条件、希望入手価額、及び同商品が単位価格商品である場合は希望入手数量、希望交換期間、依頼先に対する諸要求、そして、前記希望提供価額と前記希望入手価額との差額即ち交換差金の希望金額を指定・入力し、これを本サーバ１９６へ送信する。
【００９８】
依頼元が依頼先を個別に指定していた場合、本サーバ１９６は、依頼元より受信した相対交渉ページを当該依頼先の電子メール番地へ、依頼元の識別子を付与して送信する。一方、依頼元が依頼先の選定に関し条件を指定していた場合、本サーバ１９６は、クライアント情報データベース１９８が記憶しているシステム利用者の業種や信用力格付け、株価格付け、財務データなどの情報を基に、前記条件を満たす全てのシステム利用者の電子メール番地へ、依頼元の識別子を付与して相対交渉ページを配信する。また依頼元が、前記条件を満たす候補者の中から依頼先を個別に選択したい場合、本サーバ１９６は、全候補者の氏名を依頼元にフィードバックし依頼元に依頼先を選択させた上で、当該依頼先に相対交渉ページを送信する。
次に依頼先の方は、当該相対交渉ページを受信して依頼元の要求内容を確認。それに対するスタンスとして『成立』、『不成立』又は『交渉』の何れかを選択し、これを依頼元へ返信する。
これらの選択肢の中から、依頼先が『不成立』を選択した場合、交換取引は当然成立しない。一方、依頼先が『成立』を選択した場合、交換取引が成立したことは、依頼元に加え本サーバ１９６へも通知される。そして『交渉』を選択した場合、依頼先は、自らの提供希望商品の名称・銘柄、種類・属性、諸条件、希望提供価額、及び同商品が単位価格商品である場合は希望提供数量、自らの入手希望商品の名称・銘柄、種類・属性、諸条件、希望入手価額、及び同商品が単位価格商品である場合は希望入手数量、希望交換期間、そして、交換差金の希望金額を逆提案することができる。この時、依頼先（以下、新依頼元）は、受信済みの相対交渉ページを返信用に変換し、このページ上で希望交換内容を修正。新しい要求として依頼元（以下、新依頼先）へ返信する。このようにして、新依頼先と新依頼元は相対交換取引の接点を模索していくことになる。
尚、上述の実施例では、双方の接点が確立されるまでの過程に本サーバ１９６が関与しているが、依頼元が電子メール機能を利用して依頼先と直接相対交渉を始め、取引の結果のみを双方又は一方が本サーバ１９６へ通知するようにしてもよい。
【００９９】
契約管理データベース２００には、資産運用商品を対象とした直接交換、一般的なキャッシュフロー交換、評価益によるキャッシュフロー交換、評価損によるキャッシュフロー交換及び直接交換とキャッシュフロー交換との折衷方式による交換、資金調達商品を対象としたキャッシュフロー交換、資金取引商品を対象とした評価益によるキャッシュフロー交換及び評価損によるキャッシュフロー交換、資産運用商品−資金取引商品間の評価益によるキャッシュフロー交換及び評価損によるキャッシュフロー交換、これらの交換取引の応用形態である各種抱き合わせ交換、並びに交換契約の第三者への譲渡及び期中解約に対応する商品別の電子マスター契約書が格納されている。
ここにいう電子マスター契約書とは、それぞれの取引形態や取引商品の種類・属性において一般的である諸項目（以下、一般項目）や諸条件（以下、一般条件）が記述された入力データを、電子書式と組み合わせて作成した電子書類のことを指す。そして電子書式とは、通常の紙ベースの契約書用書式を電子データとしたものであり、具体的な契約内容や契約者の住所・氏名を入力するための領域及び契約者の電子署名を付与するための領域から構成されている。
本システムにおける電子マスター契約書では、電子書式内の所定の記載枠に一般項目や一般条件が入力されながらも、個別の交換契約によって異なる諸項目（以下、追加項目）や諸条件（以下、追加条件）を入力する領域や、契約当事者となる交換取引者及び本システムの運営者が住所・氏名を入力し電子署名を付与する領域が空白になっている。
【０１００】
本実施の形態における基本合意書では、取引照合が済んだ段階で、本サーバ１９６が交換商品データベース１９９へアクセスし、そこに登録されている該当商品の名称・銘柄や諸条件、交換期間、交換成立価額、単位価格商品の場合は交換成立数量、交換差金の金額、交換契約書締結までのスケジュール、商品の瑕疵調査や取引価額の鑑定評価の方法、瑕疵調査や鑑定評価を担当する鑑定評価者に関する情報、当該基本合意書の有効期限といった追加項目や追加条件を読み出し、それを前記電子マスター契約書の空白領域に書き込む。
この後、入札方式によって成立した交換取引では、運営者−出品者間の基本合意書及び運営者−落札者間の基本合意書内の空白領域に各々が住所・氏名を入力し電子署名を付与することで、２つの合意書が発効する。実際には、追加項目や追加条件が書き込まれて運営者が電子署名した基本合意書を、本サーバ１９６が出品者及び落札者へ、それぞれ支援端末１９７経由送信。次に、電子署名を済ませた出品者及び落札者が当該基本合意書をそれぞれ本サーバ１９６へ返信し、本サーバ１９６がこれを契約管理データベース２００に格納する。
一方、相対方式によって成立した交換取引では、交換成立者間の基本合意書内の空白領域に双方が住所・氏名を入力し電子署名を付与することで当該合意書が発効する。実際には、追加項目や追加条件が書き込まれた基本合意書を、本サーバ１９６が一方の交換成立者へ支援端末１９７経由送信し、それを受信した当該交換成立者が電子署名を付与して本サーバ１９６へ返信。次に本サーバ１９６は、これを他方の交換成立者へ送信し、それを受信した当該交換成立者が電子署名を付与して本サーバ１９６へ返信する。そして、この調印済みの基本合意書を本サーバ１９６が契約管理データベース２００に格納する。
【０１０１】
当事者間の最終的な契約書となる交換契約書は、この基本合意書を補正して使用される。即ち、瑕疵調査・鑑定評価の結果に基づき、電子マスター契約書の空白領域に入力されていた追加項目や追加条件についての補正を本システムの運営者が行い、補正後の契約書に当事者がそれぞれ住所・氏名を入力し電子署名を付与することで当該契約書が発効。そして、この調印済みの契約書を本サーバ１９６が契約管理データベース２００に格納する。
ところで、交換期間に当事者が自らの交換契約を第三者へ譲渡する場合の手続きや自らの交換契約を解除する場合の手続きも、譲渡用や解除用の電子マスター契約書を用いて同様に行われる。また、譲渡性預金以外の預金債権や貸付債権、土地、建物、複合不動産といった非有価証券の直接交換において、小口化のための特別目的会社や信託、組合といった導管体を関与させることが困難な場合は、提供者によるこれら非有価証券の既存の契約を入手者へ譲渡する必要が生じる。このような時の譲渡手続きも、前記電子マスター契約書を用いて行われる。
【０１０２】
契約管理データベース２００では、基本合意書や交換契約書自体に加え、それぞれの契約書に割り当てられた識別子や電子署名、契約当事者や本サーバ１９６が行った手続きの履歴データなど、基本合意書の作成が開始されてから交換契約書の調印が終了するまでの間に発生する様々なデータが、契約処理の進行に従い順次格納されていく。よって、電子署名が付与される前の書類と付与された後の書類とを比較することによって書類の原本性を確認できる。
また、基本合意書や交換契約書に付与される電子署名は、例えば交換当事者が保有するＩＣカードの中やクライアント端末１９５の内部に存在する秘密鍵を使用して作成される。よって、付与された電子署名を復号化して検証すれば署名者を認証できる。
尚、交換当事者は、前記メニューページの『契約書照会』を選択することによって、契約管理データベース２００に格納されている自らの基本合意書や交換契約書を随時確認することができる。
【０１０３】
目論見書の交付が必要な交換取引を対象として、契約管理データベース２００には、それぞれの取引形態や取引商品の種類・属性に対応する一般項目や一般条件が記述された電子マスター目論見書も格納されている。仮目論見書を交付する段階で本サーバ１９６は、交換商品データベース１９９へアクセスし、そこに登録されている提供希望商品の名称・銘柄や諸条件、入手希望商品の名称・銘柄や諸条件、許容できる交換相手の信用力、希望する出品期間並びにその自動延長又は早期終了の可否、希望交換価額（仮条件）、単位価格商品の場合は希望交換数量、希望交換期間といった追加項目や追加条件を読み出し、それを電子マスター目論見書の空白領域に書き込んだ上で出品者へ送信する。
次に、これを受信した出品者は、この目論見書内の空白領域に住所・氏名を入力し電子署名を付与して本サーバ１９６へ返信する。そして本サーバ１９６は、特定した又は不特定のシステム利用者の電子メール番地に出品者の識別子を付与し、この電子仮目論見書を当該番地へ配信。その後、これを契約管理データベース２００に格納する。一方、本システムの運営者に目論見書の交付義務がある交換取引については、運営者自らが住所・氏名を入力し電子署名を付与した上で、電子仮目論見書を該当するシステム利用者へ配信する。
交換取引の条件が確定した段階で本サーバ１９６は、電子仮目論見書内の追加条件の一部を補正した上で落札通知書又は電子最終目論見書を作成。出品者に電子署名を付与させた上で、又は運営者の電子署名を付与した上でそれを該当するシステム利用者へ配信する。
ところで、本システムの利用者は、前記メニューページの『契約書照会』を選択することによって、契約管理データベース２００に格納されている電子目論見書を随時確認することができる。よって、目論見書を交付するための手法としては、上述の配信の他に、本システムの運営者から該当するシステム利用者へは目論見書が交付されたことのみを支援端末１９７経由通知し、その旨を通知されたシステム利用者が能動的に契約管理データベース２００へアクセスして、完成した電子仮目論見書又は電子最終目論見書を引き出す手法がある。
【０１０４】
当局への報告や一般への開示が必要とされる交換取引を対象として、契約管理データベース２００には、それぞれの取引形態、取引商品の種類・属性、報告先及び開示先に対応する一般項目や一般条件が記述された電子マスター報告書や電子マスター開示書も格納されている。交換契約書の調印が済んだ段階で、本サーバ１９６は交換商品データベース１９９へアクセスし、そこに登録されている該当商品の名称・銘柄や諸条件、交換期間、交換成立価額、単位価格商品の場合は交換成立数量、交換差金の金額、瑕疵調査や鑑定評価に関する情報といった追加項目や追加条件を読み出し、それを前記電子マスター報告・開示書の空白領域に書き込んだ上で交換当事者へ送信する。
これを受信した交換当事者は、この報告・開示書内の空白領域に住所・氏名を入力し電子署名を付与して本サーバ１９６へ返信する。次に本サーバ１９６は、交換当事者が特定した当局やマスメディアの電子メール番地に交換当事者の識別子を付与し、この報告・開示書を当該番地へ送信。その後、これを契約管理データベース２００に格納する。一方、本システムの運営者に報告・開示義務がある交換取引については、運営者自らが住所・氏名を入力し電子署名を付与した上で、報告・開示書を当局やマスメディアへ送信する。
尚、交換当事者は、前記メニューページの『契約書照会』を選択することによって、契約管理データベース２００に格納されている自らの報告書類や開示書類を随時確認することができる。
【０１０５】
ところで、キャッシュフローの授受や、自由処分権などの各種権利の行使、各種義務の履行といった交換当事者間のイベントの発生に伴い新たな報告義務や開示義務が発生した場合も、本サーバ１９６は同様の処理を行う。また運営者は、交換契約書や前記目論見書、前記報告・開示書の準拠法に加え他の関連法規を交換当事者が遵守しているか否かを検査するため、前記イベントの発生時などに支援端末１９７経由、質問状などを交換当事者へ送信してコミュニケーションを図る。
【０１０６】
決済管理データベース２０１は、本システムの利用者即ち、交換当事者、相場水準によっては取引に参加したい交換希望者、交換取引に関連した広告を本システム上で掲載する広告主、及び鑑定評価者の資金口座番号、入出金履歴、資金口座残高などの情報を登録している。
利用者が前述のメニューページにおいて『資金口座照会』を選択した場合、本サーバ１９６は決済管理データベース２０１へアクセスして、当該利用者の現在の資金口座残高及び過去の入出金履歴が記された資金口座確認ページをクライアント端末１９５へ送信する。尚、本システムの運営者も資金口座延いては資金口座番号を有しており、利用者の資金口座との間の金銭の授受に利用する。
【０１０７】
交換取引の成立から終了に至るまでの交換当事者間のキャッシュフローの授受は、本システム上の資金口座振替によって行われる。本サーバ１９６は一定周期で交換商品データベース１９９へアクセスし、登録されている交換成立商品のキャッシュフローの授受日を認識する。そして、該当日の例えば前日に、資金口座振替を実行する旨を記した資金決済通知書を、支援端末１９７経由、交換当事者のクライアント端末１９５へ送信する。
尚、本実施の形態における交換取引では、実際のキャッシュフローによって交換当事者が支払人になる場合と受取人になる場合とがあるが、入札方式により成立した交換取引では、匿名性を維持するために、当事者が支払人である場合は本システムの運営者が受取人となり、逆に当事者が受取人である場合は運営者が支払人となる。一方、相対方式により成立した交換取引では、当事者の一方が支払人、他方が受取人であり、運営者は直接的には介在しない。
資金決済通知書には、支払人又は受取人の個人名及び／又は法人名、資金口座番号、交換契約書の識別子、支払金額又は受取金額、資金決済実行日などが表示される。そして、支払人又は受取人は、この資金決済情報を確認した旨を本サーバ１９６へ通知する。
次に本サーバ１９６は、この資金決済情報に従い、支払人の資金口座から受取人の資金口座へ所定の額の金銭を移転する資金口座振替を行う。そして、決済管理データベース２０１に登録されている支払人及び受取人の資金口座残高、入出金履歴などの情報を金銭移転後の情報に更新する。
【０１０８】
本システムでは、以下の金銭の移転においても、資金決済通知書を使用した資金口座振替を行う。但し、支払人−受取人間において、交換成立商品に関するキャッシュフローや各種サービス料の授受がタイミング的に一致した場合、運営者はこれらを相殺した金額を資金決済通知書に記し、純額ベースで資金口座振替を行うことがある。
（ａ）期中、交換当事者間の信用リスクの露出増減に応じて運営者は、交換当事者へ追加証拠金を請求したり、余剰証拠金を払い戻したりするが、これらの場合に運営者は、上記の資金口座振替により、交換当事者−運営者間又は交換当事者間で金銭を移転する。
（ｂ）運営者が交換当事者より受け取るサービス提供料及び回線使用料。
（ｃ）運営者が交換希望者や鑑定評価者より受け取る回線使用料。
（ｄ）運営者が広告主より受け取る広告料。
（ｅ）鑑定評価者が交換当事者より受け取る評価料。
（ｆ）前述のような期中のイベントの発生、即ち、交換当事者が交換取引に関する各種権利を行使又は各種義務を履行した時点で発生するキャッシュフローの授受。尚、交換当事者はメニューページの『イベント通知』を使用して権利行使又は義務履行の旨を運営者へ通知する。
【０１０９】
ところで、資産運用商品の直接交換における対象商品が債券や株式、受益証券、譲渡性預金、コマーシャル・ペーパーなどの有価証券である場合は、交換成立の後に現物移転のための証券決済を行う必要が生じてくる。そこで、本実施の形態における決済管理データベース２０１は、この証券決済を目的として、交換成立者及び交換希望者の証券口座番号、証券移転履歴、証券口座残高などの情報も登録している。
これらのシステム利用者が前述のメニューページにおいて『証券口座照会』を選択した場合、本サーバ１９６は決済管理データベース２０１へアクセスして、当該利用者の現在の証券口座残高及び過去の証券移転履歴が記された証券口座確認ページをクライアント端末１９５へ送信する。尚、本システムの運営者も証券口座延いては証券口座番号を有しており、利用者の証券口座との間の有価証券の授受に利用される。
【０１１０】
交換取引の成立から終了に至るまで、交換当事者間の有価証券の授受は本システム上の証券口座振替によって行われる。但し、入札方式によって成立した交換取引では、当事者が譲渡人である有価証券では本システムの運営者が譲受人となり、逆に当事者が譲受人である有価証券では運営者が譲渡人となる。一方、相対方式によって成立した交換取引では、当事者の一方が譲渡人である有価証券では他方が譲受人、当事者の一方が譲受人である有価証券では他方が譲渡人となり、運営者は直接的には介在しない。尚、証券口座振替の対象となる有価証券は、不動化証券、無券面化証券の別を問わない。
交換契約書の調印が済んだ段階で本サーバ１９６は、証券口座振替を実行する旨を記した証券決済通知書を、支援端末１９７経由、交換当事者のクライアント端末１９５へ送信する。証券決済通知書には、交換当事者の個人名及び／又は法人名、証券口座番号、交換契約書の識別子、移転する有価証券の数量、証券決済実行日などが表示される。そして交換当事者は、この証券決済情報を確認した旨を本サーバ１９６へ通知する。
次に本サーバ１９６は、この証券決済情報に従い、一方の交換当事者の証券口座から他方の交換当事者の証券口座へ、及び他方の交換当事者の証券口座から一方の交換当事者の証券口座へそれぞれ所定の数量の有価証券を移転する証券口座振替を行う。そして、決済管理データベース２０１に登録されている双方の証券口座残高、証券移転履歴などの情報を振替後の情報に更新する。
尚、期中運営者は交換当事者へ追加証拠金を請求したり、余剰証拠金を払い戻したりするが、この証拠金の代わりに有価証券が使用された場合、本サーバ１９６は上記の証券口座振替により、交換当事者−運営者間又は交換当事者間で対象証券を移転する。また交換差金の決済に、金銭ではなく等しい評価額の有価証券が代用された場合も、同様の証券口座振替を行う。
【０１１１】
ところで、交換希望者が鑑定評価者を選定する際などに使用する資料の受配信は以下のように行う。
まず、テキストや電子文書フォーマットなどの形態を用い、鑑定評価者は自らのプロフィールや評価料体系を記した自己紹介資料や、個別の交換対象商品に絡む参考・提案資料を本サーバ１９６へ送信する。次に本サーバ１９６は、これらを受信すると、受信した日付・時刻とともに評価者情報データベース２０２へ順次格納する。
そして本サーバ１９６は、クライアント情報データベース１９８を検索し、当該データベースに記憶されている交換希望者の希望受信内容と、実際に前記受信した評価者関連情報の種類・属性とを照らし合わせ、今回自己紹介資料や参考・提案資料を配布する対象となる交換希望者を特定。この検索結果に基づき、テキストや電子文書フォーマットなどの形態を用いて、該当する交換希望者のクライアント端末１９５へこれらの資料を一斉に配信する。そして資料を受信した交換希望者は、それらを鑑定評価者選定の判断材料とする。
また交換希望者は、前記メニューページの『評価者資料閲覧』を選択することによって、評価者情報データベース２０２に格納されている各種資料を随時閲覧できる。
評価者情報データベース２０２には、鑑定評価者の株主構成や関係会社、人的資源に関する情報も格納されているため、本システムの運営者は、交換希望者が利用を希望する鑑定評価者と当該交換希望者との間に存在する利益相反、又は交換希望者の相手方が利用を希望する鑑定評価者と当該交換希望者との間に存在する利益相反の状況を随時認識し、影響を受ける側へその結果をフィードバックすることができる。
尚、交換希望者−鑑定評価者間の遣り取りや様々なデータの授受は、各自のクライアント端末１９５が備える電子メール機能を利用して、又は鑑定評価者が別途開設するウェブ・サイトとの間のハイパーテキスト・リンクを介するなどして行われる。
【０１１２】
本サーバ１９６は、一定周期で交換商品データベース１９９へアクセスし、登録されている様々なデータを順次集計処理又は統計処理して、本システムの利用者はこれをクライアント端末１９５から閲覧することができる。
利用者が前述のメニューページにおいて『相場情報総覧』を選択した場合、本サーバ１９６は、集計処理や統計処理を済ませてある各種交換取引商品の相場状況、即ちこれまで交換取引が成立した商品の名称・銘柄や種類・属性、諸条件、交換成立価額、単位価格商品の場合は交換成立数量、交換差金の金額、交換期間、そして、現在入札を実施している交換取引の詳細や仮条件、交換希望者からの入札状況、さらに、今後入札が予定されている交換取引の概要を一覧やグラフなどに加工して市況ページ用の相場情報を作成。当該市況ページを利用者へ送信する。
これらの情報によって、交換希望者は各種交換取引の相場水準や需給バランスを把握でき、鑑定評価者は自己紹介資料や交換取引に絡んで作成する参考・提案資料を適宜配信することが可能になる。
【０１１３】
本サーバ１９６とクライアント端末１９５とは、インターネット１９３に接続された構成の他に、専用通信回線を利用したコンピュータネットワークを介して接続された構成、その他の通信回線を利用したコンピュータネットワークを介して接続された構成、無線で通信を行えるコンピュータネットワークを介して接続された構成などがある。
また他に、本サーバ１９６とクライアント端末１９５とは、無線放送や有線放送の放送網を介し、本サーバ１９６と利用者の放送受信端末とが情報の送受信を行うことによって本システムを利用できる構成としてもよい。例えば、本サーバ１９６で作成したデータを、所定の放送サーバにて放送用データに変換し、電波や通信回線を介して所定のチューナを有する放送受信端末へと送信し、当該チューナにて放送用データを復号することによって利用者が当該データを使用できる。また利用者は、放送受信端末から電波や通信回線を介して、送信したいデータを放送サーバ経由本サーバ１９６へ、又は本サーバ１９６へ直接送信できる。
そして本実施の形態では、これまで述べてきた動作を実行するためのプログラムを記録した記憶媒体、例えば光磁気ディスクや読み出し専用デジタル多用途ディスク、読み出し専用コンパクト・ディスク、フレキシブル・ディスク・カートリッジなどを配布し、当該プログラムをコンピュータへインストールすることによっても、本サーバ１９６などを構成することができる。
【０１１４】
さて、図４７における金融商品等交換取引サーバ１９６、クライアント端末１９５及び支援端末１９７は、当業者によく知られた方法で実装することができる。図４８はその一例である。
図４８における構成では、算術演算を実行する処理装置２０７が具備されている。当該処理装置２０７は複数の記憶用部品に接続されており、これらの記憶用部品には、ハードディスク２０８や読み取り専用記憶装置（ＲＯＭ）２０９、電気的消去・プログラム可能読み取り専用記憶装置（ＥＥＰＲＯＭ）２１０、読み取り書き込み記憶装置（ＲＡＭ）２１１、テープ装置２１２が含まれる。尚、これら記憶装置の種類全てが必ずしも必要というわけではない。また、これらの記憶用部品は処理装置２０７に対して物理的に接近して配置される必要はなく、処理装置２０７から離れて配置してもよい。
そして処理装置２０７は、利用者が命令やデータ等を入力するための手段、例えば鍵盤装置２１３やマウス２１４に接続されている。また、当業者に知られた他の入力手段、例えば接触画面や位置入力装置、音声変換器を設けてもよい。
処理装置２０７には、読み取り装置２１５も接続されている。この読み取り装置２１５は、フレキシブル・ディスク・カートリッジ２１６や読み出し専用コンパクト・ディスク２１７のようなデータ担体からデータを読み取り、また、可能であれば該データ担体にデータを書き込むように構成される。当業者に知られた他のデータ担体としては、テープ、デジタル多用途ディスク等が挙げられる。
さらに処理装置２０７は、用紙にデータを出力するための印刷装置２１８及び表示装置２１９にも接続されており、当該表示装置２１９は、例えばモニタ、液晶表示スクリーン又は当業者に知られた他の種類の表示装置である。
ところで処理装置２０７は、入出力手段（Ｉ／Ｏ）２２１を介して通信網２２０に接続してもよく、この通信網２２０としては、公衆交換電話網（ＰＳＴＮ）や構内通信網（ＬＡＮ）、広域通信網（ＷＡＮ）、インターネット等が挙げられる。また処理装置２０７は、通信網２２０を介して他の通信設備と通信するようにも構成できる。
処理装置２０７は、独立型システムとして実装可能である。また、並列に動作する複数の処理部の集合体（各処理部は、より大規模なコンピュータプログラムの子タスクを実行するように構成）としても実装でき、さらに、１つ以上の主要処理部と幾つかの副処理部との組み合わせとしても実装可能である。本実施の形態の機能の幾つかの部分は、遠隔にある処理設備が通信網２２０を介し処理装置２０７と通信を行うことによっても実施できる。
【０１１５】
さらに本実施の形態では、金融商品及び準金融商品を対象にこれまで述べてきた交換需要のマッチの方法によって、貴金属や非鉄金属、エネルギー関連、一次産品などの現物商品を含む各種生産財、芸術品や骨董品を含む各種消費財などの交換取引をも実現することができる。
【０１１６】
次に、これまで述べてきた各種実施の形態がもたらすメリットをテーマ別且つ箇条書きにして説明するが、これらのメリットに対する理解を深めるため、各種実施の形態における交換取引の仕組みを併せて説明する。但し本発明は、交換差による取引に係るサーバ・コンピュータ、コンピュータシステム及び取引支援方法にあり、そのための仕組みはこれより説明する仕組みに限定されるものではない。
【０１１７】
１．前述の実施の形態では、資産運用や資金調達、資金取引における交換取引を通じて、新種の裁定取引を行うことができる。
（１）まず前述の実施の形態は、資産運用商品の直接交換を通じた新種の裁定取引を可能とする。
一つの例として、資産運用者Ａが、自分の保有する資産運用商品ａの価値以上に、資産運用商品ｂの価値が今後上昇すると予想している場合、より高い運用利回りを達成するために、資産運用者Ａは資産運用商品ａを処分して一旦現金化し、その現金を使用して資産運用商品ｂその物又は資産運用商品ｂと同等の商品を取得しようと試みる。一方、資産運用者Ｂが、自分の保有する資産運用商品ｂの価値以上に、資産運用商品ａの価値が今後上昇すると予想している場合、より高い利回りを達成するために、資産運用者Ｂは資産運用商品ｂを処分して一旦現金化し、その現金を使用して資産運用商品ａその物又は資産運用商品ａと同等の商品を取得しようと試みる。
前述の実施の形態は、資産運用商品ａの所有権を譲渡する替わりに資産運用商品ｂの所有権を譲り受けたい資産運用者Ａと、資産運用商品ｂの所有権を譲渡する替わりに資産運用商品ａの所有権を譲り受けたい資産運用者Ｂという、対峙する相場観を持つ資産運用者に現物を直接交換させることで、双方による裁定取引を可能にする。
【０１１８】
（２）次に前述の実施の形態は、資産運用商品のキャッシュフロー交換を通じた新種の裁定取引を可能とする。即ち資産運用者は、資産運用商品の現物を直接交換するのではなく、保有を続けながらキャッシュフローを交換することによっても、処分を希望していた資産運用商品を実質的に処分でき、同時に、取得を希望していた資産運用商品を実質的に取得できる。
前述の実施の形態における資産運用商品のキャッシュフロー交換には、例えば以下のような取引形態がある。
（ａ）貸付債権や債券、コマーシャル・ペーパー、一部預金債権、一部ファンド型運用商品、一部媒介体など、一般的に満期の存在する資産運用商品がそのまま満期を迎えることを前提として、当該商品の残存期間の資金流入、即ち元本や果実のキャッシュフローを交換する形態。
（ｂ）一般的に満期が存在する前記商品に残存期間より短い特定の期間を設定して、その間の資金流入、即ち果実のみのキャッシュフローを交換する形態。
（ｃ）一般的に満期が存在する前記商品に関し自由処分権を行使することを前提として、当該商品を処分するまでの期間の資金流入、即ち元本や果実のキャッシュフローを交換する形態。この取引形態では、交換成立時に対象商品の自由処分権も交換される。
（ｄ）土地や建物、複合不動産、株式、一部預金債権、一部ファンド型運用商品、一部媒介体など、一般的に満期が存在しない資産運用商品に関し自由処分権を行使することを前提として、当該商品を処分するまでの期間の資金流入、即ち元本や果実のキャッシュフローを交換する形態。この取引形態では、交換成立時に対象商品の自由処分権も交換される。
（ｅ）一般的に満期が存在しない前記商品に特定の期間を設定して、その間の資金流入、即ち果実のみのキャッシュフローを交換する形態。
上記取引形態の内、自由処分権の行使を伴う（ｃ）及び（ｄ）は、交換期間中、対象商品の『キャッシュフローの譲受人』が当該商品の自由処分権を行使した場合、この処分行為を市場で執行する者は当該商品の名目上の保有者である『キャッシュフローの譲渡人』であるため、処分代金は後者が一旦受け取ることになるが、後者がこれを当該商品の実質的な所有者である前者へと支払うことにより、当該商品に関しての取引が終了する。
一方、自由処分権の行使を伴わない（ａ）、（ｂ）及び（ｅ）は、自分が保有する資産運用商品の現物を以下のような理由から現在処分できないが、他の資産運用者が保有する資産運用商品のキャッシュフローは享受したい場合などに有効である。
［１］資金調達者に対する営業政策上、自分が保有する貸付債権や債券、コマーシャル・ペーパーを現在処分できない。
［２］議決権を保持したいため、自分が保有する株式を現在処分できない。
［３］対抗要件の取得が煩雑であるため、自分が保有する預金債権を現在譲渡できない。
［４］抵当権が既に設定されているため、自分が保有する土地や建物、複合不動産を現在処分できない。
［５］流動性が低いため、自分が保有するファンド型運用商品を現在処分できない。
［６］運用委託先や管理会社に対する政策上、又は再設定に要するコストや事務手続きなどの理由で、自分が保有する媒介体を現在処分できない。
ところで、ここでは、交換対象商品の残存期間の長短や、商品に付随する各種権利の行使や各種義務の履行までの期間の長短などによって、一方の商品のキャッシュフローの支払又は受取が終了した後も、他方の商品のキャッシュフローの受取又は支払が続く場合がある。よって、キャッシュフローの授受終了が遅い方の商品の授受終了日を、当該交換取引の終了日とすることができる。尚、交換取引開始日を期首、交換取引終了日を期末といい、両者と両者の間を併せて交換期間又は期中と呼ぶ。
【０１１９】
（３）さらに前述の実施の形態は、資産運用商品の評価益部分のキャッシュフロー交換を通じた新種の裁定取引を可能とする。即ち、前述の実施の形態における資産運用商品のキャッシュフロー交換には、商品全体の評価額を基にした交換取引に加え、商品の評価益部分のみの評価額を基にした交換取引が含まれる。
一つの例として、資産運用者Ｃが保有している資産運用商品ｃの評価額が１０００であり、その構成が簿価８００、評価益２００であるとする。一方、資産運用者Ｄが保有している資産運用商品ｄの評価額が１５００であり、その構成が簿価１３００、評価益２００であるとする。資産運用者Ｃは、資産運用商品ｃの評価益以上に資産運用商品ｄの評価益が今後増加すると予想しており、資産運用者Ｄは、資産運用商品ｄの評価益以上に資産運用商品ｃの評価益が今後増加すると予想している。この場合、前述の実施の形態では、評価益部分に関し資産運用者Ｃと資産運用者Ｄとの間で交換取引が可能となる。
資産運用者Ｃは、資産運用商品ｃ全体の自由処分権と資産運用商品ｃの評価益部分の所有権を譲渡する替わりに、資産運用商品ｄ全体の自由処分権と資産運用商品ｄの評価益部分の所有権を譲り受け、同時に資産運用者Ｄは、資産運用商品ｄ全体の自由処分権と資産運用商品ｄの評価益部分の所有権を譲渡する替わりに、資産運用商品ｃ全体の自由処分権と資産運用商品ｃの評価益部分の所有権を譲り受ける。この際、資産運用商品ｃの簿価部分の所有権は引き続き資産運用者Ｃに属し、資産運用商品ｄの簿価部分の所有権は引き続き資産運用者Ｄに属する。
即ち、資産運用者Ｃは資産運用商品ｃの簿価相当額の価値を確保した上で、資産運用商品ｄの評価益の増減について市場リスクをとり、資産運用者Ｄは資産運用商品ｄの簿価相当額の価値を確保した上で、資産運用商品ｃの評価益の増減について市場リスクをとることが可能になる。尚、資産運用商品ｃの果実部分のキャッシュフローは引き続き資産運用者Ｃに帰属させ、資産運用商品ｄの果実部分のキャッシュフローは引き続き資産運用者Ｄに帰属させることができる。
交換期間中、資産運用者Ｃが自由処分権を行使して資産運用商品ｄを処分した場合、その処分価額のうち、資産運用者Ｄが所有している簿価部分についてのキャッシュフローは資産運用者Ｄに帰属し、資産運用者Ｃが所有している評価益部分についてのキャッシュフローは資産運用者Ｃに帰属する。また、処分時に資産運用商品ｄの評価益が評価損に転じていた場合は、処分価額のうち当該評価損相当額が資産運用者Ｃに帰属する。即ち、資産運用者Ｃは評価損相当額を資産運用者Ｄへ支払うことで当該評価損が実現損に変わり、資産運用者Ｄは簿価相当額を確保できることになる。
一方、資産運用者Ｄが自由処分権を行使して資産運用商品ｃを処分した場合、その処分価額のうち、資産運用者Ｃが所有している簿価部分についてのキャッシュフローは資産運用者Ｃに帰属し、資産運用者Ｄが所有している評価益部分についてのキャッシュフローは資産運用者Ｄに帰属する。また、処分時に資産運用商品ｃの評価益が評価損に転じていた場合は、処分価額のうち当該評価損相当額が資産運用者Ｄに帰属する。即ち、資産運用者Ｄは評価損相当額を資産運用者Ｃへ支払うことで当該評価損が実現損に変わり、資産運用者Ｃは簿価相当額を確保できることになる。
【０１２０】
（４）また前述の実施の形態は、資産運用商品の評価損部分のキャッシュフロー交換を通じた新種の裁定取引を可能とする。即ち前述の実施の形態では、評価損をマイナスの評価益と見なすことで、資産運用商品の評価損部分を交換することができる。
一つの例として、資産運用者Ｅが保有している資産運用商品ｅの評価額が１０００であり、その構成が簿価１２００、評価損２００であるとする。一方、資産運用者Ｆが保有している資産運用商品ｆの評価額が１５００であり、その構成が簿価１７００、評価損２００であるとする。資産運用者Ｅは、資産運用商品ｅの評価損以上に資産運用商品ｆの評価損が今後減少し、場合によっては資産運用商品ｆが評価益に転じると予想しており、資産運用者Ｆは、資産運用商品ｆの評価損以上に資産運用商品ｅの評価損が今後減少し、場合によっては資産運用商品ｅが評価益に転じると予想している。この場合、前述の実施の形態では、評価損部分に関し資産運用者Ｅと資産運用者Ｆとの間で交換取引が可能となる。
資産運用者Ｅは、資産運用商品ｅ全体の自由処分権を譲渡して資産運用商品ｅの評価損を引き渡す替わりに、資産運用商品ｆ全体の自由処分権を譲り受けて資産運用商品ｆの評価損を引き受けることになり、同時に資産運用者Ｆは、資産運用商品ｆ全体の自由処分権を譲渡して資産運用商品ｆの評価損を引き渡す替わりに、資産運用商品ｅ全体の自由処分権を譲り受けて資産運用商品ｅの評価損を引き受けることになる。
これで評価損がそれぞれ相手方へ移転し、交換取引上、資産運用者Ｅは資産運用商品ｅの簿価相当額の価値を回復し、資産運用者Ｆは資産運用商品ｆの簿価相当額の価値を回復したと見なすことができる。即ち、資産運用者Ｅは資産運用商品ｅの簿価相当額の価値を確保した上で、資産運用商品ｆの評価損の増減について市場リスクをとり、資産運用者Ｆは資産運用商品ｆの簿価相当額の価値を確保した上で、資産運用商品ｅの評価損の増減について市場リスクをとることが可能になる。尚、資産運用商品ｅの果実部分のキャッシュフローは引き続き資産運用者Ｅに帰属させ、資産運用商品ｆの果実部分のキャッシュフローは引き続き資産運用者Ｆに帰属させることができる。
交換期間中、資産運用者Ｅが自由処分権を行使して資産運用商品ｆを処分した場合、概念的には、その処分価額のうち、資産運用者Ｆが所有している簿価部分についてのキャッシュフローは資産運用者Ｆに帰属し、資産運用者Ｅが所有している評価損部分についてのキャッシュフローは資産運用者Ｅに帰属する。即ち、資産運用者Ｅは評価損相当額を資産運用者Ｆへ支払うことで当該評価損が実現損に変わり、資産運用者Ｆは簿価相当額を確保できることになる。また、処分時に資産運用商品ｆの評価損が評価益に転じていた場合、資産運用者Ｅは実現益を享受できることになる。
一方、資産運用者Ｆが自由処分権を行使して資産運用商品ｅを処分した場合、概念的には、その処分価額のうち、資産運用者Ｅが所有している簿価部分についてのキャッシュフローは資産運用者Ｅに帰属し、資産運用者Ｆが所有している評価損部分についてのキャッシュフローは資産運用者Ｆに帰属する。即ち、資産運用者Ｆは評価損相当額を資産運用者Ｅへ支払うことで当該評価損が実現損に変わり、資産運用者Ｅは簿価相当額を確保できることになる。また、処分時に資産運用商品ｅの評価損が評価益に転じていた場合、資産運用者Ｆは実現益を享受できることになる。
尚、ここでいうキャッシュフロー交換における評価損益とは、基本的に『保有している商品の総体の評価額』から『当該商品の会計上の簿価もしくは取得価額』を差し引いた金額をいう。但し、交換取引者が機密保持を理由に開示を避けたい場合などにおいては、『保有している商品の総体の評価額』から『自己申告に基づく簿価もしくは取得価額』を差し引いた金額で構わない。即ち、ここでいう評価損益は、必ずしも会計上の数値を意味しない。
【０１２１】
（５）そして前述の実施の形態は、評価損益部分のキャッシュフロー交換を通じた空売り商品の新種の裁定取引を可能とする。即ち、前述の実施の形態の評価損益の交換は、空売りされている資産運用商品の持高も対象になる。
一つの例として、資産運用者Ｇが空売りしている資産運用商品ｇの評価益が２００であり、その算定根拠が売付価額１０００、商品の評価額８００であるとする。一方、資産運用者Ｈが空売りしている資産運用商品ｈの評価益も２００であり、その算定根拠が売付価額１３００、商品の評価額１１００であるとする。資産運用者Ｇは、資産運用商品ｇ以上に資産運用商品ｈの評価額が今後下落する、即ち資産運用商品ｇの評価益以上に資産運用商品ｈの評価益が今後増加すると予想しており、一方、資産運用者Ｈは、資産運用商品ｈ以上に資産運用商品ｇの評価額が今後下落する、即ち資産運用商品ｈの評価益以上に資産運用商品ｇの評価益が今後増加すると予想している。この場合、前述の実施の形態では、評価益に関し資産運用者Ｇと資産運用者Ｈとの間で交換取引が可能となる。
資産運用者Ｇは、資産運用商品ｇを買い戻す権利と資産運用商品ｇの評価益の所有権を譲渡する替わりに、資産運用商品ｈを買い戻す権利と資産運用商品ｈの評価益の所有権を譲り受け、同時に資産運用者Ｈは、資産運用商品ｈを買い戻す権利と資産運用商品ｈの評価益の所有権を譲渡する替わりに、資産運用商品ｇを買い戻す権利と資産運用商品ｇの評価益の所有権を譲り受ける。この際、資産運用者Ｇは資産運用商品ｈの売付価額が固定された上で、資産運用商品ｈの評価益の増減について市場リスクをとり、資産運用者Ｈは資産運用商品ｇの売付価額が固定された上で、資産運用商品ｇの評価益の増減について市場リスクをとることが可能になる。
交換期間中、資産運用者Ｇが権利を行使して資産運用商品ｈを買い戻した場合、資産運用商品ｈの実現益についてのキャッシュフローは資産運用者Ｇに帰属し、資産運用者Ｈが権利を行使して資産運用商品ｇを買い戻した場合、資産運用商品ｇの実現益についてのキャッシュフローは資産運用者Ｈに帰属する。また、資産運用商品ｈを買い戻す時点で評価益が評価損に転じていた場合、その実現損は資産運用者Ｇに帰属し、資産運用商品ｇを買い戻す時点で評価益が評価損に転じていた場合、その実現損は資産運用者Ｈに帰属することになる。
【０１２２】
（６）ところで一つの例として、資産運用者Ｉが空売りしている資産運用商品ｉの評価損が２００であり、その算定根拠が売付価額１０００、商品の評価額１２００であるとする。一方、資産運用者Ｊが空売りしている資産運用商品ｊの評価損も２００であり、その算定根拠が売付価額１３００、商品の評価額１５００であるとする。資産運用者Ｉは、資産運用商品ｉ以上に資産運用商品ｊの評価額が今後下落する、即ち資産運用商品ｉの評価損以上に資産運用商品ｊの評価損が今後減少し、場合によっては資産運用商品ｊが評価益に転じると予想しており、一方、資産運用者Ｊは、資産運用商品ｊ以上に資産運用商品ｉの評価額が今後下落する、即ち資産運用商品ｊの評価損以上に資産運用商品ｉの評価損が今後減少し、場合によっては資産運用商品ｉが評価益に転じると予想している。この場合、前述の実施の形態では、評価損に関し資産運用者Ｉと資産運用者Ｊとの間で交換取引が可能となる。
資産運用者Ｉは、資産運用商品ｉを買い戻す権利を譲渡して資産運用商品ｉの評価損を引き渡す替わりに、資産運用商品ｊを買い戻す権利を譲り受けて資産運用商品ｊの評価損を引き受けることになり、同時に資産運用者Ｊは、資産運用商品ｊを買い戻す権利を譲渡して資産運用商品ｊの評価損を引き渡す替わりに、資産運用商品ｉを買い戻す権利を譲り受けて資産運用商品ｉの評価損を引き受けることになる。この際、資産運用者Ｉは資産運用商品ｊの売付価額が固定された上で、資産運用商品ｊの評価損の増減について市場リスクをとり、資産運用者Ｊは資産運用商品ｉの売付価額が固定された上で、資産運用商品ｉの評価損の増減について市場リスクをとることが可能になる。
交換期間中、資産運用者Ｉが権利を行使して資産運用商品ｊを買い戻した場合、資産運用商品ｊの実現損は資産運用者Ｉに帰属し、資産運用者Ｊが権利を行使して資産運用商品ｉを買い戻した場合、資産運用商品ｉの実現損は資産運用者Ｊに帰属する。しかし、資産運用商品ｊを買い戻す時点で評価損が評価益に転じていた場合、資産運用者Ｉは実現益を享受でき、資産運用商品ｉを買い戻す時点で評価損が評価益に転じていた場合、資産運用者Ｊは実現益を享受できることになる。
ここにおいて、空売り商品のキャッシュフロー交換における評価損益とは、基本的に『商品の会計上の売付価額』から『当該商品の評価額』を差し引いた金額をいう。但し、交換取引者が機密保持を理由に開示を避けたい場合などにおいては、『商品の自己申告に基づく売付価額』から『当該商品の評価額』を差し引いた金額で構わない。即ち、ここにおいて、空売り商品の評価損益は、必ずしも会計上の数値を意味しない。
【０１２３】
（７）さらに前述の実施の形態は、商品を直接交換したい資産運用者と、商品のキャッシュフローを交換したい資産運用者との間で新種の裁定取引を可能とする。即ち、前述の実施の形態の資産運用商品の交換には、直接交換とキャッシュフロー交換との折衷方式が含まれる。
一つの例として、資産運用者Ｋが、自分の保有する資産運用商品ｋの価値以上に資産運用商品ｌの価値が今後上昇すると予想して、資産運用商品ｋと資産運用商品ｌとの直接交換を希望し、且つ資産運用者Ｌが、自分の保有する資産運用商品ｌの価値以上に資産運用商品ｋの価値が今後上昇すると予想して、資産運用商品ｋと資産運用商品ｌとのキャッシュフロー交換を希望している場合、前述の実施の形態では直接交換とキャッシュフロー交換との折衷方式を用いることが可能である。
資産運用者Ｋは、資産運用商品ｋの現物を譲渡する替わりに資産運用商品ｌより生じるキャッシュフローを受け取る権利を譲り受け、同時に資産運用者Ｌは、資産運用商品ｌより生じるキャッシュフローを受け取る権利を譲渡する替わりに資産運用商品ｋの現物を譲り受けることで、両者が妥協点を見出せることになる。
【０１２４】
（８）また前述の実施の形態は、資金調達商品のキャッシュフロー交換を通じた新種の裁定取引を可能とする。即ち、資金調達商品は、資産運用者が信用リスクや資金調達者の名前を選好した上でそれを資産運用商品として取得しており、資金調達者が他の資金調達者と持高を直接交換するのは一般的に困難である。しかし、前述の実施の形態における資金調達者は、自分が抱えている資金調達商品のキャッシュフローを、他の資金調達者が抱えている資金調達商品のキャッシュフローと交換することによって、直接交換と同様の経済効果を享受することができる。
一つの例として、資金調達者Ｍが、自分の抱えている資金調達商品ｍの持高の評価額以上に、資金調達商品ｎの持高の評価額が今後減少すると予想している場合、一方、資金調達者Ｎが、自分の抱えている資金調達商品ｎの持高の評価額以上に、資金調達商品ｍの持高の評価額が今後減少すると予想している場合、両者は、互いの持高を交換することで、より低い調達コストを達成しようと試みる。又は、満期の有無や残存期間の長短、期中償還の有無、元本や果実の性質など商品性の違いから、資金調達者Ｍが資金調達商品ｎの持高を欲し、一方、資金調達者Ｎが資金調達商品ｍの持高を欲している場合、両者は、互いの持高を交換することで、より選好する持高を造成しようと試みる。
前述の実施の形態では、資金調達商品ｎのキャッシュフローを支払う義務を引き受ける替わりに資金調達商品ｍのキャッシュフローを支払う義務を引き渡したい資金調達者Ｍと、資金調達商品ｍのキャッシュフローを支払う義務を引き受ける替わりに資金調達商品ｎのキャッシュフローを支払う義務を引き渡したい資金調達者Ｎという、正反対の需要を抱える資金調達者にキャッシュフローを交換させることで、双方による裁定取引が可能となる。尚、この際、期中償還や買入消却が可能な商品の場合には、期中償還や買入消却を実施する権利をも交換することになる。
前述の実施の形態における資金調達商品のキャッシュフロー交換には、例えば以下のような取引形態がある。
（ａ）借入債務や債券、コマーシャル・ペーパー、一部預金債務など、一般的に満期の存在する資金調達商品がそのまま満期を迎えることを前提として、当該商品の残存期間の資金流出、即ち元本や果実のキャッシュフローを交換する形態。
（ｂ）一般的に満期が存在する前記商品に残存期間より短い特定の期間を設定して、その間の資金流出、即ち果実のみのキャッシュフローを交換する形態。
（ｃ）一般的に満期が存在する前記商品を期中償還又は買入消却することを前提として、当該商品が消滅するまでの期間の資金流出、即ち元本や果実のキャッシュフローを交換する形態。
（ｄ）株式や一部預金債務など、一般的に満期が存在しない資金調達商品を買入消却又は解約することを前提として、当該商品が消滅するまでの期間の資金流出、即ち元本や果実のキャッシュフローを交換する形態。
（ｅ）一般的に満期が存在しない前記商品に特定の期間を設定して、その間の資金流出、即ち果実のみのキャッシュフローを交換する形態。
上記取引形態の内、期中償還もしくは解約又は買入消却を伴う（ｃ）及び（ｄ）は、交換期間中、対象商品の『キャッシュフローの引受人』が権利を行使して当該商品を期中償還もしくは解約又は買入消却した場合、この解消行為を市場で執行する者は、当該商品を利用した名目上の資金調達者である『キャッシュフローの引渡人』であるため、償還代金又は買付代金は後者が一旦支払うことになるが、当該商品を利用した実質的な資金調達者である前者から後者がこれを受け取ることにより、当該商品に関しての取引が終了する。
尚、ここにおいて期中償還とは、満期が存在する資金調達商品を、所定の価額で期中に繰り上げて弁済、解約又は償還することを指し、買入消却とは、満期の有無に係わらず、資金調達商品を流通価額などで買い入れて消滅させることをいう。
【０１２５】
（９）そして前述の実施の形態は、資金取引商品のキャッシュフロー交換を通じた新種の裁定取引を可能とする。即ち、外国為替商品や先渡商品、先物商品、オプション商品、スワップ商品などの資金取引商品は、資金取引者が取引の相手方と直接的に、もしくは派生商品取引所や証券取引所を経由して間接的に、対峙する持高を造成し合っており、資金取引者が他の資金取引者と持高を直接交換するのは一般的に困難である。しかし、前述の実施の形態における資金取引者は、自分が抱えている資金取引商品のキャッシュフローを、他の資金取引者が抱えている資金取引商品のキャッシュフローと交換することによって、直接交換と同様の経済効果を享受することができる。
資金取引商品は当初の投資額が不要か、又は基礎商品に比べて極めて小さく、反対取引によって差金決済もしくは利益の確保、損失の確定ができる。基礎商品を受け渡す場合であっても、流動性の高い売買市場が既に存在しているため、当該市場で基礎商品を購入又は売却することにより、資金取引者を差金決済と実質異ならない状態に置くことができる。即ち、資金取引商品の資産価値は評価益に、また負債価値は評価損にあり、前述の実施の形態における資金取引商品のキャッシュフロー交換は、評価損益の評価額を基にした交換取引となる。
一つの例として、資金取引者Ｏが抱えている資金取引商品ｏの評価益の評価額が２００であり、一方、資金取引者Ｐが抱えている資金取引商品ｐの評価益の評価額が２００であるとする。資金取引者Ｏは、資金取引商品ｏの評価益以上に資金取引商品ｐの評価益が今後増加すると予想しており、資金取引者Ｐは、資金取引商品ｐの評価益以上に資金取引商品ｏの評価益が今後増加すると予想している。この場合、前述の実施の形態では、資金取引者Ｏと資金取引者Ｐとの間で交換取引が可能となる。
資金取引者Ｏは、資金取引商品ｏの持高を譲渡する替わりに資金取引商品ｐの持高を譲り受け、同時に資金取引者Ｐは、資金取引商品ｐの持高を譲渡する替わりに資金取引商品ｏの持高を譲り受ける。この際、資金取引商品ｏの持高に付随する権利と義務は資金取引者Ｐへ、資金取引商品ｐの持高に付随する権利と義務は資金取引者Ｏへそれぞれ移転。資金取引者Ｏは資金取引商品ｐの評価益の増減について市場リスクをとり、資金取引者Ｐは資金取引商品ｏの評価益の増減について市場リスクをとることが可能になる。
交換期間中、資金取引者Ｐが、譲り受けた権利を行使して資金取引商品ｏの評価益を実現させた場合、又は資金取引者Ｐが、引き受けた義務を履行して資金取引商品ｏの評価益が実現した場合、資金取引者Ｐは実現益を享受できる。一方、資金取引者Ｏが、譲り受けた権利を行使して資金取引商品ｐの評価益を実現させた場合、又は資金取引者Ｏが、引き受けた義務を履行して資金取引商品ｐの評価益が実現した場合、資金取引者Ｏは実現益を享受できる。また、資金取引者Ｐによる権利行使又は義務履行の時点において、資金取引商品ｏの評価益が評価損に転じていた場合、その実現損は資金取引者Ｐに帰属し、資金取引者Ｏによる権利行使又は義務履行の時点において、資金取引商品ｐの評価益が評価損に転じていた場合、その実現損は資金取引者Ｏに帰属することになる。
【０１２６】
（１０）ところで一つの例として、資金取引者Ｑが抱えている資金取引商品ｑの評価損の評価額が２００であり、一方、資金取引者Ｒが抱えている資金取引商品ｒの評価損の評価額が２００であるとする。資金取引者Ｑは、資金取引商品ｑの評価損以上に資金取引商品ｒの評価損が今後減少し、場合によっては資金取引商品ｒが評価益に転じると予想しており、資金取引者Ｒは、資金取引商品ｒの評価損以上に資金取引商品ｑの評価損が今後減少し、場合によっては資金取引商品ｑが評価益に転じると予想している。この場合、前述の実施の形態では、資金取引者Ｑと資金取引者Ｒとの間で交換取引が可能となる。
資金取引者Ｑは、資金取引商品ｑの持高を引き渡す替わりに資金取引商品ｒの持高を引き受け、同時に資金取引者Ｒは、資金取引商品ｒの持高を引き渡す替わりに資金取引商品ｑの持高を引き受ける。この際、資金取引商品ｑの持高に付随する権利と義務は資金取引者Ｒへ、資金取引商品ｒの持高に付随する権利と義務は資金取引者Ｑへそれぞれ移転。資金取引者Ｑは資金取引商品ｒの評価損の増減について市場リスクをとり、資金取引者Ｒは資金取引商品ｑの評価損の増減について市場リスクをとることが可能になる。
交換期間中、資金取引者Ｒが、譲り受けた権利を行使して資金取引商品ｑの評価損を実現させた場合、又は資金取引者Ｒが、引き受けた義務を履行して資金取引商品ｑの評価損が実現した場合、その実現損は資金取引者Ｒに帰属する。一方、資金取引者Ｑが、譲り受けた権利を行使して資金取引商品ｒの評価損を実現させた場合、又は資金取引者Ｑが、引き受けた義務を履行して資金取引商品ｒの評価損が実現した場合、その実現損は資金取引者Ｑに帰属する。しかし、資金取引者Ｒによる権利行使又は義務履行の時点において、資金取引商品ｑの評価損が評価益に転じていた場合、資金取引者Ｒは実現益を享受でき、資金取引者Ｑによる権利行使又は義務履行の時点において、資金取引商品ｒの評価損が評価益に転じていた場合、資金取引者Ｑは実現益を享受できることになる。
【０１２７】
（１１）さらに前述の実施の形態は、評価損益による資産運用商品と資金取引商品とのキャッシュフロー交換を通じた新種の裁定取引を可能とする。即ち前述の実施の形態では、資産運用商品の評価損益部分の交換方式と、評価損益による資金取引商品の交換方式とを併用することによって、資産運用商品の評価損益部分と資金取引商品の評価損益とを交換することができる。
一つの例として、資産運用者Ｓが保有している資産運用商品ｓの評価額が１０００であり、その構成が簿価８００、評価益２００であるとする。一方、資金取引者Ｔが抱えている資金取引商品ｔの評価益の評価額が２００であるとする。資産運用者Ｓは、資産運用商品ｓの評価益以上に資金取引商品ｔの評価益が今後増加すると予想しており、資金取引者Ｔは、資金取引商品ｔの評価益以上に資産運用商品ｓの評価益が今後増加すると予想している。この場合、前述の実施の形態では、資産運用者Ｓと資金取引者Ｔとの間で評価益による交換取引が可能となる。
資産運用者Ｓは、資産運用商品ｓ全体の自由処分権と資産運用商品ｓの評価益部分の所有権を譲渡する替わりに、資金取引商品ｔの持高及びその評価益を譲り受け、同時に資金取引者Ｔは、資金取引商品ｔの持高及びその評価益を譲渡する替わりに、資産運用商品ｓ全体の自由処分権と資産運用商品ｓの評価益部分の所有権を譲り受ける。この際、資産運用商品ｓの簿価部分の所有権と果実部分のキャッシュフローは引き続き資産運用者Ｓに帰属し、資金取引商品ｔの持高に付随する権利と義務は資産運用者Ｓへ移転する。即ち、資産運用者Ｓは資産運用商品ｓの簿価相当額の価値を確保した上で、資金取引商品ｔの評価益の増減について市場リスクをとり、資金取引者Ｔは資産運用商品ｓの評価益の増減について市場リスクをとることが可能になる。
交換期間中、資産運用者Ｓが、譲り受けた権利を行使して資金取引商品ｔの評価益を実現させた場合、又は資産運用者Ｓが、引き受けた義務を履行して資金取引商品ｔの評価益が実現した場合、資産運用者Ｓは実現益を享受できる。また、権利行使もしくは義務履行の時点において、資金取引商品ｔの評価益が評価損に転じていた場合、その実現損は資産運用者Ｓに帰属することになる。
一方、資金取引者Ｔが自由処分権を行使して資産運用商品ｓを処分した場合、その処分価額のうち、資産運用者Ｓが所有している簿価部分についてのキャッシュフローは資産運用者Ｓに帰属し、資金取引者Ｔが所有している評価益部分についてのキャッシュフローは資金取引者Ｔに帰属する。また、処分時に資産運用商品ｓの評価益が評価損に転じていた場合は、処分価額のうち当該評価損相当額が資金取引者Ｔに帰属する。即ち、資金取引者Ｔは評価損相当額を資産運用者Ｓへ支払うことで当該評価損が実現損に変わり、資産運用者Ｓは簿価相当額を確保できることになる。
【０１２８】
（１２）ところで一つの例として、資産運用者Ｕが保有している資産運用商品ｕの評価額が１０００であり、その構成が簿価１２００、評価損２００であるとする。一方、資金取引者Ｖが抱えている資金取引商品ｖの評価損の評価額が２００であるとする。資産運用者Ｕは、資産運用商品ｕの評価損以上に資金取引商品ｖの評価損が今後減少し、場合によっては資金取引商品ｖが評価益に転じると予想しており、資金取引者Ｖは、資金取引商品ｖの評価損以上に資産運用商品ｕの評価損が今後減少し、場合によっては資産運用商品ｕが評価益に転じると予想している。この場合、前述の実施の形態では、資産運用者Ｕと資金取引者Ｖとの間で評価損による交換取引が可能となる。
資産運用者Ｕは、資産運用商品ｕ全体の自由処分権を譲渡して資産運用商品ｕの評価損を引き渡す替わりに、資金取引商品ｖの持高及びその評価損を引き受け、同時に資金取引者Ｖは、資金取引商品ｖの持高及びその評価損を引き渡す替わりに、資産運用商品ｕ全体の自由処分権を譲り受けて資産運用商品ｕの評価損を引き受けることになる。この際、資産運用商品ｕの果実部分のキャッシュフローは引き続き資産運用者Ｕに帰属し、資金取引商品ｖの持高に付随する権利と義務は資産運用者Ｕへ移転する。
これで評価損がそれぞれ相手方へ移転し、交換取引上、資産運用者Ｕは資産運用商品ｕの簿価相当額の価値を回復し、資金取引者Ｖは資金取引商品ｖのゼロ相当の価値を回復したと見なすことができる。即ち、資産運用者Ｕは資産運用商品ｕの簿価相当額の価値を確保した上で、資金取引商品ｖの評価損の増減について市場リスクをとり、資金取引者Ｖは資産運用商品ｕの評価損の増減について市場リスクをとることが可能になる。
交換期間中、資産運用者Ｕが、譲り受けた権利を行使して資金取引商品ｖの評価損を実現させた場合、又は資産運用者Ｕが、引き受けた義務を履行して資金取引商品ｖの評価損が実現した場合、その実現損は資産運用者Ｕに帰属する。しかし、権利行使又は義務履行の時点において、資金取引商品ｖの評価損が評価益に転じていた場合、資産運用者Ｕは実現益を享受できることになる。
一方、資金取引者Ｖが自由処分権を行使して資産運用商品ｕを処分した場合、概念的には、その処分価額のうち、資産運用者Ｕが所有している簿価部分についてのキャッシュフローは資産運用者Ｕに帰属し、資金取引者Ｖが所有している評価損部分についてのキャッシュフローは資金取引者Ｖに帰属する。即ち、資金取引者Ｖは評価損相当額を資産運用者Ｕへ支払うことで当該評価損が実現損に変わり、資産運用者Ｕは簿価相当額を確保できることになる。また、処分時に資産運用商品ｕの評価損が評価益に転じていた場合、資金取引者Ｖは実現益を享受できることになる。
【０１２９】
（１３）前述の実施の形態では、以上のような裁定取引を繰り返すことにより、資産運用者や資金調達者、資金取引者が自分の持高を漸次有利なものにしていくことができる。即ち、交換相手以上に交換相手の持高を適正に評価でき、当該持高の今後の価値の変化について交換相手以上に適切な相場観を構築できれば、交換取引を重ねることで、資産運用商品におけるより高い運用利回り、資金調達商品におけるより低い調達コスト、資金取引商品におけるより多くの取引益やより有利な契約条件を漸次達成していくことが可能になる。そして、本システムにおける交換取引を、伝統的な金融・準金融市場との裁定取引に利用しても、同様の経済効果を享受することができる。
【０１３０】
２．ところで、前述の実施の形態における資産運用商品や資金調達商品、資金取引商品の交換取引は、兼ね備える以下の特徴によって、取引の確実性や透明性、即時性、経済性、効率性が向上する。
（１）まず、債券や相対で取引される資金取引商品の中には、国内外において１日２４時間取引できる商品が既に存在し、株式や上場している資金取引商品も、情報技術の発達と各国の取引所間の提携・合併によって、国境や取引時間の壁を超えた取引が徐々に実現してきている。前述の実施の形態は、この世界的な傾向と歩調を合わせ、資産運用商品や資金調達商品、資金取引商品の交換取引を国内外において１日２４時間成立させることを可能とし、各種相対商品や各種上場商品との裁定取引に即時性を持たせる。
【０１３１】
（２）次に前述の実施の形態は、交換契約書の調印までの過程において交換当事者と利益相反にない鑑定評価者を設置し、交換成立商品の瑕疵調査や交換成立価額の鑑定評価を行うことから、交換当事者が出品・入札した持高の評価額が公正と呼べるものであったこと、交換成立商品が法律的、倫理的、経済的、物理的及び環境的な問題を孕んでいないことなどを確認でき、取引その物の透明性が増す。
【０１３２】
（３）また、伝統的な金融取引や伝統的な準金融取引が成立した後に生じる様々な決済業務や管理業務は、その歴史的な経緯から商品又は取引市場によって使用できるシステムが異なり統合が難しく、多種多様な商品を取引したい顧客にとって使い勝手が良いものではない。そこで前述の実施の形態は、伝統的な金融・準金融取引で扱われる商品との裁定取引を容易にするため、取引照合、契約書の作成・譲渡、交換差金の決済、現物の授受、キャッシュフローの授受、リスク管理やキャッシュフロー管理のツール提供、法規遵守の検査、信用補完、債権の保全・回収など、交換成立後の決済・管理機能を集約した。
【０１３３】
（４）さらに前述の実施の形態では、一人の交換希望者と一人の交換希望者とがマッチされる場合のみならず、一人の交換希望者と複数の交換希望者とがマッチされる場合、及び複数の交換希望者と複数の交換希望者とがマッチされる場合が生じる。即ち、３者以上の利用者間での同時交換取引を可能にすることで、交換成立の確実性や即時性、効率性が増す。
【０１３４】
３．次に前述の実施の形態では、資産運用や資金調達、資金取引の持高を入れ替える際、既存の持高の解消のために、また、新規の持高の造成のために仲介者などへ支払う売買手数料や契約・解約手数料、償還手数料、引受・販売手数料、委託・仲介手数料、その他の諸費用が節約できる。
尚、ここでいう仲介者とは、個人や事業法人などの取引における伝統的な金融機関や伝統的な不動産会社、並びに金融機関間や不動産会社間などの取引におけるブローカーを指す。また、前記手数料や諸費用には、仲介者が資産運用者や資金調達者、資金取引者を相手に自己取引して実質的に徴収する手数料相当額や費用相当額を含む。
（１）資産運用者は、自分が保有している資産運用商品を他の資産運用商品と入れ替える場合、これまでは、前者を売却又は解約、償還するために、売付手数料又は解約手数料、償還手数料、委託・仲介手数料、その他の諸費用を仲介者などへ支払い、後者を購入又は契約するために、買付手数料又は契約手数料、委託・仲介手数料、その他の諸費用を改めて仲介者などへ支払わなくてはならなかった。
前述の実施の形態では、前者の処分時又は消滅時と後者の取得時に発生する各種手数料やその他の諸費用を交換取引によって節約できるため、資産運用者がより高い運用利回りを達成できる。
さらに、複数の資産運用商品を抱き合わせで入れ替えることが可能であるため、資産ポートフォリオの再構築に伴う各種手数料やその他の諸費用を節約することができる。例えば、マクロ経済を景気後退期と捉える場合には、貸付債権や債券などの金利商品へとポートフォリオを再構築し、景気回復への移行期と考える場合には株式や株式投資信託などへの入れ替え、景気過熱時のインフレ懸念台頭期には不動産運用商品や商品ファンドなどへの入れ替え需要がそれぞれ生じてくるが、前述の実施の形態では、相場観が入り乱れるこれら景気の節目に、各種資産運用商品を抱き合わせて交換取引することによって、ポートフォリオ全体の資産配分を効率的に変更することが可能となる。
【０１３５】
（２）資産運用者が、保有している貸付債権や不動産などを証券化する場合、これらの資産を直接又は信託受益権化して特別目的会社へ譲渡し、当該特別目的会社が資産担保証券を投資家向けに発行する方式が一般的である。この仕組みでは、信託手数料や引受・販売手数料、委託・仲介手数料、信用補完や流動性補完のためのコスト・手数料、譲渡資産の管理・回収手数料、その他の諸費用が生じ、これが譲渡資産の価値の目減りを引き起こしている。また、資産の原保有者である前記資産運用者が、証券化後の譲渡代金で新規に資産を取得する場合は、買付手数料や契約手数料、委託・仲介手数料、その他の諸費用を改めて仲介者などへ支払わなくてはならなかった。
前述の実施の形態では、交換取引によって既存の資産の譲渡と新規の資産の取得が同時に行えるため、各種手数料やその他の諸費用を節約でき、資産運用者がより高い運用利回りを達成できる。
【０１３６】
（３）資金調達者は、自分が抱えている資金調達商品を他の資金調達商品と入れ替える場合、これまでは、前者を繰上弁済又は期中償還、中途解約、買入消却するために、償還手数料又は解約手数料、買付手数料、その他の諸費用を仲介者などへ支払い、後者の持高を造成するために、資金調達に絡む契約手数料又は引受・販売手数料、その他の諸費用を改めて仲介者などへ支払わなくてはならなかった。
前述の実施の形態では、前者の持高の解消時と後者の持高の造成時に発生する各種手数料やその他の諸費用を交換取引によって節約できるため、資金調達者がより低い調達コストを達成できる。さらに、複数の資金調達商品を抱き合わせで入れ替えることが可能であるため、負債ポートフォリオの再構築に伴う各種手数料やその他の諸費用を節約することができる。
【０１３７】
（４）資金取引者は、自分が抱えている資金取引商品を他の資金取引商品と入れ替える場合、これまでは、前者を反対取引、権利行使もしくは解約するために、又は前者の権利行使もしくは期限到来を待った後に、解約手数料又は委託・仲介手数料、その他の諸費用を仲介者などへ支払い、後者の持高を造成するために、契約手数料又は委託・仲介手数料、その他の諸費用を改めて仲介者などへ支払わなくてはならなかった。
前述の実施の形態では、前者の持高の解消時と後者の持高の造成時に発生する各種手数料やその他の諸費用を交換取引によって節約できるため、資金取引者がより多くの取引益やより有利な契約条件を達成できる。さらに、複数の資金取引商品を抱き合わせで入れ替えることが可能であるため、ポートフォリオの再構築に伴う各種手数料やその他の諸費用を節約することができる。
【０１３８】
４．さらに前述の実施の形態では、資産運用や資金調達、資金取引の持高を入れ替える際、既存の持高の解消を待ってから新規の持高を造成する必要がないため、入れ替えの時間が節約でき、その間の市場リスクを回避できる。
（１）資産運用者は、自分が保有している資産運用商品を他の資産運用商品と入れ替える場合、これまでは、前者を売却、解約もしくは償還することで、又は前者の満期を待つことで一旦現金持高とし、それから新たに後者を購入又は契約しなくてはならなかった。
前述の実施の形態では、前者の処分又は消滅と後者の取得との間に生じる時間を交換取引によって節約できるため、その間に相場水準が変わってしまう市場リスクを回避できる。
さらに、複数の資産運用商品を抱き合わせで入れ替えることが可能であるため、個別に商品を入れ替える場合と比べ、資産ポートフォリオの再構築に伴う市場リスクが減少する。例えば、相場観が入り乱れる景気の節目に、各種資産運用商品を抱き合わせて交換取引することによって、ポートフォリオ全体の資産配分を迅速に変更することが可能となる。
入れ替える資産運用商品が大きい場合、資産運用者は、保有している商品を市場で処分する過程において自ら市場価額を引き下げてしまい、処分が完了した段階で不本意な平均処分価額になることが多かった。これとは逆に、欲している商品を市場で取得する過程においては自ら市場価額を引き上げてしまい、取得が完了した段階で不本意な平均取得価額になることが多かった。前述の実施の形態では、資産運用者が交換取引によって持高を入れ替えるため、自分の処分行為や取得行為が市場の需給バランスに影響を与えて運用利回りが低下することを回避できる。
【０１３９】
（２）資金調達者は、自分が抱えている資金調達商品を他の資金調達商品と入れ替える場合、これまでは、前者を繰上弁済、期中償還、中途解約もしくは買入消却することで、又は前者の満期を待つことで一旦持高を消滅させ、それから新たに後者の持高を造成しなくてはならなかった。
前述の実施の形態では、前者の解消と後者の造成との間に生じる時間を交換取引によって節約できるため、その間に相場水準が変わってしまう市場リスクを回避できる。さらに、複数の資金調達商品を抱き合わせで入れ替えることが可能であるため、個別に商品を入れ替える場合と比べ、負債ポートフォリオの再構築に伴う市場リスクが減少する。
入れ替える資金調達商品が大きい場合、資金調達者は、改めて資金調達を行った段階で次回以降の調達コストを自ら引き上げてしまうことが多かった。前述の実施の形態では、資金調達者が交換取引によって持高を入れ替えるため、自分の再調達行為が市場の需給バランスに影響を与えて調達コストが上昇することを回避できる。
【０１４０】
（３）資金取引者は、自分が抱えている資金取引商品を他の資金取引商品と入れ替える場合、これまでは、前者を反対取引、権利行使もしくは解約することで、又は前者の権利行使もしくは期限到来を待つことで一旦持高を消滅させ、それから新たに後者の持高を造成しなくてはならなかった。
前述の実施の形態では、前者の解消と後者の造成との間に生じる時間を交換取引によって節約できるため、その間に相場水準が変わってしまう市場リスクを回避できる。さらに、複数の資金取引商品を抱き合わせで入れ替えることが可能であるため、個別に商品を入れ替える場合と比べ、ポートフォリオの再構築に伴う市場リスクが減少する。
入れ替える資金取引商品が大きい場合、資金取引者は、抱えている持高を市場で解消する過程において自ら市場価額に影響を与えてしまい、解消が完了した段階で不本意な平均解消価額になることが多かった。また、欲している持高を市場で造成する過程においても自ら市場価額に影響を与えてしまい、造成が完了した段階で不本意な平均造成価額になることが多かった。前述の実施の形態では、資金取引者が交換取引によって持高を入れ替えるため、自分の解消行為や造成行為が市場の需給バランスに影響を与えて取引益が減少することや、契約条件が不利になることを回避できる。
【０１４１】
５．また前述の実施の形態では、特定金銭信託や指定金外信託、運用有価証券信託、投資子会社株式、ファンド型私募債券など、媒介体その物の交換取引によって、資産運用商品や資金取引商品を含む資産ポートフォリオの総体を交換することができるようになる。構成商品を個別に入れ替える場合とは異なり、媒介体の交換取引では資産ポートフォリオの全面的な再構築に伴う各種手数料やその他の諸費用を節約でき、また、そのために要する時間を短縮できることから、市場リスクを減少させることが可能になる。
【０１４２】
６．そして前述の実施の形態では、資産・負債の総合管理の効率性が上昇する。即ち、資産運用商品や資金調達商品、資金取引商品を抱き合わせで種々交換することにより、また、資産運用商品の直接交換やキャッシュフロー交換、資金調達商品のキャッシュフロー交換、資金取引商品のキャッシュフロー交換を種々組み合わせることにより、貸借対照表における資産、負債及び資本の構成の改編に伴う各種手数料やその他の諸費用を節約でき、また、その改編に要する時間が短縮されることから、市場リスクを減少させることが可能になる。尚、ここでいう資産・負債の総合管理のための交換取引には、例えば以下のような組み合わせがある。
（ａ）『資産運用商品及び資金取引商品の抱き合わせ』と『資産運用商品』との交換取引。
（ｂ）『資金調達商品及び資金取引商品の抱き合わせ』と『資金調達商品』との交換取引。
（ｃ）『資産運用商品及び資金調達商品の抱き合わせ』と『資産運用商品』との交換取引。
（ｄ）『資産運用商品及び資金調達商品の抱き合わせ』と『資金調達商品』との交換取引。
（ｅ）『資産運用商品及び資金調達商品の抱き合わせ』と『資金取引商品』との交換取引。
（ｆ）『資産運用商品及び資金取引商品、資金調達商品の抱き合わせ』と『資産運用商品』との交換取引。
（ｇ）『資産運用商品及び資金取引商品、資金調達商品の抱き合わせ』と『資金調達商品』との交換取引。
（ｈ）『資産運用商品及び資金取引商品、資金調達商品の抱き合わせ』と『資金取引商品』との交換取引。
（ｉ）『資産運用商品及び資金取引商品、資金調達商品の抱き合わせ』と『資産運用商品及び資金取引商品の抱き合わせ』との交換取引。
（ｊ）『資産運用商品及び資金取引商品、資金調達商品の抱き合わせ』と『資金調達商品及び資金取引商品の抱き合わせ』との交換取引。
（ｋ）『資産運用商品及び資金取引商品、資金調達商品の抱き合わせ』と『資産運用商品及び資金調達商品の抱き合わせ』との交換取引。
【０１４３】
７．次に前述の実施の形態は、非流動性商品に実質的な流通市場を提供する。即ち、資産運用商品や資金調達商品、資金取引商品の持高を交換取引によって入れ替えることで、実質的に流動性を向上できる。
（１）資産運用商品は、その取引市場が金融運用商品と不動産運用商品とで大きくセグメント化され、それらがさらに商品毎に細分化されていることから、処分需要と取得需要との間に不均衡が生じて商品の流動性が不十分になりやすかった。事業法人が発行する債券、中小企業や非公開企業の株式、貸付債権、土地・建物などは、一旦取得してから処分しようにも市場価額が低く抑えられ、無理な処分が運用利回りの低下を招く傾向が強かった。前述の実施の形態では、同種商品間のみならず、異種商品間、異業種商品間で資産運用商品を直接交換できるため、選択肢が広がることで処分需要と取得需要との間の不均衡が是正され、運用利回りを低下させることなく商品を処分することが可能になる。
また、営業政策や経営政策、事務手続きの煩雑さやそのコストなどを理由に、保有している資産運用商品を現在処分することが困難な場合でも、前述の実施の形態では、キャッシュフロー交換を用いることにより、直接交換同様、実質的に流動性を向上できる。
【０１４４】
（２）資金調達商品は、繰上弁済条項や期中償還条項が付与された商品を除くと基本的に流動性を備えておらず、持高の無理な解消が調達コストの上昇を招く傾向が強かった。前述の実施の形態では、自分が抱えている持高のキャッシュフローを他の資金調達者が抱えている持高のキャッシュフローと交換することによって、資金調達商品が実質的に流動性を持つため、調達コストを上昇させることなく持高を解消することが可能になる。
【０１４５】
（３）資金取引商品は、一部の外国為替商品や先物商品、先物オプション商品を除くと基本的に流動性を備えていない。非基軸通貨に絡む資金取引商品、各種先渡商品、各種店頭オプション商品、各種スワップ商品、各種合成商品などは、持高の無理な解消が取引益の減少や不利な解約条件を招く傾向が強かった。前述の実施の形態では、同種商品間のみならず、異種商品間、異業種商品間で持高のキャッシュフローを交換することにより、資金取引商品が実質的に流動性を持つため、取引益を減少させたり、不利な解約条件を被ったりすることなく持高を解消することが可能になる。
【０１４６】
８．そして前述の実施の形態は、事業に対する支配の強化や緩和、さらには事業の買収や売却に効果を発揮する。
（１）資産運用者が、経営政策の見直しに伴い、特定の資金調達者に対する支配を強化したい場合、前述の実施の形態における直接交換によって、自分が既に保有している『資産運用商品の何れか』を譲渡する替わりに、他の資産運用者が既に保有している『当該資金調達者発行の議決権付き株式』を譲り受けることで、手元流動性を取り崩すことなく、当該資金調達者に対する支配を効率的に強化することができる。
【０１４７】
（２）資産運用者が、経営政策の見直しに伴い、特定の資金調達者に対する支配を緩和したい場合、前述の実施の形態における直接交換によって、自分が既に保有している『当該資金調達者発行の議決権付き株式』を譲渡する替わりに、他の資産運用者が既に保有している『資産運用商品の何れか』を譲り受けることで、手元流動性に影響を与えることなく、当該資金調達者に対する支配を効率的に緩和することができる。
【０１４８】
（３）経営政策の見直しに伴い、資産運用者Ｗが資金調達者Ｙに対する支配の強化と資金調達者Ｚに対する支配の緩和を計画し、これとは逆に、資産運用者Ｘが資金調達者Ｚに対する支配の強化と資金調達者Ｙに対する支配の緩和を計画している場合、前述の実施の形態における直接交換によって、双方は同時に目的を遂げることができる。
即ち、資産運用者Ｗは『自分が既に保有している資金調達者Ｚ発行の議決権付き株式』を譲渡する替わりに『資産運用者Ｘが既に保有している資金調達者Ｙ発行の議決権付き株式』を譲り受け、同時に、資産運用者Ｘは『自分が既に保有している資金調達者Ｙ発行の議決権付き株式』を譲渡する替わりに『資産運用者Ｗが既に保有している資金調達者Ｚ発行の議決権付き株式』を譲り受けることで、それぞれ手元流動性に影響を与えることなく、資金調達者Ｙに対する支配の強化・緩和と資金調達者Ｚに対する支配の緩和・強化とを効率的に実現することができる。
【０１４９】
（４）資産運用者が、経営政策の見直しに伴い、特定の資金調達者を買収したい場合、前述の実施の形態における直接交換によって、自分が既に保有している『資産運用商品の何れか』を譲渡する替わりに、他の資産運用者が既に保有している『当該資金調達者発行の議決権付き株式』を譲り受けることで、手元流動性を取り崩すことなく、当該資金調達者を効率的に買収することができる。
【０１５０】
（５）資産運用者が、経営政策の見直しに伴い、特定の子会社を売却したい場合、前述の実施の形態における直接交換によって、自分が既に保有している『当該子会社発行の議決権付き株式』を譲渡する替わりに、他の資産運用者が既に保有している『資産運用商品の何れか』を譲り受けることで、手元流動性に影響を与えることなく、当該子会社を効率的に売却することができる。
【０１５１】
（６）経営政策の見直しに伴い、資産運用者（Ａ）が、自分の子会社（Ｃ）の売却と資産運用者（Ｂ）の子会社（Ｄ）の買収を計画し、これとは逆に、資産運用者（Ｂ）が、自分の子会社（Ｄ）の売却と資産運用者（Ａ）の子会社（Ｃ）の買収を計画している場合、前述の実施の形態における直接交換によって、双方は同時に目的を遂げることができる。
即ち、資産運用者（Ａ）は『自分の子会社（Ｃ）発行の議決権付き株式』を譲渡する替わりに『資産運用者（Ｂ）の子会社（Ｄ）発行の議決権付き株式』を譲り受け、同時に、資産運用者（Ｂ）は『自分の子会社（Ｄ）発行の議決権付き株式』を譲渡する替わりに『資産運用者（Ａ）の子会社（Ｃ）発行の議決権付き株式』を譲り受けることで、それぞれ手元流動性に影響を与えることなく、子会社（Ｄ）の買収・売却と子会社（Ｃ）の売却・買収とを効率的に実現することができる。
【０１５２】
９．また前述の実施の形態は、株式持合の開始や強化、緩和、解消、自己株式の取得や処分に効果を発揮する。
（１）資金取引者（Ｅ）と資金取引者（Ｆ）とが、経営政策から株式を持ち合うことに合意した場合、前述の実施の形態における直接交換によって、資金取引者（Ｅ）は、自分が既に保有している『資産運用商品の何れか』を譲渡する替わりに、他の資産運用者が既に保有している『資金取引者（Ｆ）発行の議決権付き株式』を譲り受け、同様に資金取引者（Ｆ）は、自分が既に保有している『資産運用商品の何れか』を譲渡する替わりに、他の資産運用者が既に保有している『資金取引者（Ｅ）発行の議決権付き株式』を譲り受けることで、それぞれ手元流動性を取り崩すことなく、効率的に株式を持ち合うことができる。
そして、同様の交換取引により、株式の持合を強化することも可能になる。
【０１５３】
（２）資金取引者（Ｇ）と資金取引者（Ｈ）とが、経営政策から株式の持合を緩和することに合意した場合、前述の実施の形態における直接交換によって、資金取引者（Ｇ）は、自分が既に保有している『資金取引者（Ｈ）発行の議決権付き株式』を譲渡する替わりに、他の資産運用者が既に保有している『資産運用商品の何れか』を譲り受け、同様に資金取引者（Ｈ）は、自分が既に保有している『資金取引者（Ｇ）発行の議決権付き株式』を譲渡する替わりに、他の資産運用者が既に保有している『資産運用商品の何れか』を譲り受けることで、それぞれ手元流動性に影響を与えることなく、効率的に株式の持合を緩和することができる。
そして、同様の交換取引により、株式の持合を解消することも可能になる。
【０１５４】
（３）資金取引者（Ｉ）が、自社の株価対策や従業員持株会の運営、株式オプション制度の導入などから、自己株式の買入を計画している場合、前述の実施の形態における直接交換によって、自分が既に保有している『資産運用商品の何れか』を資産運用者へ譲渡する替わりに、当該資産運用者が既に保有している『資金取引者（Ｉ）発行の議決権付き株式』を譲り受けることで、手元流動性を取り崩すことなく自己株式を取得し、流通市場からの買入と同じ効果を上げることができる。
そして、これとは逆の交換取引により、政策的に保有してきた自己株式を処分することも可能になる。
【０１５５】
（４）資金取引者（Ｊ）と資金取引者（Ｋ）とが、経営政策から株式の持合を解消することに合意し、双方が各自の株価対策や従業員持株会の運営、株式オプション制度の導入などから、自己株式の買入をそれぞれ計画している場合、前述の実施の形態における直接交換によって、双方は同時に目的を遂げることができる。即ち、資金取引者（Ｊ）は、自分が既に保有している『資金取引者（Ｋ）発行の議決権付き株式』を譲渡する替わりに、資金取引者（Ｋ）が既に保有している『資金取引者（Ｊ）発行の議決権付き株式』を譲り受け、同時に、資金取引者（Ｋ）は、自分が既に保有している『資金取引者（Ｊ）発行の議決権付き株式』を譲渡する替わりに、資金取引者（Ｊ）が既に保有している『資金取引者（Ｋ）発行の議決権付き株式』を譲り受けることで、それぞれ手元流動性に影響を与えることなく、株式の持合解消と自己株式の取得を効率的に達成して、流通市場における放出・買入と同じ効果を上げることができる。
【０１５６】
１０．そして前述の実施の形態は、各種交換取引により資金流入や資金流出を集中又は分散させることで、将来に渡るキャッシュフローの平準化を可能とする。
（１）資産運用者が、例えば短期の資金流入や長期の資金流入に比して、中期の資金流入が少な過ぎるとの予想を立てている場合、前述の実施の形態における資産運用商品の直接交換によって、『自分が保有している短期資産運用商品』を譲渡する替わりに『他の資産運用者が保有している中期資産運用商品』を譲り受け、さらに『自分が保有している長期資産運用商品』を譲渡する替わりに『他の資産運用者が保有している中期資産運用商品』を譲り受けることで、短期及び長期の資金流入を一部中期に集中させ、短期から長期に渡り資金流入を平準化することができる。
【０１５７】
また、前述の実施の形態における資産運用商品のキャッシュフロー交換によって、『自分が保有している短期資産運用商品からのキャッシュフロー』を譲渡する替わりに『他の資産運用者が保有している中期資産運用商品からのキャッシュフロー』を譲り受け、さらに『自分が保有している長期資産運用商品からのキャッシュフロー』を譲渡する替わりに『他の資産運用者が保有している中期資産運用商品からのキャッシュフロー』を譲り受けることによっても、同様の経済効果が期待できる。
【０１５８】
（２）これとは逆に、資産運用者が、例えば中期の資金流入に比して、短期の資金流入や長期の資金流入が少な過ぎるとの予想を立てている場合、前述の実施の形態における資産運用商品の直接交換によって、『自分が保有している中期資産運用商品』を譲渡する替わりに『他の資産運用者が保有している短期資産運用商品』を譲り受け、さらに『自分が保有している他の中期資産運用商品』を譲渡する替わりに『他の資産運用者が保有している長期資産運用商品』を譲り受けることで、一部中期の資金流入が短期及び長期に分散され、短期から長期に渡り資金流入を平準化することができる。
【０１５９】
また、前述の実施の形態における資産運用商品のキャッシュフロー交換によって、『自分が保有している中期資産運用商品からのキャッシュフロー』を譲渡する替わりに『他の資産運用者が保有している短期資産運用商品からのキャッシュフロー』を譲り受け、さらに『自分が保有している他の中期資産運用商品からのキャッシュフロー』を譲渡する替わりに『他の資産運用者が保有している長期資産運用商品からのキャッシュフロー』を譲り受けることによっても、同様の経済効果が期待できる。
【０１６０】
（３）資金調達者が、例えば中期の資金流出に比して、短期の資金流出や長期の資金流出が多過ぎるとの予想を立てている場合、前述の実施の形態における資金調達商品のキャッシュフロー交換によって、『他の資金調達者が抱えている中期資金調達商品のキャッシュフロー』を引き受ける替わりに『自分が抱えている短期資金調達商品のキャッシュフロー』を引き渡し、さらに『他の資金調達者が抱えている他の中期資金調達商品のキャッシュフロー』を引き受ける替わりに『自分が抱えている長期資金調達商品のキャッシュフロー』を引き渡すことで、短期及び長期の資金流出を一部中期に集中させ、短期から長期に渡り資金流出を平準化することができる。
【０１６１】
（４）これとは逆に、資金調達者が、例えば短期の資金流出や長期の資金流出に比して、中期の資金流出が多過ぎるとの予想を立てている場合、前述の実施の形態における資金調達商品のキャッシュフロー交換によって、『他の資金調達者が抱えている短期資金調達商品のキャッシュフロー』を引き受ける替わりに『自分が抱えている中期資金調達商品のキャッシュフロー』を引き渡し、さらに『他の資金調達者が抱えている長期資金調達商品のキャッシュフロー』を引き受ける替わりに『自分が抱えている他の中期資金調達商品のキャッシュフロー』を引き渡すことで、一部中期の資金流出が短期及び長期に分散され、短期から長期に渡り資金流出を平準化することができる。
【０１６２】
１１．次に前述の実施の形態は、直接交換を通じた同一資産運用商品の実質的な反対売買によって、収益の確定を可能とする。即ち前述の実施の形態では、特定の資産運用商品を媒介として直接交換を２回実施することにより、その特定商品に関して取得及び処分と変わらない経済効果が生まれ、資産運用者がキャピタル・ゲインを確定することができる。
資産運用者（Ｌ）が、自分の保有している資産運用商品（ｌ）の価値以上に資産運用商品（ｍ）の価値が今後上昇すると予想し、資産運用者（Ｍ）が、自分の保有している資産運用商品（ｍ）の価値以上に資産運用商品（ｌ）の価値が今後上昇すると予想している場合、前述の実施の形態では交換取引が成立する。この結果、資産運用商品（ｍ）を取得した資産運用者（Ｌ）は、予想通りの相場展開で、その後、資産運用商品（ｍ）の価値が上昇した場合に資産運用商品（ｍ）を処分しようと試みるが、従来の取引市場が流動性などの問題を抱え、一方で、異なる資産運用商品（ｎ）の価値が今後上昇すると予想できる場合には、資産運用商品（ｎ）を保有している資産運用者（Ｎ）と交換取引を行うことが最良の選択肢となる。そして、その資産運用者（Ｎ）が、資産運用者（Ｌ）とは異なる相場観から、資産運用商品（ｍ）の価値が今後さらに上昇すると予想している場合、前述の実施の形態では、資産運用者（Ｌ）と資産運用者（Ｎ）との間で資産運用商品（ｍ）と資産運用商品（ｎ）との交換取引が成立する。この時点で資産運用者（Ｌ）は、資産運用者（Ｍ）から一旦取得した資産運用商品（ｍ）を実質的な反対売買によって処分したことになり、資産運用商品（ｍ）に関してのキャピタル・ゲインを確定することができる。
【０１６３】
１２．さらに前述の実施の形態は、資産運用商品や資金調達商品のキャッシュフロー交換を通じた果実部分の収益確定を可能とする。即ち資金取引者が、資産運用商品の持高と資金調達商品の持高を同時に抱えている場合、前述の実施の形態における資産運用商品や資金調達商品のキャッシュフロー交換によって、特定期間のインカム・ゲインを確定することができる。
（１）保有している資産運用商品のキャッシュフローを、抱えている資金調達商品と残存期間が等しい他の資産運用商品のキャッシュフローと交換した場合、当該資金調達商品の資金流出と交換後の資産運用商品の資金流入とが相殺され、前者が後者を下回っている状況下で、当該期間のインカム・ゲインを確定することが可能になる。
【０１６４】
（２）これとは逆に、抱えている資金調達商品のキャッシュフローを、保有している資産運用商品と残存期間が等しい他の資金調達商品のキャッシュフローと交換した場合は、当該資産運用商品の資金流入と交換後の資金調達商品の資金流出とが相殺され、前者が後者を上回っている状況下で、当該期間のインカム・ゲインを確定することが可能になる。
【０１６５】
（３）保有している資産運用商品のキャッシュフローを、特定の期間、他の資産運用商品のキャッシュフローと交換し、抱えている資金調達商品のキャッシュフローを、上記と等しい期間、他の資金調達商品のキャッシュフローと交換した場合、交換後の資産運用商品の資金流入と、交換後の資金調達商品の資金流出とが相殺され、前者が後者を上回っている状況下で、当該期間のインカム・ゲインを確定することが可能になる。
【０１６６】
（４）また前述の実施の形態は、評価損益によるキャッシュフロー交換を通じた果実部分の収益確定を可能とする。即ち資金取引者が、資産運用商品の評価損益もしくは資金取引商品の評価損益を複数抱えている場合、前述の実施の形態において、これらの持高を複数のスワップ商品の持高と交換することによって、特定期間のインカム・ゲインを確定することができる。
まず、自分が保有している『資産運用商品の評価損益』もしくは自分が抱えている『資金取引商品の評価損益』を、他の資金取引者が抱えている『固定果実を受け取って変動果実を支払う特定残存期間のスワップ商品の評価損益』とキャッシュフロー交換する。次に、自分が保有している『他の資産運用商品の評価損益』もしくは自分が抱えている『他の資金取引商品の評価損益』を、他の資金取引者が抱えている『前記スワップ商品と元本金額及び残存期間が等しい、固定果実を支払って変動果実を受け取るスワップ商品の評価損益』とキャッシュフロー交換すると、以下の場合に当該資金取引者は当該期間のインカム・ゲインを確定することが可能になる。
（ａ）両者の変動果実が相殺され、前者の固定果実が後者の固定果実を上回っている場合。
（ｂ）両者の固定果実が相殺され、前者の変動果実が後者の変動果実を下回っている場合。
（ｃ）前者の固定果実が後者の固定果実を上回り、且つ前者の変動果実が後者の変動果実を下回っている場合。
（ｄ）前者の変動果実が後者の変動果実を上回っているが、その格差以上に前者の固定果実が後者の固定果実を上回っている場合。
（ｅ）前者の固定果実が後者の固定果実を下回っているが、その格差以上に前者の変動果実が後者の変動果実を下回っている場合。
【０１６７】
１３．そして前述の実施の形態は、資金取引商品の効率的な用途変更を可能にする。
（１）保有している資産運用商品の持高のヘッジを目的に使用してきた資金取引商品が、当該資産運用商品の処分又は消滅に伴い不要になった場合、資産運用者は、前述の実施の形態におけるキャッシュフロー交換により、自分が使用してきた『ヘッジ目的の資金取引商品の持高』を引き渡す替わりに『売買使用が可能な資金取引商品の持高』を他者から引き受けることで、資金取引商品のヘッジ用途から売買用途への迅速な移行が可能になる。
【０１６８】
（２）これとは逆に、資産運用商品を新規に保有して持高のヘッジが必要になった場合、資産運用者は、前述の実施の形態におけるキャッシュフロー交換により、自分が他に抱えている『売買目的の資金取引商品の持高』を引き渡す替わりに『ヘッジ使用が可能な資金取引商品の持高』を他者から引き受けることで、資金取引商品の売買用途からヘッジ用途への迅速な移行が可能になる。
【０１６９】
（３）抱えている資金調達商品の持高のヘッジを目的に使用してきた資金取引商品が、当該資金調達商品の消滅又は引渡に伴い不要になった場合、資金調達者は、前述の実施の形態におけるキャッシュフロー交換により、自分が使用してきた『ヘッジ目的の資金取引商品の持高』を引き渡す替わりに『売買使用が可能な資金取引商品の持高』を他者から引き受けることで、資金取引商品のヘッジ用途から売買用途への迅速な移行が可能になる。
【０１７０】
（４）これとは逆に、資金調達商品を新規に抱えて持高のヘッジが必要になった場合、資金調達者は、前述の実施の形態におけるキャッシュフロー交換により、自分が他に抱えている『売買目的の資金取引商品の持高』を引き渡す替わりに『ヘッジ使用が可能な資金取引商品の持高』を他者から引き受けることで、資金取引商品の売買用途からヘッジ用途への迅速な移行が可能になる。
【０１７１】
１４．次に前述の実施の形態は、信用供与に絡み、資産運用の新手法を提供する。
（１）資産運用者が、特定の資金調達者に絡み保有している資産運用商品に関し、運用方針や運用目標の見直しに伴って、より低い運用利回りで構わないため抱える信用リスクをその分低下させたい場合、又は逆に、より高い運用利回りを追求したいため抱える信用リスクをその分増大させても構わない場合、優先貸付債権又は優先債券、劣後貸付債権又は劣後債券、優先株式、普通株式、劣後株式などの当該資金調達者に絡む資産運用商品を、前述の実施の形態における直接交換やキャッシュフロー交換によりこれらの範囲内で入れ替えることで、手元流動性に影響を与えることなく、求償順位を効率的に変更することができる。また、同程度の信用リスクを孕んだ他の資金調達者に絡む資産運用商品と、前記資金調達者に絡む上記商品群との間で直接交換やキャッシュフロー交換を行っても、実質的に求償順位を変更できる。
【０１７２】
（２）資産運用者が、運用方針や運用目標の確立に伴い、特定の資金調達者に対する信用供与枠を新規設定した場合、前述の実施の形態における直接交換やキャッシュフロー交換によって、『自分が既に保有している資産運用商品の何れか』を譲渡する替わりに『貸付債権や債券、コマーシャル・ペーパー、預金債権など、当該資金調達者に絡み他の資産運用者が既に保有している信用リスク商品』を譲り受けることで、手元流動性を取り崩すことなく、当該資金調達者に対する信用供与を効率的に開始することができる。
そして、同様の交換取引により、信用供与を拡大することも可能になる。
【０１７３】
（３）資産運用者が、運用方針や運用目標の見直しに伴い、特定の資金調達者に対する信用供与枠を減額した場合、前述の実施の形態における直接交換やキャッシュフロー交換によって、『当該資金調達者に絡み自分が既に保有している信用リスク商品』を譲渡する替わりに『他の資産運用者が既に保有している資産運用商品の何れか』を譲り受けることで、手元流動性に影響を与えることなく、当該資金調達者に対する信用供与を効率的に縮小することができる。
そして、同様の交換取引により、信用供与を停止することも可能になる。
【０１７４】
１５．さらに前述の実施の形態は、ファンド型運用商品の運用委託先の選別に絡み、資産運用の新手法を提供する。
（１）資産運用者が、好調な運用実績や評判を基に、証券投資信託や不動産投資信託、商品ファンド、貸付信託、金銭信託など、保有しているファンド型運用商品の運用受託機関を特定の投資信託委託会社や信託銀行などに集中させたい場合、前述の実施の形態における直接交換やキャッシュフロー交換によって、自分が保有している『排斥したい運用受託機関のファンド型運用商品』を譲渡する替わりに、他の資産運用者が保有している『選好する運用受託機関のファンド型運用商品』を譲り受けることで、手元流動性に影響を与えることなく、運用委託先を特定の機関へ効率的に集中させることができる。
【０１７５】
（２）資産運用者が、資産配分の方針や目標の見直しに伴い、保有しているファンド型運用商品の特定の運用受託機関を他の投資信託委託会社や信託銀行などに分散させたい場合、前述の実施の形態における直接交換やキャッシュフロー交換によって、自分が保有している『特定の運用受託機関のファンド型運用商品』を譲渡する替わりに、他の資産運用者が保有している『様々な運用受託機関のファンド型運用商品』を譲り受けることで、手元流動性に影響を与えることなく、運用委託先を効率的に分散させることができる。
【０１７６】
１６．また前述の実施の形態は、媒介体の運用委託先の選別に絡み、資産運用の新手法を提供する。
（１）資産運用者が、運用委託の方針や目標の確立に伴い、媒介体における運用受託機関として特定の投資顧問会社や保険会社、信託銀行などを任命した場合、前述の実施の形態における直接交換やキャッシュフロー交換によって、自分が既に保有する『資産運用商品の何れか』を譲渡する替わりに、他の資産運用者が保有する『選好する運用受託機関が運用を担当している媒介体』を譲り受けることで、ポートフォリオを現金持高から構築することなく、特定の機関への運用委託を効率的に開始することができる。
【０１７７】
（２）資産運用者が、運用委託の方針や目標の見直しに伴い、保有している媒介体における運用受託機関を特定の投資顧問会社や保険会社、信託銀行などに絞り込みたい場合、前述の実施の形態における直接交換やキャッシュフロー交換によって、自分が保有する『排斥したい運用受託機関が運用を担当している媒介体』を譲渡する替わりに、他の資産運用者が保有する『選好する運用受託機関が運用を担当している媒介体』を譲り受けることで、ポートフォリオを一旦現金持高にすることなく、運用委託先を特定の機関へ効率的に絞り込むことができる。
【０１７８】
（３）資産運用者が、運用委託の方針や目標の見直しに伴い、保有している媒介体における特定の運用受託機関を他の投資顧問会社や保険会社、信託銀行などに開放したい場合、前述の実施の形態における直接交換やキャッシュフロー交換によって、自分が保有する『特定の運用受託機関が運用を担当している媒介体』を譲渡する替わりに、他の資産運用者が保有する『様々な運用受託機関が運用を担当している媒介体』を譲り受けることで、ポートフォリオを一旦現金持高にすることなく、運用委託先を効率的に開放することができる。
【０１７９】
（４）資産運用者が、運用委託の方針や目標の見直しに伴い、保有している媒介体において特定の運用受託機関を解任したい場合、前述の実施の形態における直接交換やキャッシュフロー交換によって、自分が保有する『特定の運用受託機関が運用を担当している媒介体』を譲渡する替わりに、他の資産運用者が保有する『資産運用商品の何れか』を譲り受けることで、ポートフォリオを現金持高へ戻すことなく、運用委託を効率的に停止することができる。
【０１８０】
１７．そして前述の実施の形態は、不動産運用商品に絡み、資産運用の新手法を提供する。
即ち、資産運用者が、今後の開発又は再開発を目的に、特定の地域全体の土地もしくは特定の複合不動産の総体を取得したい場合、前述の実施の形態における直接交換によって、『自分が保有している資産運用商品の何れか』を譲渡する替わりに、『当該地域において個々の土地所有者が保有している全物件』もしくは『当該複合不動産において個々の区分所有者が保有している全物件』を譲り受けることで、又は『自分が保有している資産運用商品の何れか』を譲渡する替わりに、『対象不動産の証券化商品である不動産担保証券の総額又は不動産投資信託の総額』を譲り受けることで、手元流動性を取り崩すことなく、特定の地域全体の土地もしくは特定の複合不動産の総体を直接的又は間接的に取得することができる。
【０１８１】
１８．さらに前述の実施の形態は、資産運用商品の直接交換やキャッシュフロー交換、資金調達商品のキャッシュフロー交換、資金取引商品のキャッシュフロー交換に関して、３者以上の利用者間での同時交換取引を可能とする。
（１）資産運用者（Ｏ）が、保有している資産運用商品（ｏ）の処分を希望し、資産運用者（Ｐ）が、保有している資産運用商品（ｐ）の処分を、資産運用者（Ｑ）が、保有している資産運用商品（ｑ）の処分を、それぞれ希望しているとする。この際、資産運用者（Ｏ）が資産運用商品（ｐ）の取得を希望し、資産運用者（Ｐ）が資産運用商品（ｑ）、資産運用者（Ｑ）が資産運用商品（ｏ）の取得をそれぞれ希望して、処分希望と取得希望とが３者間で循環している場合、本システムの運営者は、資産運用者（Ｏ）及び資産運用者（Ｐ）、資産運用者（Ｑ）の間で資産運用商品の直接交換を同時に成立させることができる。また、前述の実施の形態は、４者以上の資産運用者間でも、処分希望と取得希望とが循環している場合に、資産運用商品の同時直接交換を可能とする。
【０１８２】
（２）資産運用者（Ｒ）が『保有している資産運用商品（ｒ）からのキャッシュフロー』の譲渡を希望し、資産運用者（Ｓ）が『保有している資産運用商品（ｓ）からのキャッシュフロー』の譲渡を、資産運用者（Ｔ）が『保有している資産運用商品（ｔ）からのキャッシュフロー』の譲渡を、それぞれ希望しているとする。この際、資産運用者（Ｒ）が『資産運用商品（ｓ）からのキャッシュフロー』の譲受を希望し、資産運用者（Ｓ）が『資産運用商品（ｔ）からのキャッシュフロー』、資産運用者（Ｔ）が『資産運用商品（ｒ）からのキャッシュフロー』の譲受をそれぞれ希望して、譲渡希望と譲受希望とが３者間で循環している場合、本システムの運営者は、資産運用者（Ｒ）及び資産運用者（Ｓ）、資産運用者（Ｔ）の間で資産運用商品のキャッシュフロー交換を同時に成立させることができる。また、前述の実施の形態は、４者以上の資産運用者間でも、譲渡希望と譲受希望とが循環している場合に、資産運用商品の同時キャッシュフロー交換を可能とする。
【０１８３】
（３）資金調達者（Ｕ）が『抱えている資金調達商品（ｕ）のキャッシュフロー』の引渡を希望し、資金調達者（Ｖ）が『抱えている資金調達商品（ｖ）のキャッシュフロー』の引渡を、資金調達者（Ｗ）が『抱えている資金調達商品（ｗ）のキャッシュフロー』の引渡を、それぞれ希望しているとする。この際、資金調達者（Ｕ）が『資金調達商品（ｖ）のキャッシュフロー』の引受を希望し、資金調達者（Ｖ）が『資金調達商品（ｗ）のキャッシュフロー』、資金調達者（Ｗ）が『資金調達商品（ｕ）のキャッシュフロー』の引受をそれぞれ希望して、引渡希望と引受希望とが３者間で循環している場合、本システムの運営者は、資金調達者（Ｕ）及び資金調達者（Ｖ）、資金調達者（Ｗ）の間で資金調達商品のキャッシュフロー交換を同時に成立させることができる。また、前述の実施の形態は、４者以上の資金調達者間でも、引渡希望と引受希望とが循環している場合に、資金調達商品の同時キャッシュフロー交換を可能とする。
【０１８４】
（４）資金取引者（Ｘ）が『抱えている資金取引商品（ｘ）の評価損益』の引渡を希望し、資金取引者（Ｙ）が『抱えている資金取引商品（ｙ）の評価損益』の引渡を、資金取引者（Ｚ）が『抱えている資金取引商品（ｚ）の評価損益』の引渡を、それぞれ希望しているとする。この際、資金取引者（Ｘ）が『資金取引商品（ｙ）の評価損益』の引受を希望し、資金取引者（Ｙ）が『資金取引商品（ｚ）の評価損益』、資金取引者（Ｚ）が『資金取引商品（ｘ）の評価損益』の引受をそれぞれ希望して、引渡希望と引受希望とが３者間で循環している場合、本システムの運営者は、資金取引者（Ｘ）及び資金取引者（Ｙ）、資金取引者（Ｚ）の間で資金取引商品のキャッシュフロー交換を同時に成立させることができる。また、前述の実施の形態は、４者以上の資金取引者間でも、引渡希望と引受希望とが循環している場合に、資金取引商品の同時キャッシュフロー交換を可能とする。
【０１８５】
（５）また前述の実施の形態は、資産運用商品の抱き合わせ交換、資金調達商品の抱き合わせ交換、資金取引商品の抱き合わせ交換、資産運用商品と資金取引商品との抱き合わせ交換、資金調達商品と資金取引商品との抱き合わせ交換、資産運用商品と資金調達商品との抱き合わせ交換、そして資産運用商品及び資金調達商品、資金取引商品の抱き合わせ交換における３者以上の利用者間での同時交換取引を可能とする。
【０１８６】
さて、これまで述べてきた実施の形態における技術的思想には、以下のような思想が含まれる。
（１）金融商品等交換取引プログラムを記録したコンピュータ読み取り可能な記憶媒体であって、１つ以上のコンピュータネットワークを介して、金融商品及び／又は準金融商品の交換取引市場を創設し、利用者同士が交換取引を成立させることができる。
（２）金融商品等交換取引プログラムを記録したコンピュータ読み取り可能な前述の記憶媒体であって、前記コンピュータネットワークに接続された１台以上のコンピュータ及び複数の利用者端末に、前記金融・準金融商品の交換取引を希望する者の端末が、交換注文を該コンピュータへ送信する送信手段と、該コンピュータが、該交換希望者の端末から前記送信手段によって送信された交換注文を受け付ける受付手段と、該コンピュータが、前記受付手段によって受け付けた該交換希望者の交換注文を格納する記憶手段と、該コンピュータが、該交換希望者の交換相手となり得る特定又は不特定の候補者の端末へ前記交換注文を開示する開示手段と、該交換候補者の端末が、該コンピュータから前記開示手段によって開示された交換注文に基づいて、その交換取引を対象とする交換注文を該コンピュータへ送信する送信手段と、該コンピュータが、該交換候補者の端末から前記送信手段によって送信された交換注文を受け付ける受付手段と、該コンピュータが、前記受付手段によって受け付けた該交換候補者の交換注文を格納する記憶手段と、該コンピュータが、前記記憶手段によって格納した前記交換希望者の交換注文と該交換候補者の交換注文とを突き合わせて条件の合致を判別するマッチング手段と、該コンピュータが、前記マッチング手段によって条件が合致すると判別した場合に両方の交換注文の間で交換取引を成立させ、前記記憶手段によって格納している両注文を更新する更新手段と、該コンピュータが、前記マッチング手段によって導いた取引結果を該交換希望者の端末及び該交換候補者の端末へ通知する通知手段とを備えることにより交換取引を実現させることができる。
（３）金融商品等交換取引プログラムを記録したコンピュータ読み取り可能な前述の記憶媒体であって、前記コンピュータネットワークに接続された１台以上のコンピュータ及び複数の利用者端末に、複数の該利用者端末が、前記金融・準金融商品の交換注文を該コンピュータへ送信する送信手段と、該コンピュータが、複数の該利用者端末から前記送信手段によって送信された交換注文を受け付ける受付手段と、該コンピュータが、前記受付手段によって受け付けた複数の交換注文を格納する記憶手段と、該コンピュータが、前記記憶手段によって格納した複数の交換注文を突き合わせて条件の合致を判別するマッチング手段と、該コンピュータが、前記マッチング手段によって条件が合致すると判別した場合に複数の交換注文の間で交換取引を成立させ、前記記憶手段によって格納している該交換注文を更新する更新手段と、該コンピュータが、前記マッチング手段によって導いた取引結果を複数の前記利用者端末へ通知する通知手段とを備えることにより交換取引を実現させることができる。
（４）金融商品等交換取引プログラムを記録したコンピュータ読み取り可能な前述の記憶媒体であって、前記コンピュータネットワークに接続された１台以上のコンピュータ及び複数の利用者端末に、前記金融・準金融商品の相対交換取引を希望する者の端末が、交換相手となり得る候補者の端末へ相対交換取引要求を送信する送信手段と、該相対取引候補者の端末が、該相対取引希望者の端末から前記送信手段によって送信された相対交換取引要求を受信する受信手段と、該相対取引候補者の端末が、前記受信手段によって受信した相対交換取引要求に対し、受諾、拒否又は交渉の意思決定を該相対取引希望者の端末へ返信する返信手段と、該相対取引希望者の端末が、該相対取引候補者の端末から前記返信手段によって返信された意思決定を受信する受信手段と、該相対取引希望者の端末及び／又は該相対取引候補者の端末が、相対交換取引の成立又は不成立の結果を前記コンピュータへ通知する通知手段とを備えることにより交換取引を実現させることができる。
（５）金融商品等交換取引プログラムを記録したコンピュータ読み取り可能な前述の記憶媒体であって、更なる手段を備えることを特徴とし、前記コンピュータネットワークに接続された１台以上のコンピュータ及び複数の利用者端末に、前記相対取引希望者の端末が、前記金融・準金融商品の相対交換取引要求を該コンピュータへ送信する送信手段と、該コンピュータが、該相対取引希望者の端末から前記送信手段によって送信された相対交換取引要求を受け付ける受付手段と、該コンピュータが、前記受付手段によって受け付けた相対交換取引要求に合致した相対取引候補者を特定する特定手段と、該コンピュータが、前記特定手段によって特定した相対取引候補者の連絡先を該相対取引希望者の端末へ通知する通知手段とを更に備えることにより相対交換取引を実現させることができる。
（６）金融商品等交換取引プログラムを記録したコンピュータ読み取り可能な前述の記憶媒体であって、前記交換取引の対象商品を貸付債権、債券、コマーシャル・ペーパー、預金債権、株式、出資証券、預託証書及び受益証券のうち、何れか１つ以上の金融運用商品とする。
（７）金融商品等交換取引プログラムを記録したコンピュータ読み取り可能な前述の記憶媒体であって、前記交換取引の対象商品を土地、建物、複合不動産、区分所有建物、不動産担保証券及び不動産投資信託のうち、何れか１つ以上の不動産運用商品とする。
（８）金融商品等交換取引プログラムを記録したコンピュータ読み取り可能な前述の記憶媒体であって、前記交換取引の対象商品を借入債務、債券、コマーシャル・ペーパー、預金債務、株式及び出資証券のうち、何れか１つ以上の資金調達商品とする。
（９）金融商品等交換取引プログラムを記録したコンピュータ読み取り可能な前述の記憶媒体であって、前記交換取引の対象商品を外国為替商品、金利派生商品、株式派生商品、不動産派生商品、現物派生商品、複合派生商品、先渡商品、先物商品、オプション商品及びスワップ商品のうち、何れか１つ以上の資金取引商品とする。
（１０）資産運用者、資金調達者、資金取引者といった顧客同士による金融商品及び／又は準金融商品の交換取引を支援するためのコンピュータシステムであって、（ａ）ウェブ・サーバとしての機能とデータベース・サーバとしての機能とを備える１台以上のコンピュータと、（ｂ）前記顧客の複数の利用者端末と、（ｃ）該コンピュータと該利用者端末とを接続する１つ以上のコンピュータネットワークと、（ｄ）前記交換取引に関するデータを格納する交換商品データベースより構成され、［１］交換契約書、目論見書、報告書及び開示書のうち、何れか１つ以上に関するデータを格納する契約管理データベース、［２］資金決済及び／又は証券決済に関するデータを格納する決済管理データベース、［３］鑑定評価者の自己紹介資料及び／又は前記交換取引に関する参考・提案資料を格納する評価者情報データベース及び、［４］前記システムの利用者に関するデータを格納するクライアント情報データベースのうち、何れか１つ以上のデータベースを備えることにより、交換注文を需給バランスの原理で直接マッチさせる入札モード及び／又は、通信路を提供されることで前記顧客同士が直接交渉により前記交換取引を成立させる相対モードを実現できる。
（１１）前述の金融商品等交換取引システムであって、前記金融・準金融商品の交換取引を希望する者の端末が、交換注文を前記コンピュータへ送信する送信手段と、該コンピュータが、該交換希望者の端末から前記送信手段によって送信された交換注文を受け付ける受付手段と、該コンピュータが、前記受付手段によって受け付けた該交換希望者の交換注文を格納する記憶手段と、該コンピュータが、該交換希望者の交換相手となり得る特定又は不特定の候補者の端末へ前記交換注文を開示する開示手段と、該交換候補者の端末が、該コンピュータから前記開示手段によって開示された交換注文に基づいて、その交換取引を対象とする交換注文を該コンピュータへ送信する送信手段と、該コンピュータが、該交換候補者の端末から前記送信手段によって送信された交換注文を受け付ける受付手段と、該コンピュータが、前記受付手段によって受け付けた該交換候補者の交換注文を格納する記憶手段と、該コンピュータが、前記記憶手段によって格納した前記交換希望者の交換注文と該交換候補者の交換注文とを突き合わせて条件の合致を判別するマッチング手段と、該コンピュータが、前記マッチング手段によって条件が合致すると判別した場合に両方の交換注文の間で交換取引を成立させ、前記記憶手段によって格納している両注文を更新する更新手段と、該コンピュータが、前記マッチング手段によって導いた取引結果を該交換希望者の端末及び該交換候補者の端末へ通知する通知手段とを更に具備する。
（１２）前述の金融商品等交換取引システムであって、複数の前記利用者端末が、前記金融・準金融商品の交換注文を前記コンピュータへ送信する送信手段と、該コンピュータが、複数の該利用者端末から前記送信手段によって送信された交換注文を受け付ける受付手段と、該コンピュータが、前記受付手段によって受け付けた複数の交換注文を格納する記憶手段と、該コンピュータが、前記記憶手段によって格納した複数の交換注文を突き合わせて条件の合致を判別するマッチング手段と、該コンピュータが、前記マッチング手段によって条件が合致すると判別した場合に複数の交換注文の間で交換取引を成立させ、前記記憶手段によって格納している該交換注文を更新する更新手段と、該コンピュータが、前記マッチング手段によって導いた取引結果を複数の前記利用者端末へ通知する通知手段とを更に具備する。
（１３）前述の金融商品等交換取引システムであって、前記金融・準金融商品の相対交換取引を希望する者の端末が、交換相手となり得る候補者の端末へ相対交換取引要求を送信する送信手段と、該相対取引候補者の端末が、該相対取引希望者の端末から前記送信手段によって送信された相対交換取引要求を受信する受信手段と、該相対取引候補者の端末が、前記受信手段によって受信した相対交換取引要求に対し、受諾、拒否又は交渉の意思決定を該相対取引希望者の端末へ返信する返信手段と、該相対取引希望者の端末が、該相対取引候補者の端末から前記返信手段によって返信された意思決定を受信する受信手段と、該相対取引希望者の端末及び／又は該相対取引候補者の端末が、相対交換取引の成立又は不成立の結果を前記コンピュータへ通知する通知手段とを更に具備する。
（１４）前述の金融商品等交換取引システムであって、更なる手段を具備することを特徴とし、前記相対取引希望者の端末が、前記金融・準金融商品の相対交換取引要求を前記コンピュータへ送信する送信手段と、該コンピュータが、該相対取引希望者の端末から前記送信手段によって送信された相対交換取引要求を受け付ける受付手段と、該コンピュータが、前記受付手段によって受け付けた相対交換取引要求に合致した相対取引候補者を特定する特定手段と、該コンピュータが、前記特定手段によって特定した相対取引候補者の連絡先を該相対取引希望者の端末へ通知する通知手段とを更に具備する。
（１５）前述の金融商品等交換取引システムであって、前記交換取引を資産運用商品の直接交換とする。
（１６）前述の金融商品等交換取引システムであって、前記交換取引を資産運用商品のキャッシュフロー交換とする。
（１７）前述の金融商品等交換取引システムであって、前記交換取引を評価益又は評価損による資産運用商品のキャッシュフロー交換とする。
（１８）前述の金融商品等交換取引システムであって、資産運用商品を前記直接交換と前記キャッシュフロー交換との折衷方式によって交換できる。
（１９）前述の金融商品等交換取引システムであって、前記交換取引を資金調達商品のキャッシュフロー交換とする。
（２０）前述の金融商品等交換取引システムであって、前記交換取引を資金取引商品のキャッシュフロー交換とする。
（２１）前述の金融商品等交換取引システムであって、資産運用商品と資金取引商品とのキャッシュフロー交換ができる。
（２２）前述の金融商品等交換取引システムであって、前記交換取引の対象商品を貸付債権、債券、コマーシャル・ペーパー、預金債権、株式、出資証券、預託証書及び受益証券のうち、何れか１つ以上の金融運用商品とする。
（２３）前述の金融商品等交換取引システムであって、前記交換取引の対象商品を土地、建物、複合不動産、区分所有建物、不動産担保証券及び不動産投資信託のうち、何れか１つ以上の不動産運用商品とする。
（２４）前述の金融商品等交換取引システムであって、前記交換取引の対象商品を借入債務、債券、コマーシャル・ペーパー、預金債務、株式及び出資証券のうち、何れか１つ以上の資金調達商品とする。
（２５）前述の金融商品等交換取引システムであって、前記交換取引の対象商品を外国為替商品、金利派生商品、株式派生商品、不動産派生商品、現物派生商品、複合派生商品、先渡商品、先物商品、オプション商品及びスワップ商品のうち、何れか１つ以上の資金取引商品とする。
（２６）前述の金融商品等交換取引システムであって、同種商品間、異種商品間及び異業種商品間のうち、何れか１つ以上の交換取引を成立させることができる。
ここでいう同種商品とは『株式』と『株式』といった等しい種類の商品を指し、異種商品とは『株式』と『債券』といった異なる種類の商品をいい、また、異業種商品とは『株式』と『土地』といった異なる業種の商品を意味する。
（２７）前述の金融商品等交換取引システムであって、複数商品の抱き合わせによる交換取引を成立させることができる。
（２８）前述の金融商品等交換取引システムであって、３者以上の利用者間の同時交換取引を成立させることができる。
ここでいう３者以上の利用者間の同時交換取引とは、以下の２形態をいう。
（ａ）一人の交換希望者と複数の交換希望者とがマッチされる場合、又は複数の交換希望者と複数の交換希望者とがマッチされる場合に同時成立する交換取引。
（ｂ）交換希望者Ｘが商品ｘの提供を希望し、交換希望者Ｙが商品ｙ、交換希望者Ｚが商品ｚの提供をそれぞれ希望しており、さらに交換希望者Ｘが商品ｙの入手を希望し、交換希望者Ｙが商品ｚ、交換希望者Ｚが商品ｘの入手をそれぞれ希望している場合など、提供希望と入手希望とが３者以上の交換希望者の間で循環している場合に同時成立する交換取引。
（２９）前述の金融商品等交換取引システムであって、資産運用商品の直接交換、資産運用商品のキャッシュフロー交換、資金調達商品のキャッシュフロー交換、資金取引商品のキャッシュフロー交換の種々の組み合わせにより、資産・負債の総合管理ができる。
（３０）前述の金融商品等交換取引システムであって、国境及び／又は取引時間の壁を超え、国内外において１日２４時間、前記商品の交換取引を成立させることができる。
（３１）前述の金融商品等交換取引システムであって、交換取引商品の瑕疵調査の機能及び／又は交換取引価額の鑑定評価の機能を備える。
（３２）前述の金融商品等交換取引システムであって、取引照合、契約書の調印・譲渡、交換差金の決済、現物の授受、キャッシュフローの授受、法規遵守の検査など、交換成立後の決済・管理機能を集約する。
（３３）前述の金融商品等交換取引システムであって、資産運用商品の前記直接交換及び／又は前記キャッシュフロー交換を通じて、事業支配に絡む取引、株式持合に絡む取引、自己株式に絡む取引、不動産の持分の集中、求償順位の変更、信用供与に絡む取引、ポートフォリオの交換及び運用委託先の選別に絡む取引のうち、何れか１つ以上ができる。
ここでいう事業支配に絡む取引とは、事業に対する支配の強化や緩和、さらには事業の買収や売却を指し、株式持合に絡む取引とは、株式の持合の開始や強化、緩和、解消をいい、自己株式に絡む取引とは、自己株式の取得や処分を意味する。
また、ここでいう信用供与に絡む取引とは、信用供与の開始や拡大、縮小、停止をいう。
そして、ここでいう運用委託先の選別に絡む取引とは、ファンド型運用商品や媒介体における運用受託機関の任命や集中、分散、解任をいう。尚、ファンド型運用商品とは、証券投資信託や不動産投資信託、商品ファンド、貸付信託、狭義の金銭信託など、一般的に不特定多数の資産運用者向けに設定・運用される資産運用商品を指す。また媒介体とは、特定金銭信託や指定金外信託、運用有価証券信託、投資子会社株式、ファンド型私募債券など、一般的に特定の資産運用者が、簿価分離や果実政策、外部への運用委託などを目的に設定・利用する資産運用商品をいう。
（３４）商品交換取引方法であって、１つ以上のコンピュータネットワークを介して商品の交換取引市場を創設し、利用者同士が交換取引を成立させることができる。
（３５）前述の商品交換取引方法であって、前記コンピュータネットワークに接続された１台以上のコンピュータ及び複数の利用者端末より構成されるシステムにおける、前記商品の交換取引を希望する者の端末が、交換注文を該コンピュータへ送信する送信ステップと、該コンピュータが、該交換希望者の端末から前記送信ステップによって送信された交換注文を受け付ける受付ステップと、該コンピュータが、前記受付ステップによって受け付けた該交換希望者の交換注文を格納する記憶ステップと、該コンピュータが、該交換希望者の交換相手となり得る特定又は不特定の候補者の端末へ前記交換注文を開示する開示ステップと、該交換候補者の端末が、該コンピュータから前記開示ステップによって開示された交換注文に基づいて、その交換取引を対象とする交換注文を該コンピュータへ送信する送信ステップと、該コンピュータが、該交換候補者の端末から前記送信ステップによって送信された交換注文を受け付ける受付ステップと、該コンピュータが、前記受付ステップによって受け付けた該交換候補者の交換注文を格納する記憶ステップと、該コンピュータが、前記記憶ステップによって格納した前記交換希望者の交換注文と該交換候補者の交換注文とを突き合わせて条件の合致を判別するマッチングステップと、該コンピュータが、前記マッチングステップによって条件が合致すると判別した場合に両方の交換注文の間で交換取引を成立させ、前記記憶ステップによって格納している両注文を更新する更新ステップと、該コンピュータが、前記マッチングステップによって導いた取引結果を該交換希望者の端末及び該交換候補者の端末へ通知する通知ステップとを含む。
（３６）前述の商品交換取引方法であって、前記コンピュータネットワークに接続された１台以上のコンピュータ及び複数の利用者端末より構成されるシステムにおける、複数の該利用者端末が、前記商品の交換注文を該コンピュータへ送信する送信ステップと、該コンピュータが、複数の該利用者端末から前記送信ステップによって送信された交換注文を受け付ける受付ステップと、該コンピュータが、前記受付ステップによって受け付けた複数の交換注文を格納する記憶ステップと、該コンピュータが、前記記憶ステップによって格納した複数の交換注文を突き合わせて条件の合致を判別するマッチングステップと、該コンピュータが、前記マッチングステップによって条件が合致すると判別した場合に複数の交換注文の間で交換取引を成立させ、前記記憶ステップによって格納している該交換注文を更新する更新ステップと、該コンピュータが、前記マッチングステップによって導いた取引結果を複数の前記利用者端末へ通知する通知ステップとを含む。
（３７）前述の商品交換取引方法であって、前記コンピュータネットワークに接続された１台以上のコンピュータ及び複数の利用者端末より構成されるシステムにおける、前記商品の相対交換取引を希望する者の端末が、交換相手となり得る候補者の端末へ相対交換取引要求を送信する送信ステップと、該相対取引候補者の端末が、該相対取引希望者の端末から前記送信ステップによって送信された相対交換取引要求を受信する受信ステップと、該相対取引候補者の端末が、前記受信ステップによって受信した相対交換取引要求に対し、受諾、拒否又は交渉の意思決定を該相対取引希望者の端末へ返信する返信ステップと、該相対取引希望者の端末が、該相対取引候補者の端末から前記返信ステップによって返信された意思決定を受信する受信ステップと、該相対取引希望者の端末及び／又は該相対取引候補者の端末が、相対交換取引の成立又は不成立の結果を前記コンピュータへ通知する通知ステップとを含む。
（３８）前述の商品交換取引方法であって、更なるステップを前段階に含むことを特徴とし、前記コンピュータネットワークに接続された１台以上のコンピュータ及び複数の利用者端末より構成されるシステムにおける、前記相対取引希望者の端末が、前記商品の相対交換取引要求を該コンピュータへ送信する送信ステップと、該コンピュータが、該相対取引希望者の端末から前記送信ステップによって送信された相対交換取引要求を受け付ける受付ステップと、該コンピュータが、前記受付ステップによって受け付けた相対交換取引要求に合致した相対取引候補者を特定する特定ステップと、該コンピュータが、前記特定ステップによって特定した相対取引候補者の連絡先を該相対取引希望者の端末へ通知する通知ステップとを更に含む。
【０１８７】
以上のように、本発明に係る実施の形態による交換取引サーバ、交換取引システム及び交換取引支援方法は、１つ以上のコンピュータネットワークを介して金融商品、準金融商品及び／又はその他の商品の交換取引市場を創設し、資産運用者や資金調達者、資金取引者を含む顧客の持高の解消需要と持高の造成需要とを相互にマッチさせることができる。
【０１８８】
そして、本発明に係る実施の形態による交換取引サーバ、交換取引システム及び交換取引支援方法は、解消行為と造成行為とを同時に行える環境を提供することで、顧客が仲介者等へ支払う手数料を節約でき、解消行為と造成行為との間のタイムラグを排除することで、その間の市場リスクを最小化でき、また、セグメント化され過ぎた取引市場を超越したクロス取引の場を創設することで、個々の商品の流動性を向上できる。
【０１８９】
さらに、本発明に係る実施の形態は、新種の裁定取引やキャッシュフローの平準化を可能にし、ポートフォリオの再構築や資産・負債の総合管理の効率性を上昇させ、また、事業支配や株式持合、信用供与、運用委託先の選別などに絡む資産運用の新手法を提供することができる。
【符号の説明】
【０１９０】
１〜１０        資産運用者
１１〜１２      貸付債権
１３〜１４      株式（資産運用商品）
１５〜１６      債券（資産運用商品）
１７〜１８      証券投資信託
１９〜２０      預金債権
２１〜２２      定期預金（資産運用商品）
２３〜２４      貸付信託
２５〜２６      譲渡性預金（資産運用商品）
２７〜２８      公社債投資信託
２９〜３０      金銭信託
３１〜３２      非公開企業株式
３３〜３４      株式投資信託
３５〜３６      プロジェクト・ファイナンス出資証券
３７〜３８      資産担保出資証券
３９〜４０      会社型投資信託
４１〜４２      償還株式
４３〜４４      転換株式
４５〜４６      転換社債
４７〜４８      株式預託証書
４９〜５０      ワラント債
５１〜５２      優先債券（資産運用商品）
５３〜５４      劣後貸付債権
５５〜５６      劣後株式
５７〜５８      優先株式
５９〜６０      普通株式
６１〜６２      土地
６３〜６４      建物
６５〜６６      複合不動産
６７〜６８      不動産担保証券
６９〜７０      不動産投資信託
７１〜７２      特定劣後社債
７３〜７４      特定目的優先貸付債権
７５〜７６      特定普通株式
７７〜７８      転換特定社債
７９〜８０      ワラント特定社債
８１〜８２      特定金銭信託
８３〜８４      指定金外信託
８５〜８６      商品ファンド
８７〜８８      ファンド型私募債券
８９〜９２      債券（資産運用商品）
９３            本システムの運営者
９４            出品者（資産運用者）
９５            落札者（資産運用者）
９６            入札者
９７            交換希望者
９８            鑑定評価者
９９            広告主
１００〜１０９  資金調達者
１１０〜１１１  借入債務
１１２〜１１３  株式（資金調達商品）
１１４〜１１５  債券（資金調達商品）
１１６〜１１７  コマーシャル・ペーパー（資金調達商品）
１１８〜１１９  預金債務
１２０〜１２１  資産運用者
１２２          優先借入債務
１２３          優先債券（資金調達商品）
１２４          劣後借入債務
１２５          劣後債券
１２６          中期債券
１２７          長期債券
１２８          短期債券
１２９          定期預金（資金調達商品）
１３０          譲渡性預金（資金調達商品）
１３１          コール・マネー
１３２          長期借入債務
１３３〜１３６  借入債務
１３７          出品者（資金調達者）
１３８          落札者（資金調達者）
１３９〜１５８  資金取引者
１５９〜１６０  為替直物
１６１〜１６２  金利先渡
１６３〜１６４  不動産投資指数先物
１６５〜１６６  株価指数オプション
１６７〜１６８  商品先物オプション
１６９〜１７０  金利スワップ
１７１〜１７２  通貨スワップ
１７３〜１７４  金利通貨スワップ
１７５〜１７６  株価スワップ
１７７〜１７８  商品価格スワップ
１７９          金利先物
１８０          為替先物
１８１          債券先物オプション
１８２          通貨オプション
１８３〜１８６  スワップション
１８７          出品者（資金取引者）
１８８          落札者（資金取引者）
１８９          個別株オプション
１９０          カラー
１９１          キャップ
１９２          コール・ローン
１９３          インターネット
１９４          金融商品等交換取引サイト
１９５          クライアント端末
１９６          金融商品等交換取引サーバ
１９７          支援端末
１９８          クライアント情報データベース
１９９          交換商品データベース
２００          契約管理データベース
２０１          決済管理データベース
２０２          評価者情報データベース
２０３          制御部
２０４          表示部
２０５          入力部
２０６          通信部
２０７          処理装置
２０８          ハードディスク
２０９          読み取り専用記憶装置
２１０          電気的消去・プログラム可能読み取り専用記憶装置
２１１          読み取り書き込み記憶装置
２１２          テープ装置
２１３          鍵盤装置
２１４          マウス
２１５          読み取り装置
２１６          フレキシブル・ディスク・カートリッジ
２１７          読み出し専用コンパクト・ディスク
２１８          印刷装置
２１９          表示装置
２２０          通信網
２２１          入出力手段
［１］          交換差金の支払
［２］          サービス提供料や回線使用料の支払
［３］          鑑定評価料の支払
［４］          広告料の支払
［５］          交換取引のキャッシュフロー
［６］          既存取引のキャッシュフロー又は持高
【図１】
0005536948.tif 000002
【図２】
0005536948.tif 000003
【図３】
0005536948.tif 000004
【図４】
0005536948.tif 000005
【図５】
0005536948.tif 000006
【図６】
0005536948.tif 000007
【図７】
0005536948.tif 000008
【図８】
0005536948.tif 000009
【図９】
0005536948.tif 000010
【図１０】
0005536948.tif 000011
【図１１】
0005536948.tif 000012
【図１２】
0005536948.tif 000013
【図１３】
0005536948.tif 000014
【図１４】
0005536948.tif 000015
【図１５】
0005536948.tif 000016
【図１６】
0005536948.tif 000017
【図１７】
0005536948.tif 000018
【図１８】
0005536948.tif 000019
【図１９】
0005536948.tif 000020
【図２０】
0005536948.tif 000021
【図２１】
0005536948.tif 000022
【図２２】
0005536948.tif 000023
【図２３】
0005536948.tif 000024
【図２４】
0005536948.tif 000025
【図２５】
0005536948.tif 000026
【図２６】
0005536948.tif 000027
【図２７】
0005536948.tif 000028
【図２８】
0005536948.tif 000029
【図２９】
0005536948.tif 000030
【図３０】
0005536948.tif 000031
【図３１】
0005536948.tif 000032
【図３２】
0005536948.tif 000033
【図３３】
0005536948.tif 000034
【図３４】
0005536948.tif 000035
【図３５】
0005536948.tif 000036
【図３６】
0005536948.tif 000037
【図３７】
0005536948.tif 000038
【図３８】
0005536948.tif 000039
【図３９】
0005536948.tif 000040
【図４０】
0005536948.tif 000041
【図４１】
0005536948.tif 000042
【図４２】
0005536948.tif 000043
【図４３】
0005536948.tif 000044
【図４４】
0005536948.tif 000045
【図４５】
0005536948.tif 000046
【図４６】
0005536948.tif 000047
【図４７】
0005536948.tif 000048
【図４８】
0005536948.tif 000049